(57)【要約】本発明は、上りリンク参照信号送信方法を提供し、本方法は：端末装置によって、決定された上りリンク参照信号送信時間内にN1個の第二成分搬送波上で上りリンク参照信号を送信し；前記送信時間内にM個の第一成分搬送波におけるM1個の第一成分搬送波上で前記端末装置が上りリンク信号を送ることを禁止することを含む。前記第一成分搬送波はその上で上りリンク・データ送信のスケジューリングが許容される搬送波であり、前記第二成分搬送波はその上で上りリンク・データ送信のスケジューリングが禁止される搬送波である。N1≦Nであり、つまり、前記送信時間内では、上りリンク参照信号が送られる第二成分搬送波の量N1が上りリンク信号の送信が禁止される第一成分搬送波の量M1以下である。よって、上記の解決策を使うことで、送信時間内に上りリンク信号が送られる成分搬送波の量は端末装置の処理能力を超えないことが保証されることができ、端末装置が、その上で上りリンク・データ送信のスケジューリングが許容される成分搬送波およびその上で上りリンク・データ送信のスケジューリングが禁止される成分搬送波を再構成する必要がなく、それにより対応する信号伝達のオーバーヘッドおよび複雑な処理手順を回避し、端末装置の成分搬送波のチャネル特性を効率的に報告する。
2019517206.tif 000002
【特許請求の範囲】
【請求項１】
上りリンク参照信号送信方法であって：
端末装置によって、L個の成分搬送波を有効化する段階であって、前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である、段階と；
前記端末装置によって、上りリンク参照信号送信時間を決定する段階と；
前記端末装置によって、前記送信時間内にN1個の第二成分搬送波上で上りリンク参照信号を送信する段階であって、N1は正の整数であり、N1≦Nであり；前記送信時間内にM1個の第一成分搬送波上で前記端末装置が上りリンク信号を送ることを禁止し、M1は正の整数であり、N1≦M1≦Mである、段階とを含む、
方法。
【請求項２】
前記送信時間は、第一のサブフレーム内であり、前記上りリンク参照信号を送信するために使われる少なくとも一つの直交周波数分割多重OFDMシンボルを含む、請求項１記載の方法。
【請求項３】
前記端末装置によって、ネットワーク装置から第一の指示情報を受信する段階をさらに含み、前記第一の指示情報は、前記N1個の第二成分搬送波を指示するために使われる、
請求項１または２記載の方法。
【請求項４】
前記第一の指示情報は、前記N1個の第二成分搬送波の搬送波識別子を含む；または
前記第一の指示情報はビットマップを含み、前記ビットマップは少なくともNビットを含み、前記Nビットは前記N個の第二成分搬送波に対応し、前記Nビットは前記N1個の第二成分搬送波を示すために使われる；または
前記N個の第二成分搬送波は複数の第二成分搬送波グループに分類され、前記第二成分搬送波グループの少なくとも一つは前記N1個の第二成分搬送波を含み、前記第一の指示情報は前記複数の第二成分搬送波グループの一つを示すための少なくとも一つのビットを含む、
請求項３記載の方法。
【請求項５】
前記第一の指示情報は、媒体アクセス制御制御要素MAC  CE、第一の物理下りリンク制御チャネルPDCCHまたは無線資源制御RRCメッセージにおいて搬送される、請求項３または４記載の方法。
【請求項６】
前記第一のサブフレームおよび／または前記少なくとも一つのOFDMシンボルは事前設定されている；または
前記第一のサブフレームおよび／または前記少なくとも一つのOFDMシンボルは、より上位層の信号伝達を使って構成される、
請求項２ないし５のうちいずれか一項記載の方法。
【請求項７】
前記端末装置によって、上りリンク参照信号送信時間を決定する前記段階は：前記端末装置によって、上りリンク参照信号送信時間を、前記第一の指示情報に基づいて決定することを含み、ここで
前記第一のサブフレームは前記第一の指示情報が受信されるサブフレームの次のサブフレームである；または
前記第一のサブフレームは(n＋k)番目のサブフレームであり、前記第一の指示情報が受信されるサブフレームがサブフレームnであり、kは事前設定されている；または
前記第一のサブフレームは(n＋k)番目のサブフレームであり、n番目のサブフレームは前記第一の指示情報が受信されるサブフレームnであり、前記第一の指示情報はさらに送信時間情報を含み、前記送信時間情報がkを示すために使われる；または
前記N個の第二成分搬送波は複数の第二成分搬送波グループに分類され、前記第二成分搬送波グループの少なくとも一つは前記N1個の第二成分搬送波を含み、異なる送信時間には異なる第二成分搬送波グループが対応する、
請求項３ないし５のうちいずれか一項記載の方法。
【請求項８】
前記端末装置によって、前記送信時間内にN1個の第二成分搬送波上で上りリンク参照信号を送信することは：
前記端末装置によって、前記第一のサブフレームにおけるP個のOFDMシンボルにおいて前記N1個の第二成分搬送波上で前記上りリンク参照信号を送信することを含み、
前記送信時間内にM1個の第一成分搬送波上で前記端末装置が上りリンク信号を送ることを禁止することは：
Q個の連続するOFDMシンボルにおいて前記M1個の第一成分搬送波上で前記端末装置が前記上りリンク信号を送ることを禁止することを含み、
前記Q個のOFDMシンボルは前記P個のOFDMシンボルを含み、Q＞Pである、
請求項２ないし７のうちいずれか一項記載の方法。
【請求項９】
前記端末装置によって、前記送信時間内にN1個の第二成分搬送波上で上りリンク参照信号を送信する前記段階の前に、さらに：
前記端末装置によって、前記N1個の第二成分搬送波の少なくとも一つでプリアンブルを送信する段階と；
前記端末装置によって、前記プリアンブルに対応するランダム・アクセス応答RARメッセージを受信する段階であって、前記RARメッセージは上りリンク・タイミング先行量TAを示すために使われる情報を含む、段階；または
前記端末装置によって、前記プリアンブルの第二の指示情報を受信する段階であって、前記第二の指示情報はTAを示すために使われ、前記第二の指示情報は上りリンク制御情報を含まない、段階とを含む、
請求項１ないし８のうちいずれか一項記載の方法。
【請求項１０】
前記端末装置によって、前記N1個の第二成分搬送波の少なくとも一つでプリアンブルを送信する前記段階の前に、さらに：
前記端末によって、前記ネットワーク装置によって送られた構成情報を受信する段階であって、前記構成情報は、前記N1個の第二成分搬送波の前記少なくとも一つのランダム・アクセス資源を示すために使われる、段階と；
前記端末装置によって、第二のPDCCHを使って前記ネットワーク装置によって送られたランダム・アクセス制御情報を受信する段階であって、前記ランダム・アクセス制御情報は、前記プリアンブルを送信するよう前記端末装置をトリガーするために使われる、段階とを含む、
請求項９記載の方法。
【請求項１１】
上りリンク参照信号受信方法であって：
ネットワーク装置によって、端末装置のためのL個の成分搬送波を構成する段階であって、前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である、段階と；
前記ネットワーク装置によって、上りリンク参照信号送信時間内にN1個の第二成分搬送波上で前記端末装置から上りリンク参照信号を受信し；前記ネットワーク装置によって、前記送信時間内にM1個の第一成分搬送波上で前記端末装置の上りリンク信号がないことを判別する段階であって、N1は正の整数であり、N1≦Nであり；M1は正の整数であり、N1≦M1≦Mである、段階とを含む、
方法。
【請求項１２】
前記送信時間は、第一のサブフレーム内であり、前記上りリンク参照信号を受信するために使われる少なくとも一つの直交周波数分割多重OFDMシンボルを含む、請求項１１記載の方法。
【請求項１３】
前記ネットワーク装置によって、第一の指示情報を前記端末装置に送る段階をさらに含み、前記第一の指示情報は、前記N1個の第二成分搬送波を指示するために使われる、請求項１１または１２記載の方法。
【請求項１４】
前記第一の指示情報は、前記N1個の第二成分搬送波の搬送波識別子を含む；または
前記第一の指示情報はビットマップを含み、前記ビットマップは少なくともNビットを含み、前記Nビットは前記N個の第二成分搬送波に対応し、前記Nビットは前記N1個の第二成分搬送波を示すために使われる；または
前記N個の第二成分搬送波は複数の第二成分搬送波グループに分類され、前記第二成分搬送波グループの少なくとも一つは前記N1個の第二成分搬送波を含み、前記第一の指示情報は前記複数の第二成分搬送波グループの一つを示すための少なくとも一つのビットを含む、
請求項１３記載の方法。
【請求項１５】
前記第一の指示情報は、媒体アクセス制御制御要素MAC  CE、第一のPDCCHまたは無線資源制御RRCメッセージにおいて搬送される、請求項１３または１４記載の方法。
【請求項１６】
前記ネットワーク装置は、第一の構成情報を前記端末装置に、より上位層の信号伝達を使って送信し、前記第一の構成情報は、前記第一のサブフレームおよび／または前記少なくとも一つのOFDMシンボルを構成するために使われる、請求項１２ないし１５のうちいずれか一項記載の方法。
【請求項１７】
前記第一の指示情報は、前記端末装置について、前記送信時間を示すために使われ；
前記第一のサブフレームは前記端末装置が前記第一の指示情報を受信するサブフレームの次のサブフレームである；または
前記第一のサブフレームは(n＋k)番目のサブフレームであり、前記端末装置が前記第一の指示情報を受信するサブフレームがサブフレームnであり、kは事前設定されている；または
前記第一のサブフレームは(n＋k)番目のサブフレームであり、n番目のサブフレームは前記端末装置が前記第一の指示情報を受信するサブフレームnであり、前記第一の指示情報はさらに送信時間情報を含み、前記送信時間情報がkを示すために使われる；または
前記N個の第二成分搬送波は複数の第二成分搬送波グループに分類され、前記第二成分搬送波グループの少なくとも一つは前記N1個の第二成分搬送波を含み、異なる送信時間には異なる第二成分搬送波グループが対応する、
請求項１３ないし１５のうちいずれか一項記載の方法。
【請求項１８】
前記ネットワーク装置によって、送信時間内にN1個の第二成分搬送波上で上りリンク参照信号を受信することは：
前記ネットワーク装置によって、前記第一のサブフレームにおけるP個のOFDMシンボルにおいて前記N1個の第二成分搬送波上で前記上りリンク参照信号を受信することを含み、
前記ネットワーク装置によって、前記送信時間内にM1個の第一成分搬送波上で前記端末装置の上りリンク信号がないことを判別することは：
Q個の連続するOFDMシンボルにおいて前記M1個の第一成分搬送波上で上りリンク信号がないことを前記ネットワーク装置によって判別することを含み、
前記Q個のOFDMシンボルは前記P個のOFDMシンボルを含み、Q＞Pである、
請求項１２ないし１７のうちいずれか一項記載の方法。
【請求項１９】
前記ネットワーク装置によって、送信時間内にN1個の第二成分搬送波上で上りリンク参照信号を受信する前記段階の前に、さらに：
前記ネットワーク装置によって、前記N1個の第二成分搬送波の少なくとも一つでプリアンブルを受信する段階と；
前記ネットワーク装置によって、前記プリアンブルに対応するランダム・アクセス応答RARメッセージを送信する段階であって、前記RARメッセージは上りリンク・タイミング先行量TAを示すために使われる情報を含む、段階；または
前記ネットワーク装置によって、前記プリアンブルに対応する第二の指示情報を送信する段階であって、前記第二の指示情報はTAを示すために使われ、前記第二の指示情報は上りリンク制御情報を含まない、段階とを含む、
請求項１１ないし１８のうちいずれか一項記載の方法。
【請求項２０】
前記ネットワーク装置によって、前記N1個の第二成分搬送波の少なくとも一つでプリアンブルを受信する前記段階の前に、さらに：
前記ネットワーク装置によって、前記端末装置に第二の構成情報を送信する段階であって、前記第二の構成情報は、前記N1個の第二成分搬送波の前記少なくとも一つのランダム・アクセス資源を示すために使われる、段階と；
前記ネットワーク装置によって、第二のPDCCHを使って前記端末装置にランダム・アクセス制御情報を送信する段階であって、前記ランダム・アクセス制御情報は、前記プリアンブルを送信するよう前記端末装置をトリガーするために使われる、段階とを含む、
請求項１９記載の方法。
【請求項２１】
プロセッサおよびトランシーバを有する端末装置であって、
前記プロセッサは：L個の成分搬送波を有効化する段階であって、前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である、段階と；上りリンク参照信号送信時間を決定する段階とを実行するよう構成されており；
前記トランシーバは、前記送信時間内にN1個の第二成分搬送波上で上りリンク参照信号を送信するよう構成されており、N1は正の整数であり、N1≦Nであり；
前記プロセッサは、前記送信時間内にM1個の第一成分搬送波上で上りリンク信号を送ることを禁止されるよう構成され、M1は正の整数であり、N1≦M1≦Mである、
端末装置。
【請求項２２】
前記送信時間は、第一のサブフレーム内であり、前記上りリンク参照信号を送信するために使われる少なくとも一つの直交周波数分割多重OFDMシンボルを含む、請求項２１記載の端末装置。
【請求項２３】
前記トランシーバはさらに、ネットワーク装置から第一の指示情報を受信するよう構成され、前記第一の指示情報は、前記N1個の第二成分搬送波を示すために使われる、請求項２１または２２記載の端末装置。
【請求項２４】
前記第一の指示情報は、前記N1個の第二成分搬送波の搬送波識別子を含む；または
前記第一の指示情報はビットマップを含み、前記ビットマップは少なくともNビットを含み、前記Nビットは前記N個の第二成分搬送波に対応し、前記Nビットは前記N1個の第二成分搬送波を示すために使われる；または
前記N個の第二成分搬送波は複数の第二成分搬送波グループに分類され、前記第二成分搬送波グループの少なくとも一つは前記N1個の第二成分搬送波を含み、前記第一の指示情報は前記複数の第二成分搬送波グループの一つを示すための少なくとも一つのビットを含む、
請求項２３記載の端末装置。
【請求項２５】
前記第一の指示情報は、媒体アクセス制御制御要素MAC  CE、第一のPDCCHまたは無線資源制御RRCメッセージにおいて搬送される、請求項２３または２４記載の端末装置。
【請求項２６】
前記第一のサブフレームおよび／または前記少なくとも一つのOFDMシンボルは事前設定されている；または
前記第一のサブフレームおよび／または前記少なくとも一つのOFDMシンボルは、より上位層の信号伝達を使って構成される、
請求項２２ないし２５のうちいずれか一項記載の端末装置。
【請求項２７】
前記プロセッサはさらに、前記送信時間を、前記第一の指示情報に基づいて決定するよう構成され、
前記第一のサブフレームは前記第一の指示情報が受信されるサブフレームの次のサブフレームである；または
前記第一のサブフレームは(n＋k)番目のサブフレームであり、前記第一の指示情報が受信されるサブフレームがサブフレームnであり、kは事前設定されている；または
前記第一のサブフレームは(n＋k)番目のサブフレームであり、n番目のサブフレームは前記第一の指示情報が受信されるサブフレームnであり、前記第一の指示情報はさらに送信時間情報を含み、前記送信時間情報がkを示すために使われる；または
前記N個の第二成分搬送波は複数の第二成分搬送波グループに分類され、前記第二成分搬送波グループの少なくとも一つは前記N1個の第二成分搬送波を含み、異なる送信時間には異なる第二成分搬送波グループが対応する、
請求項２３ないし２５のうちいずれか一項記載の端末装置。
【請求項２８】
前記トランシーバはさらに、前記第一のサブフレームにおけるP個のOFDMシンボルにおいて前記N1個の第二成分搬送波上で前記上りリンク参照信号を送信するよう構成され、
前記プロセッサはさらに、Q個の連続するOFDMシンボルにおいて前記M1個の第一成分搬送波上で前記上りリンク信号を送ることを禁止されるよう構成され、
前記Q個のOFDMシンボルは前記P個のOFDMシンボルを含み、Q＞Pである、
請求項２２ないし２７のうちいずれか一項記載の端末装置。
【請求項２９】
前記トランシーバはさらに：前記端末装置が、前記送信時間内に前記N1個の第二成分搬送波上で前記上りリンク参照信号を送信する前に、前記N1個の第二成分搬送波の少なくとも一つでプリアンブルを送信するよう構成され；
前記トランシーバはさらに、前記プリアンブルに対応するランダム・アクセス応答RARメッセージを受信するよう構成され、前記RARメッセージは上りリンク・タイミング先行量TAを示すために使われる情報を含む；または
前記トランシーバはさらに、前記プリアンブルに対応する第二の指示情報を受信するよう構成され、前記第二の指示情報はTAを示すために使われ、前記第二の指示情報は上りリンク制御情報を含まない、
請求項２１ないし２８のうちいずれか一項記載の端末装置。
【請求項３０】
前記トランシーバはさらに、前記N1個の第二成分搬送波の前記少なくとも一つで前記プリアンブルを送信する前に、前記ネットワーク装置によって送られた構成情報を受信するよう構成され、前記構成情報は、前記N1個の第二成分搬送波の前記少なくとも一つのランダム・アクセス資源を示すために使われ；
前記トランシーバはさらに、第二のPDCCHを使って前記ネットワーク装置によって送られたランダム・アクセス制御情報を受信するよう構成され、前記ランダム・アクセス制御情報は、前記プリアンブルを送信するよう前記トランシーバをトリガーするために使われる、
請求項２９記載の端末装置。
【請求項３１】
プロセッサおよびトランシーバを有するネットワーク装置であって、
前記プロセッサは、端末装置のためのL個の成分搬送波を構成するよう適応されており、前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2であり；
前記トランシーバは、上りリンク参照信号送信時間内にN1個の第二成分搬送波上で前記端末装置から上りリンク参照信号を受信するよう構成され、N1は正の整数であり、N1≦Nであり；
前記プロセッサは、前記送信時間内にM1個の第一成分搬送波上で前記端末装置の上りリンク信号がないことを判別するよう構成され、M1は正の整数であり、N1≦M1≦Mである、
ネットワーク装置。
【請求項３２】
前記送信時間は、第一のサブフレーム内であり、前記上りリンク参照信号を受信するために使われる少なくとも一つの直交周波数分割多重OFDMシンボルを含む、請求項３１記載のネットワーク装置。
【請求項３３】
前記トランシーバは第一の指示情報を前記端末装置に送るようさらに構成され、前記第一の指示情報は、前記N1個の第二成分搬送波を指示するために使われる、請求項３１または３２記載のネットワーク装置。
【請求項３４】
前記第一の指示情報は、前記N1個の第二成分搬送波の搬送波識別子を含む；または
前記第一の指示情報はビットマップを含み、前記ビットマップは少なくともNビットを含み、前記Nビットは前記N個の第二成分搬送波に対応し、前記Nビットは前記N1個の第二成分搬送波を示すために使われる；または
前記N個の第二成分搬送波は複数の第二成分搬送波グループに分類され、前記第二成分搬送波グループの少なくとも一つは前記N1個の第二成分搬送波を含み、前記第一の指示情報は前記複数の第二成分搬送波グループの一つを示すための少なくとも一つのビットを含む、
請求項３３記載のネットワーク装置。
【請求項３５】
前記第一の指示情報は、媒体アクセス制御制御要素MAC  CE、第一のPDCCHまたは無線資源制御RRCメッセージにおいて搬送される、請求項３３または３４記載のネットワーク装置。
【請求項３６】
前記トランシーバは、第一の構成情報を前記端末装置に、より上位層の信号伝達を使って送信し、前記第一の構成情報は、前記第一のサブフレームおよび／または前記少なくとも一つのOFDMシンボルを構成するために使われる、請求項３２ないし３５のうちいずれか一項記載のネットワーク装置。
【請求項３７】
前記第一の指示情報は、前記端末装置について、前記送信時間を示すために使われ；
前記第一のサブフレームは前記端末装置が前記第一の指示情報を受信するサブフレームの次のサブフレームである；または
前記第一のサブフレームは(n＋k)番目のサブフレームであり、前記端末装置が前記第一の指示情報を受信するサブフレームがサブフレームnであり、kは事前設定されている；または
前記第一のサブフレームは(n＋k)番目のサブフレームであり、n番目のサブフレームは前記端末装置が前記第一の指示情報を受信するサブフレームnであり、前記第一の指示情報はさらに送信時間情報を含み、前記送信時間情報がkを示すために使われる；または
前記N個の第二成分搬送波は複数の第二成分搬送波グループに分類され、前記第二成分搬送波グループの少なくとも一つは前記N1個の第二成分搬送波を含み、異なる送信時間には異なる第二成分搬送波グループが対応する、
請求項３３ないし３５のうちいずれか一項記載のネットワーク装置。
【請求項３８】
前記トランシーバはさらに、前記第一のサブフレームにおけるP個のOFDMシンボルにおいて前記N1個の第二成分搬送波上で前記上りリンク参照信号を受信するよう構成され、
前記プロセッサはさらに、Q個の連続するOFDMシンボルにおいて前記M1個の第一成分搬送波上で前記端末装置の上りリンク信号がないことを判別するよう構成され、
前記Q個のOFDMシンボルは前記P個のOFDMシンボルを含み、Q＞Pである、
請求項３２ないし３７のうちいずれか一項記載のネットワーク装置。
【請求項３９】
前記トランシーバはさらに：前記送信時間内に前記N1個の第二成分搬送波上で前記上りリンク参照信号を受信する前に、前記N1個の第二成分搬送波の少なくとも一つでプリアンブルを受信するよう構成され；
前記トランシーバはさらに、前記プリアンブルに対応するランダム・アクセス応答RARメッセージを送信するよう構成され、前記RARメッセージは上りリンク・タイミング先行量TAを示すために使われる情報を含む；または
前記トランシーバはさらに、前記プリアンブルに対応する第二の指示情報を送信するよう構成され、前記第二の指示情報はTAを示すために使われ、前記第二の指示情報は上りリンク制御情報を含まない、
請求項３１ないし３８のうちいずれか一項記載のネットワーク装置。
【請求項４０】
前記トランシーバはさらに：前記N1個の第二成分搬送波の前記少なくとも一つで前記プリアンブルを受信する前に、前記端末装置に第二の構成情報を送信するよう構成され、前記第二の構成情報は、前記N1個の第二成分搬送波の前記少なくとも一つのランダム・アクセス資源を示すために使われ；
前記トランシーバはさらに、第二のPDCCHを使って前記端末装置にランダム・アクセス制御情報を送信するよう構成され、前記ランダム・アクセス制御情報は、前記プリアンブルを送信するよう前記端末装置をトリガーするために使われる、
請求項３９記載のネットワーク装置。
【発明の詳細な説明】
【技術分野】
【０００１】
本発明は、通信システムの分野に、特に上りリンク参照信号送信方法、上りリンク参照信号受信方法および装置に関する。
【背景技術】
【０００２】
無線通信システムにおいて、搬送波集合化（carrier  aggregation、CA）技術はユーザー装置（user  equipment、EP）が複数の搬送波上でデータを同時に送信および受信することを許容する。たとえば、ロングタームエボリューション（Long  Term  Evolution、LTE）システムでは、進化型ノードB（evolved  NodeB、eNB）はUEのために複数の成分搬送波を構成し、UEは集合化された成分搬送波上で上りリンク・データ送信および下りリンク・データ送信をスケジュールしうる。しかしながら、UEの限られた処理機能のため、集合化された成分搬送波の一部のみが、その上で上りリンク・データ送信のスケジューリングが許容される搬送波であり、他の集合化された成分搬送波は、その上で上りリンク・データ送信のスケジューリングが禁止される搬送波である（前記他の成分搬送波についてはUEは上りリンク搬送波を構成しない）。具体的には、その上でUEがデータを同時に受信できる下りリンク搬送波の最大量は、その上でUEがデータを同時に送信できる上りリンク搬送波の最大量より大きいことがある。
【０００３】
図１は、UEが時分割複信（time  division  duplexing、TDD）LTEシステムにおいて五つの成分搬送波をもって構成される集約化事例の概略図である。その上で上りリンク・データ送信のスケジューリングが許容される成分搬送波0および成分搬送波1は上りリンク・サブフレーム、下りリンク・サブフレームおよび特殊サブフレームを含み、成分搬送波2、成分搬送波3および成分搬送波4は、その上で上りリンク・データ送信のスケジューリングが禁止される成分搬送波である。TDD  LTEシステムは、時分割多重の複信モードを使う。同じ周波数帯域で動作する上りリンク・チャネルおよび下りリンク・チャネルのチャネル特性は同様であり、成分搬送波のチャネル特性は、その上で上りリンク・データ送信のスケジューリングが許容される成分搬送波上で測量参照信号（sounding  reference  signal、SPS）を送ることによって得られてもよい。しかしながら、UEはその上で上りリンク・データ送信のスケジューリングが許容される二つの成分搬送波をもって構成されているだけなので、UEは該二つの成分搬送波上でしかSRSを送ることができず、それら二つの成分搬送波のチャネル特性を得ることはできるが、その上で上りリンク・データ送信のスケジューリングが禁止される他の三つの成分搬送波のチャネル特性を得ることはできない。従来技術では、その上で上りリンク・データ送信のスケジューリングが禁止される他の三つの成分搬送波は、その上で上りリンク・データ送信のスケジューリングが許容される成分搬送波として再構成される必要がある。その上で上りリンク・データ送信のスケジューリングが許容される、当該UEのために構成される成分搬送波の量は当該UEの処理能力を超えることはできず、その上で上りリンク・データ送信のスケジューリングが許容されるもとの成分搬送波はさらに、その上で上りリンク・データ送信のスケジューリングが禁止される成分搬送波として構成される必要がある（たとえば、UEおよび／または基地局が、その上で上りリンク・データ送信のスケジューリングが許容される構成された成分搬送波のリストから、その上で上りリンク・データ送信のスケジューリングが許容されるもとの成分搬送波を削除する必要がある）。それにより、その上で上りリンク・データ送信のスケジューリングが禁止される他の三つの成分搬送波のチャネル特性が得られる。たとえば、前記五つの成分搬送波をもって構成されたUEは、前記五つの成分搬送波のうち最大で二つにおいて上りリンク・データの同時送信をサポートできるので、UEは、その上で上りリンク・データ送信のスケジューリングが許容される成分搬送波を最大で二つ構成されることができる。UEは、その上で上りリンク・データ送信のスケジューリングが禁止される、そのUEの他の三つの成分搬送波のチャネル特性を得るためには、そのUEのための成分搬送波を再構成する上記のプロセスを少なくとも二回実行する必要がある。結果として、一連の複雑な信号伝達対話が生成され、UEのパフォーマンスがひどく影響される。
【発明の概要】
【０００４】
本発明の実施形態は、端末装置の成分搬送波のチャネル特性を効率的に報告するよう、上りリンク参照信号送信方法、上りリンク参照信号受信方法および装置を提供する。
【０００５】
第一の側面によれば、上りリンク参照信号送信方法であって：
端末装置によって、L個の成分搬送波を有効化する段階であって、前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である、段階と；
前記端末装置によって、上りリンク参照信号送信時間を決定する段階と；
前記端末装置によって、前記送信時間内にN1個の第二成分搬送波上で上りリンク参照信号を送信する段階であって、N1は正の整数であり、N1≦Nであり；前記送信時間内にM1個の第一成分搬送波上で前記端末装置が上りリンク信号を送ることを禁止し、M1は正の整数であり、N1≦M1≦Mである、段階とを含む、
方法が提供される。
【０００６】
任意的に、前記送信時間は、第一のサブフレーム内であり、前記上りリンク参照信号を送信するために使われる少なくとも一つの直交周波数分割多重OFDMシンボルを含む。
【０００７】
任意的に、本方法はさらに：
前記端末装置によって、ネットワーク装置から第一の指示情報を受信する段階を含み、前記第一の指示情報は、前記N1個の第二成分搬送波および／または前記M1個の第一成分搬送波を指示するために使われる。
【０００８】
任意的に、前記第一の指示情報は、前記N1個の第二成分搬送波の搬送波識別子を含む；または
前記第一の指示情報はビットマップを含み、前記ビットマップは少なくともNビットを含み、前記Nビットは前記N個の第二成分搬送波に対応し、前記Nビットは前記N1個の第二成分搬送波を示すために使われる；または
前記N個の第二成分搬送波は複数の第二成分搬送波グループに分類され、前記第二成分搬送波グループの少なくとも一つは前記N1個の第二成分搬送波を含み、前記第一の指示情報は前記複数の第二成分搬送波グループの一つを示すための少なくとも一つのビットを含む。
【０００９】
任意的に、前記第一の指示情報は、MAC制御要素MAC  CE、第一の物理下りリンク制御チャネルPDCCHまたは無線資源制御RRCメッセージにおいて搬送される。
【００１０】
任意的に、前記第一のサブフレームおよび／または前記少なくとも一つのOFDMシンボルは事前設定されている；または
前記第一のサブフレームおよび／または前記少なくとも一つのOFDMシンボルは、より上位層の信号伝達によって構成される。
【００１１】
任意的に、前記端末装置によって、上りリンク参照信号送信時間を決定する前記段階は：前記端末装置によって、上りリンク参照信号送信時間を、前記第一の指示情報に基づいて決定することを含み、ここで
前記第一のサブフレームは前記第一の指示情報が受信されるサブフレームの次のサブフレームである；または
前記第一のサブフレームは(n＋k)番目のサブフレームであり、前記第一の指示情報が受信されるサブフレームがサブフレームnであり、kは事前設定されている；または
前記第一のサブフレームは(n＋k)番目のサブフレームであり、n番目のサブフレームは前記第一の指示情報が受信されるサブフレームnであり、前記第一の指示情報はさらに送信時間情報を含み、前記送信時間情報がkを示すために使われる；または
前記N個の第二成分搬送波は複数の第二成分搬送波グループに分類され、前記第二成分搬送波グループの少なくとも一つは前記N1個の第二成分搬送波を含み、異なる第一のサブフレームには異なる第二成分搬送波グループが対応する。
【００１２】
任意的に、前記端末装置によって、前記送信時間内にN1個の第二成分搬送波上で上りリンク参照信号を送信することは：
前記端末装置によって、前記第一のサブフレームにおけるP個のOFDMシンボルにおいてN1個の第二成分搬送波上で上りリンク参照信号を送信することを含み、
前記送信時間内にM1個の第一成分搬送波上で前記端末装置は上りリンク信号を送ることを禁止されることは：
Q個の連続するOFDMシンボルにおいてM1個の第一成分搬送波上で前記端末装置が上りリンク信号を送ることを禁止されることを含み、
前記Q個のOFDMシンボルは前記P個のOFDMシンボルを含み、Q＞Pである。
【００１３】
異なる端末装置は異なる処理機能をもち、限られた処理機能のため、端末装置は、時間0での切り換えを実装することはできない。具体的には、端末装置は前記N1個の成分搬送波上で上りリンク参照信号を同じ瞬間に送ることはできず、前記M1個の成分搬送波で同じ瞬間に、上りリンク信号を送ることを禁止されることはできない。よって、前記M1個の成分搬送波上で上りリンク信号の送信が禁止されるOFDMシンボルの量Qは、前記N1個の成分搬送波上で上りリンク参照信号が送られるOFDMシンボルの量Pより多く、前記M1個の成分搬送波上で上りリンク信号の送信が禁止される前記Q個のOFDMシンボルは、前記N1個の成分搬送波上で上りリンク参照信号が送られる前記P個のOFDMシンボルを含む。それにより、上りリンク参照信号が送られる前記P個のOFDMシンボルのために保護時間がリザーブされることができ、それにより、上りリンク参照信号が前記N1個の成分搬送波上で同じ瞬間に送られており、上りリンク信号の送信が同じ瞬間に前記M1個の成分搬送波上では禁止されているために引き起こされる、送信コンフリクトまたは送信失敗が避けられる。
【００１４】
任意的に、前記端末装置によって、前記送信時間内にN1個の第二成分搬送波上で上りリンク参照信号を送信する前記段階の前に、本方法はさらに：
前記端末装置によって、前記N1個の第二成分搬送波の少なくとも一つでプリアンブルを送信する段階と；
前記端末装置によって、前記プリアンブルに対応するランダム・アクセス応答RARメッセージを受信する段階であって、前記RARメッセージは上りリンク・タイミング先行量TAを示すために使われる情報を含む、段階；または
前記端末装置によって、前記プリアンブルに対応する第二の指示情報を受信する段階であって、前記第二の指示情報はTAを示すために使われ、前記第二の指示情報は上りリンク制御情報を含まない、段階とを含む。
【００１５】
任意的に、前記端末装置によって、前記N1個の第二成分搬送波の少なくとも一つでプリアンブルを送信する前記段階の前に、本方法はさらに：
前記端末によって、前記ネットワーク装置によって送られた構成情報を受信する段階であって、前記構成情報は、前記N1個の第二成分搬送波の前記少なくとも一つのランダム・アクセス資源を示すために使われる、段階と；
前記端末装置によって、第二のPDCCHを使って前記ネットワーク装置によって送られたランダム・アクセス制御情報を受信する段階であって、前記ランダム・アクセス制御情報は、前記プリアンブルを送信するよう前記端末装置をトリガーするために使われる、段階とを含む。
【００１６】
第二の側面によれば、上りリンク参照信号受信方法であって：
ネットワーク装置によって、端末装置のためのL個の成分搬送波を構成する段階であって、前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である、段階と；
前記ネットワーク装置によって、上りリンク参照信号送信時間内にN1個の第二成分搬送波上で前記端末装置から上りリンク参照信号を受信し；前記ネットワーク装置によって、前記送信時間内にM1個の第一成分搬送波上で前記端末装置の上りリンク信号がないことを判別する段階であって、N1は正の整数であり、N1≦Nであり；M1は正の整数であり、N1≦M1≦Mである、段階とを含む、
方法が提供される。
【００１７】
任意的に、前記ネットワーク装置は前記送信時間を前記端末装置から受信し、前記送信時間は、前記端末装置によって決定された、前記上りリンク参照信号を送るために使われる時間である。
【００１８】
任意的に、前記送信時間は、第一のサブフレーム内であり、前記上りリンク参照信号を受信するために使われる少なくとも一つの直交周波数分割多重OFDMシンボルを含む。
【００１９】
任意的に、前記ネットワーク装置は第一の指示情報を前記端末装置に送り、前記第一の指示情報は、前記N1個の第二成分搬送波および／または前記M1個の第一成分搬送波を指示するために使われる。
【００２０】
任意的に、前記第一の指示情報は、前記N1個の第二成分搬送波の搬送波識別子を含む；または
前記第一の指示情報はビットマップを含み、前記ビットマップは少なくともNビットを含み、前記Nビットは前記N個の第二成分搬送波に対応し、前記Nビットは前記N1個の第二成分搬送波を示すために使われる；または
前記N個の第二成分搬送波は複数の第二成分搬送波グループに分類され、前記第二成分搬送波グループの少なくとも一つは前記N1個の第二成分搬送波を含み、前記第一の指示情報は前記複数の第二成分搬送波グループの一つを示すための少なくとも一つのビットを含む。
【００２１】
任意的に、前記第一の指示情報は、MAC制御要素MAC  CE、第一のPDCCHまたは無線資源制御RRCメッセージにおいて搬送される。
【００２２】
任意的に、前記ネットワーク装置は、第一の構成情報を前記端末装置に、より上位層の信号伝達を使って送信し、前記第一の構成情報は、前記第一のサブフレームおよび／または前記少なくとも一つのOFDMシンボルを構成するために使われる。
【００２３】
任意的に、前記第一の指示情報は、前記端末装置について、前記上りリンク参照信号を送信するための前記送信時間を示すために使われ；
前記第一のサブフレームは前記端末装置が前記第一の指示情報を受信するサブフレームの次のサブフレームである；または
前記第一のサブフレームは(n＋k)番目のサブフレームであり、前記端末装置が前記第一の指示情報を受信するサブフレームがサブフレームnであり、kは事前設定されている；または
前記第一のサブフレームは(n＋k)番目のサブフレームであり、n番目のサブフレームは前記端末装置が前記第一の指示情報を受信するサブフレームnであり、前記第一の指示情報はさらに送信時間情報を含み、前記送信時間情報がkを示すために使われる；または
前記N個の第二成分搬送波は複数の第二成分搬送波グループに分類され、前記第二成分搬送波グループの少なくとも一つは前記N1個の第二成分搬送波を含み、異なる第一のサブフレームには異なる第二成分搬送波グループが対応する。
【００２４】
任意的に、前記ネットワーク装置によって、送信時間内にN1個の第二成分搬送波上で上りリンク参照信号を受信することは：
前記ネットワーク装置によって、前記第一のサブフレームにおけるP個のOFDMシンボルにおいてN1個の第二成分搬送波上で上りリンク参照信号を受信することを含み、
前記ネットワーク装置によって、前記送信時間内にM1個の第一成分搬送波上で前記端末装置の上りリンク信号がないことを判別することは：
Q個の連続するOFDMシンボルにおいてM1個の第一成分搬送波上で前記ネットワーク装置が上りリンク信号を受信することを禁止することを含み、
前記Q個のOFDMシンボルは前記P個のOFDMシンボルを含み、Q＞Pである。
【００２５】
任意的に、前記ネットワーク装置によって、送信時間内にN1個の第二成分搬送波上で上りリンク参照信号を受信する前記段階の前に、本方法はさらに：
前記ネットワーク装置によって、前記N1個の第二成分搬送波の少なくとも一つでプリアンブルを受信する段階と；
前記ネットワーク装置によって、前記プリアンブルに対応するランダム・アクセス応答RARメッセージを送信する段階であって、前記RARメッセージは上りリンク・タイミング先行量TAを示すために使われる情報を含む、段階；または
前記ネットワーク装置によって、前記プリアンブルに対応する第二の指示情報を送信する段階であって、前記第二の指示情報はTAを示すために使われ、前記第二の指示情報は上りリンク制御情報を含まない、段階とを含む。
【００２６】
任意的に、前記ネットワーク装置によって、前記N1個の第二成分搬送波の少なくとも一つでプリアンブルを受信する前記段階の前に、本方法はさらに：
前記ネットワーク装置によって、前記端末装置に第二の構成情報を送信する段階であって、前記第二の構成情報は、前記N1個の第二成分搬送波の前記少なくとも一つのランダム・アクセス資源を示すために使われる、段階と；
前記ネットワーク装置によって、第二のPDCCHを使って前記端末装置にランダム・アクセス制御情報を送信する段階であって、前記ランダム・アクセス制御情報は、前記プリアンブルを送信するよう前記端末装置をトリガーするために使われる、段階とを含む。
【００２７】
第三の側面によれば、プロセッサおよびトランシーバを含む端末装置が提供され、
前記プロセッサは、L個の成分搬送波を有効化する段階であって、前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である、段階と；上りリンク参照信号送信時間を決定する段階とを実行するよう構成されており；
前記トランシーバは、前記送信時間内にN1個の第二成分搬送波上で上りリンク参照信号を送信するよう構成されており、N1は正の整数であり、N1≦Nであり；
前記プロセッサは、前記送信時間内にM1個の第一成分搬送波上で上りリンク信号を送ることを禁止されるよう構成され、M1は正の整数であり、N1≦M1≦Mである。
【００２８】
任意的に、前記送信時間は、第一のサブフレーム内であり、前記上りリンク参照信号を送信するために使われる少なくとも一つの直交周波数分割多重OFDMシンボルを含む。
【００２９】
任意的に、前記トランシーバはさらに、ネットワーク装置から第一の指示情報を受信するよう構成され、前記第一の指示情報は、前記N1個の第二成分搬送波を示すために使われる。
【００３０】
任意的に、前記第一の指示情報は、前記N1個の第二成分搬送波の搬送波識別子を含む；または
前記第一の指示情報はビットマップを含み、前記ビットマップは少なくともNビットを含み、前記Nビットは前記N個の第二成分搬送波に対応し、前記Nビットは前記N1個の第二成分搬送波を示すために使われる；または
前記N個の第二成分搬送波は複数の第二成分搬送波グループに分類され、前記第二成分搬送波グループの少なくとも一つは前記N1個の第二成分搬送波を含み、前記第一の指示情報は前記複数の第二成分搬送波グループの一つを示すための少なくとも一つのビットを含む。
【００３１】
任意的に、前記第一の指示情報は、媒体アクセス制御制御要素MAC  CE、第一のPDCCHまたは無線資源制御RRCメッセージにおいて搬送される。
【００３２】
任意的に、前記第一のサブフレームおよび／または前記少なくとも一つのOFDMシンボルは事前設定されている；または
前記第一のサブフレームおよび／または前記少なくとも一つのOFDMシンボルは、より上位層の信号伝達によって構成される。
【００３３】
任意的に、前記プロセッサはさらに、上りリンク参照信号送信時間を、前記第一の指示情報に基づいて決定するよう構成され、
前記第一のサブフレームは前記第一の指示情報が受信されるサブフレームの次のサブフレームである；または
前記第一のサブフレームは(n＋k)番目のサブフレームであり、前記第一の指示情報が受信されるサブフレームがサブフレームnであり、kは事前設定されている；または
前記第一のサブフレームは(n＋k)番目のサブフレームであり、n番目のサブフレームは前記第一の指示情報が受信されるサブフレームnであり、前記第一の指示情報はさらに送信時間情報を含み、前記送信時間情報がkを示すために使われる；または
前記N個の第二成分搬送波は複数の第二成分搬送波グループに分類され、前記第二成分搬送波グループの少なくとも一つは前記N1個の第二成分搬送波を含み、異なる第一のサブフレームには異なる第二成分搬送波グループが対応する。
【００３４】
任意的に、前記トランシーバはさらに、前記第一のサブフレームにおけるP個のOFDMシンボルにおいてN1個の第二成分搬送波上で上りリンク参照信号を送信するよう構成され、
前記プロセッサはさらに、Q個の連続するOFDMシンボルにおいてM1個の第一成分搬送波上で上りリンク信号を送ることを禁止されるよう構成され、
前記Q個のOFDMシンボルは前記P個のOFDMシンボルを含み、Q＞Pである。
【００３５】
任意的に、前記トランシーバはさらに、前記送信時間内にN1個の第二成分搬送波上で上りリンク参照信号を送信する前記段階の前に、前記N1個の第二成分搬送波の少なくとも一つでプリアンブルを送信するよう構成され；
前記トランシーバはさらに、前記プリアンブルに対応するランダム・アクセス応答RARメッセージを受信するよう構成され、前記RARメッセージは上りリンク・タイミング先行量TAを示すために使われる情報を含む；または
前記トランシーバはさらに、前記プリアンブルに対応する第二の指示情報を受信するよう構成され、前記第二の指示情報はTAを示すために使われ、前記第二の指示情報は上りリンク制御情報を含まない。
【００３６】
任意的に、前記トランシーバはさらに、前記N1個の第二成分搬送波の少なくとも一つでプリアンブルを送信する段階の前に、前記ネットワーク装置によって送られた構成情報を受信するよう構成され、前記構成情報は、前記N1個の第二成分搬送波の前記少なくとも一つのランダム・アクセス資源を示すために使われ；
前記トランシーバはさらに、第二のPDCCHを使って前記ネットワーク装置によって送られたランダム・アクセス制御情報を受信するよう構成され、前記ランダム・アクセス制御情報は、前記プリアンブルを送信するよう前記トランシーバをトリガーするために使われる。
【００３７】
第四の側面によれば、プロセッサおよびトランシーバを含むネットワーク装置が提供され、
前記プロセッサは、端末装置のためのL個の成分搬送波を構成するよう適応されており、前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2であり；
前記トランシーバは、上りリンク参照信号送信時間内にN1個の第二成分搬送波上で前記端末装置から上りリンク参照信号を受信するよう構成され、N1≦Nであり；
前記プロセッサは、前記送信時間内にM1個の第一成分搬送波上で前記端末装置の上りリンク信号がないことを判別するよう構成され、M1は正の整数であり、N1≦M1≦Mである。
【００３８】
任意的に、前記送信時間は、第一のサブフレーム内であり、前記上りリンク参照信号を受信するために使われる少なくとも一つの直交周波数分割多重OFDMシンボルを含む。
【００３９】
任意的に、前記トランシーバは第一の指示情報を前記端末装置に送るようさらに構成され、前記第一の指示情報は、前記N1個の第二成分搬送波を指示するために使われる。
【００４０】
任意的に、前記第一の指示情報は、前記N1個の第二成分搬送波の搬送波識別子を含む；または
前記第一の指示情報はビットマップを含み、前記ビットマップは少なくともNビットを含み、前記Nビットは前記N個の第二成分搬送波に対応し、前記Nビットは前記N1個の第二成分搬送波を示すために使われる；または
前記N個の第二成分搬送波は複数の第二成分搬送波グループに分類され、前記第二成分搬送波グループの少なくとも一つは前記N1個の第二成分搬送波を含み、前記第一の指示情報は前記複数の第二成分搬送波グループの一つを示すための少なくとも一つのビットを含む。
【００４１】
任意的に、前記第一の指示情報は、MAC  CE、第一のPDCCHまたは無線資源制御RRCメッセージにおいて搬送される。
【００４２】
任意的に、前記トランシーバは、第一の構成情報を前記端末装置に、より上位層の信号伝達を使って送信し、前記第一の構成情報は、前記第一のサブフレームおよび／または前記少なくとも一つのOFDMシンボルを構成するために使われる。
【００４３】
任意的に、前記第一の指示情報は、前記端末装置について、前記上りリンク参照信号を送信するための前記送信時間を示すために使われ；
前記第一のサブフレームは前記端末装置が前記第一の指示情報を受信するサブフレームの次のサブフレームである；または
前記第一のサブフレームは(n＋k)番目のサブフレームであり、前記端末装置が前記第一の指示情報を受信するサブフレームがサブフレームnであり、kは事前設定されている；または
前記第一のサブフレームは(n＋k)番目のサブフレームであり、n番目のサブフレームは前記端末装置が前記第一の指示情報を受信するサブフレームnであり、前記第一の指示情報はさらに送信時間情報を含み、前記送信時間情報がkを示すために使われる；または
前記N個の第二成分搬送波は複数の第二成分搬送波グループに分類され、前記第二成分搬送波グループの少なくとも一つは前記N1個の第二成分搬送波を含み、異なる第一のサブフレームには異なる第二成分搬送波グループが対応する。
【００４４】
任意的に、前記トランシーバはさらに、前記第一のサブフレームにおけるP個のOFDMシンボルにおいてN1個の第二成分搬送波上で上りリンク参照信号を受信するよう構成され、
前記プロセッサはさらに、Q個の連続するOFDMシンボルにおいてM1個の第一成分搬送波上で前記端末装置の上りリンク信号がないことを判別するよう構成され、
前記Q個のOFDMシンボルは前記P個のOFDMシンボルを含み、Q＞Pである。
【００４５】
任意的に、前記トランシーバはさらに、送信時間内にN1個の第二成分搬送波上で上りリンク参照信号を受信する前記段階の前に、前記N1個の第二成分搬送波の少なくとも一つでプリアンブルを受信するよう構成され；
前記トランシーバはさらに、前記プリアンブルが受信された前記少なくとも一つの第二成分搬送波上でランダム・アクセス応答RARメッセージを送信するよう構成され、前記RARメッセージは上りリンク・タイミング先行量TAを示すために使われる情報を含む；または
前記トランシーバはさらに、前記プリアンブルが受信された前記少なくとも一つの第二成分搬送波上で第二の指示情報を送信するよう構成され、前記第二の指示情報はTAを示すために使われ、前記第二の指示情報は上りリンク制御情報を含まない。
【００４６】
任意的に、前記トランシーバはさらに、前記N1個の第二成分搬送波の少なくとも一つでプリアンブルを受信する前に、前記端末装置に第二の構成情報を送信するよう構成され、前記第二の構成情報は、前記N1個の第二成分搬送波の前記少なくとも一つのランダム・アクセス資源を示すために使われ；
前記トランシーバはさらに、第二のPDCCHを使って前記端末装置にランダム・アクセス制御情報を送信するよう構成され、前記ランダム・アクセス制御情報は、前記プリアンブルを送信するよう前記端末装置をトリガーするために使われる。
【００４７】
第五の側面によれば、上りリンク・タイミング先行量TAを得る方法が提供される。本方法は：
端末装置によって、有効化された第二成分搬送波のうちの少なくとも一つでネットワーク装置にプリアンブルを送信する段階であって、前記第二成分搬送波はその上で上りリンク・データ送信のスケジューリングが禁止されている搬送波である、段階と；
前記端末装置によって、前記プリアンブルに対応する第二の指示情報を受信する段階であって、前記第二の指示情報は前記TAを示すために使われる、段階とを含む。
【００４８】
上記の技術的解決策では、端末装置は、上りリンクTAを得るために、その上で上りリンク・データ送信のスケジューリングが禁止されている成分搬送波上でネットワーク装置にプリアンブルを送ることができる。
【００４９】
任意的に、前記第二の指示情報は、上りリンク制御情報を含まない。
【００５０】
したがって、端末装置は、プリアンブルに対応する第二の指示情報を受信し、その第二の指示情報がTAを示すために使われ、第二の指示情報は上りリンク制御情報を含まない。これは、その上で上りリンク・データ送信のスケジューリングが要求されないまたは許されない成分搬送波のために上りリンク制御情報を構成することを避けうる。
【００５１】
任意的に、前記第二の指示情報はRARメッセージであり、前記RARメッセージにおける上りリンク制御情報に対応する値は「0」である。
【００５２】
任意的に、前記第二の指示情報はRARメッセージであり、前記端末装置は、前記RARメッセージにおける上りリンク制御情報を無視する。
【００５３】
任意的に、端末装置によって、有効化された第二成分搬送波のうちの少なくとも一つでプリアンブルを送信する前記段階の前に、本方法はさらに：前記端末装置によって、前記ネットワーク装置から構成情報を受信する段階であって、前記構成情報は、前記少なくとも一つの第二成分搬送波のランダム・アクセス資源を示すために使われる、段階と；前記端末装置によって、物理下りリンク制御チャネルPDCCHを使って前記ネットワーク装置によって送られたランダム・アクセス制御情報を受信する段階であって、前記ランダム・アクセス制御情報は、前記プリアンブルを送信するよう前記端末装置をトリガーするために使われる、段階とを含む。
【００５４】
第六の側面によれば、上りリンク・タイミング先行量TAを送信する方法が提供される。本方法は：
ネットワーク装置によって、第二成分搬送波のうちの少なくとも一つで端末装置からプリアンブルを受信する段階であって、前記第二成分搬送波はその上で上りリンク・データ送信のスケジューリングが禁止されている搬送波である、段階と；
前記ネットワーク装置によって、前記プリアンブルに対応する第二の指示情報を生成する段階であって、前記第二の指示情報は前記TAを示すために使われる、段階と；
前記ネットワーク装置によって、前記第二の指示情報を前記端末装置に送信する段階とを含む。
【００５５】
任意的に、前記第二の指示情報は、上りリンク制御情報を含まない。
【００５６】
任意的に、前記第二の指示情報はRARメッセージであり、前記RARメッセージにおける上りリンク制御情報に対応する値は「0」である。
【００５７】
任意的に、前記第二の指示情報はRARメッセージであり、前記端末装置は、前記RARメッセージにおける上りリンク制御情報を無視する。
【００５８】
第七の側面によれば、プロセッサおよびトランシーバを含む端末装置が提供され；
前記トランシーバは、有効化された第二成分搬送波のうちの少なくとも一つでネットワーク装置にプリアンブルを送信するよう構成され、前記第二成分搬送波はその上で上りリンク・データ送信のスケジューリングが禁止されている搬送波であり；
前記トランシーバはさらに、前記プリアンブルに対応する第二の指示情報を前記ネットワーク装置から受信するよう構成され、前記第二の指示情報は前記TAを示すために使われる。
【００５９】
任意的に、前記第二の指示情報は、上りリンク制御情報を含まない。
【００６０】
任意的に、前記第二の指示情報はRARメッセージであり、前記RARメッセージにおける上りリンク制御情報に対応する値は「0」である。
【００６１】
任意的に、前記第二の指示情報はRARメッセージであり、前記プロセッサは、前記RARメッセージにおける上りリンク制御情報を無視するよう構成される。
【００６２】
任意的に、前記有効化された第二成分搬送波のうちの少なくとも一つでプリアンブルを送信する前に、前記トランシーバはさらに：前記ネットワーク装置から構成情報を受信する段階であって、前記構成情報は、前記少なくとも一つの第二成分搬送波のランダム・アクセス資源を示すために使われる、段階と；物理下りリンク制御チャネルPDCCHを使って前記ネットワーク装置によって送られたランダム・アクセス制御情報を受信する段階であって、前記ランダム・アクセス制御情報は、前記プリアンブルを送信するよう前記トランシーバをトリガーするために使われる、段階とを実行するよう構成される。
【００６３】
第八の側面によれば、プロセッサおよびトランシーバを含むネットワーク装置が提供される；
前記トランシーバは、第二成分搬送波のうちの少なくとも一つで端末装置からプリアンブルを受信するよう構成され、前記第二成分搬送波はその上で上りリンク・データ送信のスケジューリングが禁止されている搬送波であり；
前記プロセッサは、前記プリアンブルに対応する第二の指示情報を生成するよう構成され、前記第二の指示情報はTAを示すために使われ；
前記トランシーバはさらに、前記第二の指示情報を前記端末装置に送信するよう構成される。
【００６４】
任意的に、前記第二の指示情報は、上りリンク制御情報を含まない。
【００６５】
任意的に、前記第二の指示情報はRARメッセージであり、前記RARメッセージにおける上りリンク制御情報に対応する値は「0」である。
【００６６】
任意的に、前記第二の指示情報はRARメッセージであり、前記端末装置は、前記RARメッセージにおける上りリンク制御情報を無視する。
【００６７】
本発明の実施形態における技術的解決策では、端末装置によって有効化されるL個の成分搬送波は、その上で上りリンク・データ送信のスケジューリングが許容されるM個の第一成分搬送波およびその上で上りリンク・データ送信のスケジューリングが禁止されるN個の第二成分搬送波を含む。端末装置は決定された上りリンク参照信号送信時間内にN1個の第二成分搬送波上で上りリンク参照信号を送信し、該送信時間内に前記M個の第一成分搬送波におけるM1個の第一成分搬送波上では上りリンク信号を送ることを禁止される。N1≦M1なので、前記送信時間内に上りリンク信号が送られる成分搬送波の量が、端末装置の処理能力を超えないことが保証され、端末装置が、その上で上りリンク・データ送信のスケジューリングが許容される成分搬送波およびその上で上りリンク・データ送信のスケジューリングが禁止される成分搬送波を再構成する必要がなく、それにより対応する信号伝達のオーバーヘッドおよび複雑な処理手順を回避し、端末装置の成分搬送波のチャネル特性を効率的に報告する。
【００６８】
加えて、本発明の実施形態は、上りリンク・データ送信および再送信を完了し、それによりランダム・アクセス・パフォーマンスを保証するよう、上りリンク・データ送信方法、上りリンク・データ受信方法および装置を提供する。
【００６９】
第九の側面によれば、上りリンク・データ送信方法であって：
端末装置によって、ランダム・アクセス・プリアンブルを送信する段階と；
前記端末装置によって、ランダム・アクセス応答を受信する段階であって、前記ランダム・アクセス応答は第一の上りリンク承認を含む、段階と；
前記端末装置によって、前記第一の上りリンク承認に基づいて上りリンク・データを送信する段階であって、前記端末装置は前記上りリンク・データを、事前に構成されたハイブリッド自動反復要求HARQプロセスを使って送信する、段階とを含む、
方法が提供される。
【００７０】
任意的に、前記HARQプロセスが、前記上りリンク・データおよび他の上りリンク・データの両方を送るために使われる場合、前記端末装置は前記上りリンク・データを前記HARQプロセスを使って送り、さらに、任意的に、前記端末装置は前記他の上りリンク・データを前記HARQプロセスに対応するキャッシュからクリアする。
【００７１】
任意的に、前記端末装置によって上りリンク・データを送信する前記段階の後、本方法はさらに：
前記端末装置によって、第二の上りリンク承認を受信する段階であって、前記第二の上りリンク承認は前記事前に構成されたHARQプロセスの識別子を含む、段階と；
前記端末装置によって、前記第二の上りリンク承認に基づく前記事前に構成されたHARQプロセスを使って前記上りリンク・データを再送信する段階とを含む。
【００７２】
任意的に、前記端末装置によって上りリンク・データを送信する前記段階の後、本方法はさらに：
前記端末装置によって、第二の上りリンク承認を受信する段階であって、前記第二の上りリンク承認は前記HARQプロセスの識別子を含まない、段階と；
前記端末装置によって、前記第二の上りリンク承認に基づく前記事前に構成されたHARQプロセスを使って前記上りリンク・データを再送信する段階とを含む。
【００７３】
任意的に、前記端末装置によって上りリンク・データを送信する前記段階の後、本方法はさらに：
前記端末装置によって、第二の上りリンク承認を受信する段階であって、前記第二の上りリンク承認は任意のHARQプロセスの識別子を含む、段階と；
前記端末装置によって、前記第二の上りリンク承認に基づいて、前記第二の上りリンク承認に含まれる、前記HARQプロセスの前記識別子を無視し、前記事前に構成されたHARQプロセスを使って前記上りリンク・データを再送信する段階とを含む。
【００７４】
任意的に、前記事前に構成されたハイブリッド自動反復要求HARQプロセスの前記識別子は0または1であってもよく、あるいは前記端末装置によって選択されてもよい。
【００７５】
第十の側面によれば、上りリンク・データ受信方法であって：
ネットワーク装置によって、ランダム・アクセス・プリアンブルを受信する段階と；
前記ネットワーク装置によって、ランダム・アクセス応答を送信する段階であって、前記ランダム・アクセス応答は第一の上りリンク承認を含む、段階と；
前記ネットワーク装置によって、前記第一の上りリンク承認に基づいて前記端末装置によって送られた上りリンク・データを受信する段階であって、前記端末装置は前記上りリンク・データを、事前に構成されたハイブリッド自動反復要求HARQプロセスを使って送信する、段階とを含む、
方法が提供される。
【００７６】
任意的に、前記ネットワーク装置が前記上りリンク・データを受信した後、前記ネットワーク装置が前記上りリンク・データを受信しない場合には、本方法はさらに：
前記ネットワーク装置によって、第二の上りリンク承認を送信する段階であって、前記第二の上りリンク承認は前記事前に構成されたHARQプロセスの識別子を含む、段階と；
前記ネットワーク装置によって、前記第二の上りリンク承認に基づく前記事前に構成されたHARQプロセスを使って前記端末送信によって再送信された前記上りリンク・データを受信する段階とを含む。
【００７７】
任意的に、前記ネットワーク装置が前記上りリンク・データを受信した後、前記ネットワーク装置が前記上りリンク・データを受信しない場合には、本方法はさらに：
前記ネットワーク装置によって、第二の上りリンク承認を送信する段階であって、前記第二の上りリンク承認は前記HARQプロセスの識別子を含まない、段階と；
前記ネットワーク装置によって、前記第二の上りリンク承認に基づく前記事前に構成されたHARQプロセスを使って前記端末装置によって再送信された前記上りリンク・データを受信する段階とを含む。
【００７８】
任意的に、前記ネットワーク装置が前記上りリンク・データを受信した後、前記ネットワーク装置が前記上りリンク・データを受信しない場合には、本方法はさらに：
前記ネットワーク装置によって、第二の上りリンク承認を送信する段階であって、前記第二の上りリンク承認は任意のHARQプロセスの識別子を含む、段階と；
前記ネットワーク装置によって、前記第二の上りリンク承認に基づく前記事前に構成されたHARQプロセスを使って前記端末装置によって再送信された前記上りリンク・データを受信する段階であって、前記端末装置は、前記第二の上りリンク承認に含まれる、前記HARQプロセスの前記識別子を無視する、段階とを含む。
【００７９】
任意的に、前記事前に構成されたハイブリッド自動反復要求HARQプロセスの前記識別子は0または1であってもよく、あるいは前記端末装置によって選択されてもよい。
【００８０】
第十一の側面によれば、トランシーバを含む端末装置が提供され、
前記トランシーバは、ランダム・アクセス・プリアンブルを送信するよう構成され；
前記トランシーバは、ランダム・アクセス応答を受信するよう構成され、前記ランダム・アクセス応答は第一の上りリンク承認を含み；
前記トランシーバは、前記第一の上りリンク承認に基づいて上りリンク・データを送信するよう構成され、前記トランシーバは前記上りリンク・データを、事前に構成されたハイブリッド自動反復要求HARQプロセスを使って送信する。
【００８１】
任意的に、前記トランシーバはさらに：前記HARQプロセスが、前記上りリンク・データおよび他の上りリンク・データの両方を送るために使われる場合、前記上りリンク・データを前記HARQプロセスを使って送り、さらに、任意的に、前記他の上りリンク・データを前記HARQプロセスに対応するキャッシュからクリアするよう構成される。
【００８２】
任意的に、前記トランシーバが前記上りリンク・データを送信した後、前記トランシーバはさらに：
前記事前に構成されたHARQプロセスの識別子を含む第二の上りリンク承認を受信し；
前記第二の上りリンク承認に基づく前記事前に構成されたHARQプロセスを使って前記上りリンク・データを再送信するよう構成される。
【００８３】
任意的に、前記端末装置が前記上りリンク・データを送信した後、前記トランシーバはさらに：
前記HARQプロセスの識別子を含まない第二の上りリンク承認を受信し；
前記第二の上りリンク承認に基づく前記事前に構成されたHARQプロセスを使って前記上りリンク・データを再送信するよう構成される。
【００８４】
任意的に、前記端末装置が前記上りリンク・データを送信した後、前記トランシーバはさらに：
任意のHARQプロセスの識別子を含む第二の上りリンク承認を受信し；
前記第二の上りリンク承認に基づいて、前記第二の上りリンク承認に含まれる、前記HARQプロセスの前記識別子を無視し、前記事前に構成されたHARQプロセスを使って前記上りリンク・データを再送信するよう構成される。
【００８５】
任意的に、前記事前に構成されたハイブリッド自動反復要求HARQプロセスの前記識別子は0または1であってもよく、あるいは前記端末装置によって選択されてもよい。
【００８６】
第十二の側面によれば、トランシーバを含むネットワーク装置が提供され、
前記トランシーバは、ランダム・アクセス・プリアンブルを受信するよう構成され；
前記トランシーバは、ランダム・アクセス応答を送信するよう構成され、前記ランダム・アクセス応答は第一の上りリンク承認を含み、
前記トランシーバは、前記第一の上りリンク承認に基づいて前記端末装置によって送られた上りリンク・データを受信するよう構成され、前記端末装置は前記上りリンク・データを、事前に構成されたハイブリッド自動反復要求HARQプロセスを使って送信する。
【００８７】
任意的に、前記ネットワーク装置が前記上りリンク・データを受信した後、前記ネットワーク装置が前記上りリンク・データを受信しない場合には、前記トランシーバはさらに：
前記事前に構成されたHARQプロセスの識別子を含む第二の上りリンク承認を送信し；
前記第二の上りリンク承認に基づく前記事前に構成されたHARQプロセスを使って前記端末送信によって再送信された前記上りリンク・データを受信するよう構成される。
【００８８】
任意的に、前記ネットワーク装置が前記上りリンク・データを受信した後、前記ネットワーク装置が前記上りリンク・データを受信しない場合には、前記トランシーバはさらに：
前記HARQプロセスの識別子を含まない第二の上りリンク承認を送信し；
前記第二の上りリンク承認に基づく前記事前に構成されたHARQプロセスを使って前記端末装置によって再送信された前記上りリンク・データを受信するよう構成される。
【００８９】
任意的に、前記ネットワーク装置が前記上りリンク・データを受信した後、前記ネットワーク装置が前記上りリンク・データを受信しない場合には、前記トランシーバはさらに：
任意のHARQプロセスの識別子を含む第二の上りリンク承認を送信し；
前記第二の上りリンク承認に基づく前記事前に構成されたHARQプロセスを使って前記端末装置によって再送信された前記上りリンク・データを受信するよう構成され、前記端末装置は、前記第二の上りリンク承認に含まれる、前記HARQプロセスの前記識別子を無視する。
【００９０】
任意的に、前記事前に構成されたハイブリッド自動反復要求HARQプロセスの前記識別子は0または1であってもよく、あるいは前記端末装置によって選択されてもよい。
【００９１】
本発明の実施形態では、端末装置は、上りリンク・データを送信するためにどのHARQプロセスが使われるかを簡単に判別する。さらに、ネットワーク側装置も上りリンク・データを再送信するよう端末装置に命令するためにどのHARQプロセスが使われるかを簡単に判別する。それにより、上りリンク・データの信頼性を保証し、HARQプロセスの識別子がランダム・アクセス応答において上りリンク承認に加えられるためにランダム・アクセス応答メッセージのサイズが増し、端末装置がランダム・アクセス応答メッセージを適正に受信できないという問題が回避される。
【図面の簡単な説明】
【００９２】
【図１】従来技術における上りリンク参照信号の送信の概略図である。
【００９３】
【図２】本発明のある実施形態に基づく通信シナリオ図である。
【００９４】
【図３】本発明のある実施形態に基づく第一の概略的な例の図である。
【００９５】
【図４】本発明のある実施形態に基づく第二の概略的な例の図である。
【００９６】
【図５】本発明のある実施形態に基づく第三の概略的な例の図である。
【００９７】
【図６】本発明のある実施形態に基づく第一の端末装置の概略的な構造図である。
【００９８】
【図７】本発明のある実施形態に基づく第二の端末装置の概略的な構造図である。
【００９９】
【図８】本発明のある実施形態に基づく第一のネットワーク装置の概略的な構造図である。
【０１００】
【図９】本発明のある実施形態に基づく第二のネットワーク装置の概略的な構造図である。
【発明を実施するための形態】
【０１０１】
本発明は、ネットワーク装置および端末装置（terminal  deviceまたはterminal  equipment）を含む無線通信システムに適用されうる。端末装置は、ユーザーのための音声および／またはデータ接続性を提供する装置、無線接続機能をもつハンドヘルド装置または無線モデムに接続された別の処理装置であってもよい。無線端末は、無線アクセス・ネットワーク（たとえばRadio  Access  Network、RAN）を使って一つまたは複数のコア・ネットワークと通信してもよい。無線端末は、携帯電話（または「セルラー」電話と称される）のようなモバイル端末またはモバイル端末をもつコンピュータであってもよい。たとえば、無線端末は、無線アクセス・ネットワークと音声および／またはデータを交換するポータブルな、ポケットサイズな、ハンドヘルドの、コンピュータ組み込みのまたは車両内のモバイル装置であってもよい。たとえば、無線端末は、パーソナル通信サービス（personal  communications  service、PCS）電話、コードレス電話、セッション開始プロトコル（Session  Initiation  Protocol、SIP）電話、無線ローカル・ループ（wireless  local  loop、WLL）ステーションまたは携帯情報端末（personal  digital  assistant、PDA）のような装置であってもよい。無線端末は、システム、加入者ユニット（subscriber  unit、SU）、加入者ステーション（subscriber  station、SS）、モバイル・ステーション（mobile  station、MS）、モバイル・コンソール（mobile  station、MS）、リモート・ステーション（remote  station、RS）、アクセス・ポイント（access  point、AP）、リモート端末（remote  terminal、RT）、アクセス端末（access  terminal、AT）、ユーザー端末（user  terminal、UT）、ユーザー・エージェント（user  agent、UA）、ユーザー・デバイスまたはユーザー装置（user  equipment、UE）と称されることもある。ネットワーク装置は、基地局、向上基地局、スケジューリング機能をもつリレー、基地局機能をもつ装置などであってもよい。基地局は、LTEシステムにおける進化型ノードB（evolved  NodeB、eNBまたはeNodeB）または別のシステムにおける基地局であってもよい。これは本発明の実施形態において限定されない。以下の実施形態は、端末装置がUEであり、ネットワーク装置がeNBである例を使って記述される。
【０１０２】
本発明の実施形態はTDD  LTEシステムを例として使って記述されることを注意しておくべきである。しかしながら、そのことは、本発明の実施形態がTDD  LTEシステムのみに適用可能であることを意味するものではない。実のところ、本発明の実施形態において提供される技術的解決策は、いかなるTDD通信システムにも適用されうる。
【０１０３】
下記は、当業者が本発明の実施形態における解決策をよりよく理解できるようにするために、付属の図面および実装を参照して本発明の実施形態をさらに記述する。
【０１０４】
図２は、本発明のある実施形態が実装されうる通信システムの概略的なシナリオ図である。図２における通信システムは単に、本発明のこの実施形態をより明瞭に記述するために与えられる、本発明のこの実施形態が実装されうるシナリオであり、本発明のこの実施形態の適用範囲を限定することは意図されていないことを注意しておくべきである。
【０１０５】
たとえば、図２は、LTEシステムにおける進化型ノードB（evolved  NodeB、eNBまたはeNodeB）およびユーザー装置（user  equipment、UE）を示している。UEはeNBにデータを送ってもよく、さらにeNBからデータを受信してもよい。本発明のこの実施形態が適用されうる別の通信システムはより多くの端末装置を含んでいてもよく、より多くのネットワーク装置をさらに含んでいてもよいことを注意しておくべきである。
【０１０６】
任意的に、LTEシステムにおいて、一つの無線フレームは10個のサブフレームを含み、各サブフレームの長さは1ミリ秒であり、各サブフレームは二つの時間スロットを含み、各時間スロットは0.5ミリ秒である。
【０１０７】
各時間スロットに含まれるシンボルの量は、サブフレームにおける循環プレフィックス（cyclic  prefix、CP）の長さに関係している。CPが通常（normal）CPであれば、各スロットは七つのシンボルを含み、各サブフレームは14個のシンボルを含む。たとえば、各サブフレームは、シーケンス番号がそれぞれ#0、#1、#2、#3、#4、#5、#6、#7、#8、#9、#10、#11、#12、#13であるシンボルを含む。CPが拡張（extended）CPであれば、各時間スロットは六つのシンボルを含み、各サブフレームは12個のシンボルを含む。たとえば、各サブフレームは、シーケンス番号がそれぞれ#0、#1、#2、#3、#4、#5、#6、#7、#8、#9、#10、#11であるシンボルを含む。
【０１０８】
本発明のこの実施形態では、上りリンク・シンボルおよび下りリンク・シンボルはシンボルと称される。たとえば、上りリンク・シンボルは単一搬送波周波数分割多重アクセス（single  carrier  frequency  division  multiple  access、SC-FDMA）シンボルであってもよく、あるいは直交周波数分割多重（orthogonal  frequency  division  multiplexing、OFDM）シンボルであってもよく、下りリンク・シンボルは直交周波数分割多重（orthogonal  frequency  division  multiplexing、OFDM）シンボルであってもよい。
【０１０９】
図３は、本発明のある実施形態に基づく上りリンク参照信号送信方法のフローチャートである。図３の方法は、端末装置（たとえば図２のUE）によって実行される。
【０１１０】
段階３００：端末装置が、L個の成分搬送波を有効化する。前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である。
【０１１１】
段階３０１：端末装置が、上りリンク参照信号送信時間を決定する。
【０１１２】
段階３０２：端末装置が、前記送信時間内にN1個の第二成分搬送波上で上りリンク参照信号を送信する。N1は正の整数であり、N1≦Nであり；端末装置は、前記送信時間内にM1個の第一成分搬送波上で、上りリンク信号を送ることを禁止され、M1は正の整数であり、N1≦M1≦Mである。
【０１１３】
たとえば、第一成分搬送波は、その端末装置のために構成された主要セルに対応する搬送波を含み、第二成分搬送波は、その端末装置のために構成された副次セルに対応する搬送波を含み、搬送波または成分搬送波はセルとも称される。本発明のこの実施形態はそれに限定されない。第一成分搬送波では、上りリンク・データ送信のスケジューリングが許容され、第二成分搬送波では、上りリンク・データ送信のスケジューリングが禁止されていればよい。この記述は他の実施形態にも適用可能であることを注意しておくべきである。
【０１１４】
たとえば、上りリンク参照信号は測量参照信号（sounding  reference  signal、SRS）であってもよいが、本発明のこの実施形態はそれに限定されない。あるいはまた、上りリンク参照信号は別の型の参照信号であってもよい。
【０１１５】
上記の技術的解決策では、端末装置によって有効化されるL個の成分搬送波は、その上で上りリンク・データ送信のスケジューリングが許容されるM個の第一成分搬送波およびその上で上りリンク・データ送信のスケジューリングが禁止されるN個の第二成分搬送波を含む。上りリンク・データ送信のスケジューリングが許容され、端末装置によって有効化される成分搬送波の量Mが端末装置の処理能力を超えないと考えられうる。端末装置は決定された上りリンク参照信号送信時間内にN1個の第二成分搬送波上で上りリンク参照信号を送信し、該送信時間内に前記M個の第一成分搬送波におけるM1個の第一成分搬送波上では上りリンク信号を送ることを禁止される。N1≦M1、つまり前記送信時間内に、上りリンク参照信号が送られる第二成分搬送波の量N1が上りリンク信号の送信が禁止される第一成分搬送波の量M1以下なので、送信時間内に上りリンク信号が送られる成分搬送波の量M＋N1−M1はいまだM以下であることが保証されることができ、送信時間内に上りリンク信号が送られる成分搬送波の量が、端末装置の処理能力を超えないことが保証され、端末装置が、その上で上りリンク・データ送信のスケジューリングが許容される成分搬送波およびその上で上りリンク・データ送信のスケジューリングが禁止される成分搬送波を再構成する必要がなく、それにより対応する信号伝達のオーバーヘッドおよび複雑な処理手順を回避し、端末装置の成分搬送波のチャネル特性を効率的に報告する。
【０１１６】
任意的に、端末装置は、決定された上りリンク参照信号送信時間をネットワーク装置に通知してもよい。このようにして、ネットワーク装置は、端末装置による上りリンク参照信号の送信のための時間を得ることができる。
【０１１７】
ある任意的な実施形態では、段階３０１において端末装置によって決定された上りリンク参照信号送信時間は、第一のサブフレーム内であり、前記上りリンク参照信号を送信するために使われる少なくとも一つのOFDMシンボルを含んでいてもよい。たとえば、端末装置がその間にN1個の第二成分搬送波上で上りリンク参照信号を送信する送信時間は、第一のサブフレームにおける任意のOFDMシンボルであってよく、あるいは第一のサブフレームにおける複数のOFDMシンボルまたは全部のOFDMシンボルであってもよい。端末装置が第一のサブフレームにおける全部のOFDMシンボルで上りリンク参照信号を送るときは、端末装置によって決定された上りリンク参照信号送信時間は第一のサブフレームであると考えられてもよい。任意的に、送信時間はさらに、第二のサブフレームにおける少なくとも一つのOFDMシンボルを含んでいてもよい。たとえば、端末装置がその間にN1個の第二成分搬送波上で上りリンク参照信号を送信する送信時間は、第一のサブフレームにおける最後の三つのOFDMシンボルおよび第二のサブフレームにおける最初の二つのOFDMシンボルであってもよい。前記第一のサブフレームは一つのサブフレームであってもよく、あるいは複数のサブフレーム、たとえば各無線フレームにおける最後のサブフレームであってもよい。この場合、第一のサブフレームは周期的である。同様に、前記第二のサブフレームは一つのサブフレームであってもよく、あるいは複数のサブフレーム、たとえば各無線フレームにおける最初のサブフレームであってもよい。この場合、第二のサブフレームは周期的である。
【０１１８】
本発明のこの実施形態において、前記第一のサブフレームにおける前記少なくとも一つのOFDMシンボルは、端末装置がN1個の第二成分搬送波上で上りリンク参照信号を送る時間領域であることを注意しておくべきである。端末装置が上りリンク参照信号を前記N1個の第二成分搬送波上で前記第一のサブフレームにおける前記少なくとも一つのOFDMシンボルにおいて送る場合と、端末装置が上りリンク参照信号を前記第一のサブフレームにおける前記少なくとも一つのOFDMシンボルにおいて前記N1個の第二成分搬送波上で送る場合とはどちらも、端末装置が上りリンク参照信号を「前記第一のサブフレームにおける前記少なくとも一つのOFDMシンボル」の時間領域において前記N1個の第二成分搬送波上で別個に送ることを示す。
【０１１９】
任意的に、前記第一のサブフレームおよび／または前記少なくとも一つのOFDMシンボルは事前設定される。たとえば、前記第一のサブフレームは、一つの無線フレームにおける任意のサブフレームまたは各無線フレームにおける任意のサブフレームに事前設定されてもよく、それにより、上りリンク参照信号は、事前設定された第一のサブフレームにおける前記少なくとも一つのOFDMシンボルにおいて送られる。たとえば、前記少なくとも一つのOFDMシンボルは、一つのサブフレームにおける最初の三つのOFDMシンボルに事前設定されてもよく、それにより、前記第一のサブフレームが決定された後、上りリンク参照信号は、前記第一のサブフレームにおける最初の三つのOFDMシンボルにおいて送られる。たとえば、ある実施形態では、前記第一のサブフレームおよび前記少なくとも一つのOFDMシンボルは、各無線フレームにおける最後のサブフレームおよび最後のOFDMシンボルに事前設定されてもよい。
【０１２０】
任意的に、前記第一のサブフレームおよび／または前記少なくとも一つのOFDMシンボルは、より上位層の信号伝達を使って構成される。たとえば、前記第一のサブフレームは、より上位層の信号伝達を使って、一つの無線フレームまたは複数の無線フレームにおける任意のサブフレームとして構成されてもよく、それにより、上りリンク参照信号は、構成された第一のサブフレームにおける前記少なくとも一つのOFDMシンボルにおいて送られる。たとえば、前記少なくとも一つのOFDMシンボルは、より上位層の信号伝達を使って、一つのサブフレームにおける最初の三つのOFDMシンボルとして構成されてもよく、それにより、前記第一のサブフレームが決定された後、上りリンク参照信号は、前記第一のサブフレームにおける前記最初の三つのOFDMシンボルにおいて送られる。たとえば、ある実施形態では、前記第一のサブフレームおよび前記少なくとも一つのOFDMシンボルは、より上位層の信号伝達を使って、各無線フレームにおける最後のサブフレームおよび最後のOFDMシンボルとして構成されてもよい。
【０１２１】
ある任意的な実施形態では、段階３０１において端末装置によって決定される上りリンク参照信号送信時間は、上りリンク参照信号を送るために使われる第一のサブフレームにおけるP個のOFDMシンボルを含んでいてもよく、Pは正の整数である。さらに、端末装置が前記送信時間内にM1個の第一成分搬送波上で上りリンク信号を送ることを禁止される段階３０１は：Q個の連続するOFDMシンボルにおいてM1個の第一成分搬送波上で前記端末装置が上りリンク信号を送ることを禁止されることを含み、前記Q個のOFDMシンボルは前記P個のOFDMシンボルを含み、Q＞Pであり、Qは正の整数である。たとえば、端末装置が三つの成分搬送波を有効化し、成分搬送波0および成分搬送波1が第一成分搬送波であり、成分搬送波2が第二成分搬送波である。端末装置は、第一のサブフレームにおける最後の三つのOFDMシンボルにおいて成分搬送波2で上りリンク参照信号を送信し、端末装置は、第一のサブフレームにおける最後の五つのOFDMシンボルにおいて成分搬送波1では、上りリンク信号を送ることを禁止される。つまり、P＝3、Q＝5である。むろん、端末装置はさらに、第一のサブフレームにおける最後の五つのOFDMシンボルおよび第一のサブフレームの次のサブフレームにおける最初の二つのOFDMシンボルにおいて成分搬送波1で、上りリンク信号を送ることを禁止されてもよい。つまり、P＝3、Q＝7である。異なる端末装置は異なる処理能力をもち、限られた処理能力のため、端末装置は、時間0での切り換えを実装することはできない。具体的には、端末装置は前記N1個の成分搬送波上で上りリンク参照信号を同じ瞬間に送ることはできず、前記M1個の成分搬送波で同じ瞬間に、上りリンク信号を送ることを禁止されることはできない。たとえば、端末装置は第一の瞬間に前記N1個の成分搬送波で上りリンク参照信号を送るが、その瞬間に、前記M1個の成分搬送波で同じ瞬間に、上りリンク信号を送ることを禁止されはしない。この場合、同時に上りリンク信号が送られる成分搬送波の量が端末装置の処理能力を超えて、送信コンフリクト、送信失敗などを引き起こすことがある。よって、前記M1個の成分搬送波上で上りリンク信号の送信が禁止されるOFDMシンボルの量Qは、前記N1個の成分搬送波上で上りリンク参照信号が送られるOFDMシンボルの量Pより多く、前記M1個の成分搬送波上で上りリンク信号の送信が禁止される前記Q個のOFDMシンボルは、前記N1個の成分搬送波上で上りリンク参照信号が送られる前記P個のOFDMシンボルを含む。それにより、上りリンク参照信号が送られる前記P個のOFDMシンボルのために保護時間がリザーブされることができ、それにより、上りリンク参照信号が前記N1個の成分搬送波上で同じ瞬間に送られ、上りリンク信号の送信が同じ瞬間に前記M1個の成分搬送波上では禁止されているために引き起こされる、送信コンフリクトまたは送信失敗が避けられる。
【０１２２】
任意的に、前記Q個のOFDMシンボルは動的に設定される。たとえば、前記P個のOFDMシンボルを決定した後、端末装置は、前記P個のOFDMシンボルの前にm個のOFDMシンボルを加え、および／または前記P個のOFDMシンボルの後にn個のOFDMシンボルを加え、それにより前記Q個のOFDMシンボルを形成してもよい。mおよびnはいずれも正の整数である。換言すれば、前記Q個のOFDMシンボルはm＋P個の連続するOFDMシンボルまたはP＋n個の連続するOFDMシンボルまたはm＋P＋n個のOFDMシンボルである。
【０１２３】
ある任意的な実施形態では、端末装置は、ネットワーク装置から第一の指示情報を受信する。前記第一の指示情報は、前記N1個の第二成分搬送波を指示するために使われ、および／または前記第一の指示情報は、前記M1個の第一成分搬送波を指示するために使われる。具体的には、端末装置が前記送信時間内に上りリンク参照信号を送る前記N1個の第二成分搬送波が、ネットワーク装置によって送られる前記第一の指示情報によって示され、および／または端末装置が前記送信時間内に上りリンク信号を送ることを禁止される前記M1個の第一成分搬送波が、ネットワーク装置によって送られる前記第一の指示情報によって示される。
【０１２４】
任意的に、前記第一の指示情報は、前記N1個の第二成分搬送波の搬送波識別子を含む。たとえば、端末装置によって有効化された五つの成分搬送波の識別子はそれぞれ0、1、2、3、4である。成分搬送波0および成分搬送波1が第一成分搬送波であり、成分搬送波2、成分搬送波3および成分搬送波4が第二成分搬送波である。ネットワーク装置によって送られた第一の指示情報は、成分搬送波の識別子2、3、4のうち少なくとも一つを含んでいてもよい。任意的に、第一の指示情報は、前記M1個の第一の成分搬送波の搬送波識別子を含む。たとえば、成分搬送波0および成分搬送波1が第一成分搬送波である。第一の指示情報は、これらの成分搬送波の識別子0および1のうち少なくとも一つを含んでいてもよい。むろん、成分搬送波の識別子はこれらに限定されず、端末装置の成分搬送波はいかなる識別子によって表現されてもよい。
【０１２５】
任意的に、前記第一の指示情報はビットマップ（bitmap）を含み、前記ビットマップは少なくともNビットを含み、前記Nビットは前記N個の第二成分搬送波に対応し、前記Nビットは前記N1個の第二成分搬送波を示すために使われる。たとえば、端末装置は五つの成分搬送波を有効化し、成分搬送波0および成分搬送波1が第一成分搬送波であり、成分搬送波2、成分搬送波3および成分搬送波4が第二成分搬送波である。よって、N1個の第二成分搬送波を示すためには三つのビットが使用されてもよい。該三つのビットはそれぞれ成分搬送波2、成分搬送波3および成分搬送波4に対応する。前記送信時間内にその上で上りリンク参照情報が送られる必要のある成分搬送波に対応するビットの値が「1」であるとすると、「011」はN1＝2を表わす。つまり、前記N1個の第二成分搬送波は成分搬送波3および成分搬送波4である。任意的に、前記ビットマップはさらに、少なくともLビットを含み、該Lビットは端末装置によって有効化されたL個の成分搬送波に対応する。この場合、該Lビットは、前記M1個の第一成分搬送波および前記N1個の第二成分搬送波を示すために使われる。たとえば、成分搬送波0および成分搬送波1が第一成分搬送波であり、成分搬送波2、成分搬送波3および成分搬送波4が第二成分搬送波である。前記送信時間内にその上で上りリンク信号の送信が禁止される第一成分搬送波に対応するビットの値が「0」であり、前記送信時間内にその上で上りリンク参照情報が送られる必要のある第二成分搬送波に対応するビットの値が「1」であるとすると、「10100」はM1＝1、つまり前記M1個の第一成分搬送波が成分搬送波1であること、およびN1＝1、つまり前記N1個の第二成分搬送波が成分搬送波2であることを表わす。
【０１２６】
任意的に、前記N個の第二成分搬送波は複数の第二成分搬送波グループに分類され、前記第二成分搬送波グループの少なくとも一つは前記N1個の第二成分搬送波を含み、前記第一の指示情報は前記複数の第二成分搬送波グループの一つを示すための少なくとも一つのビットを含む。たとえば、端末装置は八つの成分搬送波を有効化し、成分搬送波0、成分搬送波1および成分搬送波2が第一成分搬送波であり、成分搬送波3ないし成分搬送波7が第二成分搬送波である。第二成分搬送波グループ0は成分搬送波3ないし成分搬送波5を含み、第二成分搬送波グループ1は成分搬送波6および成分搬送波7を含む。N1＝3、つまり前記N1個の第二成分搬送波が成分搬送波3ないし成分搬送波5を含むとき、前記第一の指示情報は、前記第二の成分搬送波グループ0を示す一つのビットを含んでいてもよく、該ビットがビット値「0」を使うことによって、前記第二の成分搬送波グループ0を示す。
【０１２７】
ある任意的な実施形態では、前記第一の指示情報は、媒体アクセス制御制御要素（Media  Access  Control  control  element、MAC  CE）、物理下りリンク制御チャネル（physical  downlink  control  channel、PDCCH）または無線資源制御（radio  resource  control、RRC）メッセージにおいて搬送される。たとえば、第一の指示情報はMAC  CEにおいて搬送される。第一の指示情報を搬送するMAC  CEは少なくとも一つのビットを含み、前記少なくとも一つのビットが、前記N1個の第二成分搬送波の少なくとも一つを示すために使われる。前記N1個の第二成分搬送波を示すために一バイトのMAC  CEが使われてもよく、該一バイトのMAC  CEは八ビットを含み、それがそれぞれビット0ないしビット7と記される。ビット7はリザーブされるビットとして使われ、七つのビット、つまりビット0ないし6のうちの一つまたは複数がそれぞれ前記N1個の第二成分搬送波の一つまたは複数に対応し、それにより前記N1個の第二成分搬送波はMAC  CEにおけるビットの値に基づいて示される。たとえば、ビット0ないし6はそれぞれ端末装置によって有効化された成分搬送波0ないし成分搬送波6に対応する。ビット0ないし6のビット値がそれぞれ「0001011」であるとき、それはN1＝3、つまりN1個の成分搬送波がそれぞれ成分搬送波3、成分搬送波5および成分搬送波6であることを示す。それにより、端末装置は、送信時間内に、成分搬送波3、成分搬送波5および成分搬送波6で上りリンク参照信号を送る。あるいはまた、ビット3が端末装置によって有効化された成分搬送波6に対応する。ビット3の値が「1」であるとき、それは端末装置が送信時間内に成分搬送波6で上りリンク参照信号を送ることを示す。ある任意的な実施形態では、MAC  CEにおけるビットと端末装置によって有効化される成分搬送波との間の対応は、RRCメッセージを使って構成されてもよい。ある任意的な実施形態では、MAC  CEは複数のバイトを含む。
【０１２８】
ある任意的な実施形態では、前記端末装置によって、上りリンク参照信号送信時間を決定する前記段階は：前記端末装置によって、上りリンク参照信号送信時間を、前記第一の指示情報に従って決定することを含む。具体的には、前記第一の指示情報は、前記N1個の第二成分搬送波を示すために使われるだけではなく、上りリンク参照信号送信時間を決定するためにも使われてもよい。ある任意的な実施形態では、前記第一のサブフレームは前記第一の指示情報が受信されるサブフレームの次のサブフレームである。この場合、端末装置は、前記第一の指示情報が受信されるサブフレームの次のサブフレームが、上りリンク参照信号を送るために使われる第一のサブフレームであると決定し、決定された前記第一のサブフレームにおける一つまたは複数のOFDMシンボルにおいて、前記N1個の第二成分搬送波上で、上りリンク参照信号を送る。
【０１２９】
ある任意的な実施形態では、前記第一のサブフレームは(n＋k)番目のサブフレームであり、前記第一の指示情報が受信されるサブフレームがサブフレームnであり、kは事前設定されており、kは0または正の整数であり、nは前記第一の指示情報が受信されるサブフレームの識別子である。この場合、端末装置はサブフレームnにおいて第一の指示情報を受信し、次いで、端末装置は(n＋k)番目のサブフレームにおける一つまたは複数のOFDMシンボルにおいて、前記N1個の第二成分搬送波で、上りリンク参照信号を送る。たとえば、k＝0であれば、端末装置はサブフレームnにおいて第一の指示情報を受信し、次いで、該サブフレームnにおける最後のOFDMシンボルにおいて、前記N1個の第二成分搬送波で、上りリンク参照信号を送る。たとえば、k＝5であれば、端末装置はサブフレームnにおいて第一の指示情報を受信し、次いで、サブフレームnの後五つめのサブフレーム、つまり(n＋5)番目のサブフレームにおける一つまたは複数のOFDMシンボルにおいて、前記N1個の第二成分搬送波で、上りリンク参照信号を送る。
【０１３０】
ある任意的な実施形態では、前記第一のサブフレームは(n＋k)番目のサブフレームであり、n番目のサブフレームは前記第一の指示情報が受信されるサブフレームnであり、前記第一の指示情報はさらに送信時間情報を含み、kを示すために使われ、kは0または正の整数であり、nは前記第一の指示情報が受信されるサブフレームの識別子である。この場合、端末装置はサブフレームnにおいて第一の指示情報を受信し、次いで、端末装置は、第一の指示情報によって示される値kに基づいて、(n＋k)番目のサブフレームにおける一つまたは複数のOFDMシンボルにおいて、前記N1個の第二成分搬送波で、上りリンク参照信号を送る。
【０１３１】
ある任意的な実施形態では、前記N個の第二成分搬送波は複数の第二成分搬送波グループに分類され、前記第二成分搬送波グループの少なくとも一つは前記N1個の第二成分搬送波を含み、異なる第一のサブフレームには異なる第二成分搬送波グループが対応する。この場合、端末装置によって受信される第一の指示情報は、前記複数の第二成分搬送波グループの一つを示す。したがって、第一の指示情報によって示される第二成分搬送波グループに対応する第一のサブフレームが、種々の第二成分搬送波グループと種々の第一のサブフレームとの間の対応に基づいて決定されうる。それにより、端末装置は、対応する第一のサブフレームにおいて、前記N1個の第二成分搬送波で、上りリンク参照信号を送る。
【０１３２】
ある任意的な実施形態では、端末装置が、前記送信時間内にN1個の第二成分搬送波上で上りリンク参照信号を送信する段階３０２の前に、本方法はさらに：前記端末装置によって、前記N1個の第二成分搬送波の少なくとも一つでプリアンブルを送信する段階と；前記端末装置によって、前記プリアンブルに対応するランダム・アクセス応答（random  access  response、RAR）メッセージを受信する段階であって、前記RARメッセージは上りリンク・タイミング先行量（time  advance、TA）を示すために使われる情報を含む、段階を含む。上記のようにして、端末装置は、前記N1個の第二成分搬送波の前記少なくとも一つでネットワーク装置にプリアンブルを送り、次いで、RARメッセージを受信し、該RARメッセージから上りリンクTAを取得する。それにより、取得された上りリンクTAに基づいて、前記N1個の第二成分搬送波の前記少なくとも一つで、ネットワーク装置に上りリンク参照情報を適正に送る。
【０１３３】
本発明のこの実施形態において、前記N1個の第二成分搬送波の少なくとも一つでプリアンブルを送信した後、端末装置は、前記M個の第一成分搬送波の少なくとも一つで、プリアンブルに対応するTA情報を受信してもよく、あるいは前記N個の第二成分搬送波の少なくとも一つで、プリアンブルに対応するTA情報を受信してもよいことを注意しておくべきである。これは本発明において限定されない。
【０１３４】
上記の実装において、送信されたプリアンブルに基づいて端末装置によって受信されるRARメッセージは、上りリンク制御情報を含む。たとえば、上りリンク制御情報は上りリンク承認（uplink  grant、ULグラント）である。しかしながら、端末装置は上りリンクTAを取得する必要があるだけであり、上りリンク制御情報に基づいて上りリンク・データ送信をスケジュールする必要はない。よって、任意的に、端末装置は、RARメッセージにおける上りリンク制御情報を無視してもよい。つまり、RARメッセージにおける上りリンク制御情報を識別しない。それにより、端末装置の処理手順を軽減する。任意的に、前記N1個の第二成分搬送波の前記少なくとも一つでネットワーク装置に送信されたプリアンブルをネットワーク装置が受信した後、ネットワーク装置は、生成されるRARメッセージにおける上りリンク制御情報に対応する値を「0」に設定してもよい。それにより、ネットワーク装置の処理手順を軽減する。
【０１３５】
ある任意的な実施形態では、端末装置は、前記プリアンブルに対応する第二の指示情報を受信する。ここで、前記第二の指示情報はTAを示すために使われ、前記第二の指示情報は上りリンク制御情報を含まない。この場合、前記N1個の第二成分搬送波の前記少なくとも一つでプリアンブルを受信した後、ネットワーク装置は該第二の指示情報を生成する。ここで、前記第二の指示情報は上りリンクTAを示すために使われ、前記第二の指示情報は上りリンク制御情報を含まない。ネットワーク装置は、該第二の指示情報を、前記N1個の第二成分搬送波の前記少なくとも一つで端末装置に送る。既存のシステムへの変更を減らすために、前記N1個の第二成分搬送波の前記少なくとも一つでプリアンブルを受信した後、ネットワーク装置はRARメッセージを生成して、該RARメッセージを端末装置に送ってもよいが、端末装置は該RARメッセージを受信しない、あるいは前記N1個の第二成分搬送波の前記少なくとも一つでプリアンブルを受信した後、ネットワーク装置はRARメッセージを生成しない。上記のようにして、端末装置は第二の指示情報を受信し、ここで、前記第二の指示情報は上りリンクTAを示すために使われ、前記第二の指示情報は上りリンク制御情報を含まない。これは、その上で上りリンク・データ送信のスケジューリングが要求されないまたは許されない前記成分搬送波について上りリンク制御情報を構成することを回避しうる。
【０１３６】
ある任意的な実施形態では、第二の指示情報はMAC  CEにおいて搬送される。任意的に、第二の指示情報を搬送するMAC  CEは、事前設定された論理チャネル識別子（logical  channel  identity、LCID）を含む。この場合、事前設定されたLCIDは第二の指示情報に対応する。それにより、端末装置は、事前設定されたLCIDに基づいて、受領されたMAC  CEにおいて搬送される情報が第二の指示情報であるかどうかを判定できる。
【０１３７】
任意的に、端末装置が前記N1個の第二成分搬送波の少なくとも一つでプリアンブルを送信する前記段階の前に、本方法はさらに：前記端末によって、前記ネットワーク装置によって送られた構成情報を受信する段階であって、前記構成情報は、前記N1個の第二成分搬送波の前記少なくとも一つのランダム・アクセス資源を示すために使われる、段階と；前記端末装置によって、物理下りリンク制御チャネルPDCCHを使って前記ネットワーク装置によって送られたランダム・アクセス制御情報を受信する段階であって、前記ランダム・アクセス制御情報は、前記プリアンブルを送信するよう前記端末装置をトリガーするために使われる、段階とを含む。
【０１３８】
図４は、端末装置がネットワーク装置から上りリンクTAを得る方法を与える。
【０１３９】
段階４００：端末装置が、有効化された第二成分搬送波のうちの少なくとも一つでネットワーク装置にプリアンブルを送信する。前記第二成分搬送波はその上で上りリンク・データ送信のスケジューリングが禁止されている搬送波である。
【０１４０】
段階４０１：ネットワーク装置が前記少なくとも一つの第二成分搬送波で前記プリアンブルを受信する。
【０１４１】
段階４０２：ネットワーク装置が前記プリアンブルに対応する第二の指示情報を生成する。第二の指示情報はTAを示すために使われる。
【０１４２】
段階４０３：ネットワーク装置が第二の指示情報を端末装置に送る。
【０１４３】
ネットワーク装置は、前記第二の指示情報を前記M個の第一成分搬送波の少なくとも一つで送ってもよく、あるいは前記第二の指示情報を前記N個の第二成分搬送波の少なくとも一つで送ってもよい。たとえば、端末装置は、前記第二の指示情報を主要搬送波上で端末装置に送ってもよい。これは本発明において限定されない。
【０１４４】
段階４０４：端末装置が、前記第二の指示情報をネットワーク装置から受信する。
【０１４５】
上記の技術的解決策では、端末装置は、上りリンクTAを得るために、その上で上りリンク・データ送信のスケジューリングが禁止されている成分搬送波上でネットワーク装置にプリアンブルを送ることができる。
【０１４６】
任意的に、前記第二の指示情報は、上りリンク制御情報を含まない。したがって、端末装置は、第二の指示情報を受信し、その第二の指示情報が上りリンクTAを示すために使われ、第二の指示情報は上りリンク制御情報を含まない。これは、その上で上りリンク・データ送信のスケジューリングが要求されないまたは許されない成分搬送波のために上りリンク制御情報を構成することを避けうる。任意的に、第二の指示情報はMAC  CEにおいて搬送され、MAC  CEのLCIDは第二の指示情報に対応する。任意的に、LCIDは事前設定される。任意的に、第二の指示情報はRARメッセージであり、該RARメッセージにおける上りリンク制御情報に対応する値は「0」である。
【０１４７】
任意的に、前記第二の指示情報はRARメッセージであり、前記端末装置は、前記RARメッセージにおける上りリンク制御情報を無視する。
【０１４８】
任意的に、端末装置が、有効化された第二成分搬送波のうちの少なくとも一つでプリアンブルを送信する前に、端末装置は、前記ネットワーク装置から構成情報を受信する。ここで、前記構成情報は、前記少なくとも一つの第二成分搬送波のランダム・アクセス資源を示すために使われる。端末装置は、物理下りリンク制御チャネルPDCCHを使って前記ネットワーク装置によって送られたランダム・アクセス制御情報を受信する。ここで、前記ランダム・アクセス制御情報は、前記プリアンブルを送信するよう前記端末装置をトリガーするために使われる。
【０１４９】
図４で与えられている、端末装置がネットワーク装置から上りリンクTAを取得する方法は、端末装置およびネットワーク装置（たとえば図２のUEおよびeNodeB）によって実行されうる。
【０１５０】
たとえば、図４の方法を実行しうる端末装置が提供され、該端末装置はプロセッサおよびトランシーバを含む。
【０１５１】
前記トランシーバは、有効化された第二成分搬送波のうちの少なくとも一つでネットワーク装置にプリアンブルを送信するよう構成され、前記第二成分搬送波はその上で上りリンク・データ送信のスケジューリングが禁止されている搬送波である。
【０１５２】
前記トランシーバはさらに、前記プリアンブルに対応する第二の指示情報を前記ネットワーク装置から受信するよう構成され、前記第二の指示情報はTAを示すために使われる。
【０１５３】
たとえば、図４の方法を実行しうるネットワーク装置が提供され、該ネットワーク装置はプロセッサおよびトランシーバを含む。
【０１５４】
前記トランシーバは、少なくとも一つの第二成分搬送波で端末装置からプリアンブルを受信するよう構成され、前記第二成分搬送波はその上で上りリンク・データ送信のスケジューリングが禁止されている搬送波である。
【０１５５】
前記プロセッサは、前記プリアンブルに対応する第二の指示情報を生成するよう構成され、前記第二の指示情報はTAを示すために使われる。
【０１５６】
前記トランシーバはさらに、前記第二の指示情報を前記端末装置に送信するよう構成される。
【０１５７】
端末装置がネットワーク装置から上りリンクTAを取得する実装およびネットワーク装置が端末装置にTAを示す具体的実装については、方法実施形態における記述が参照されることを注意しておくべきである。端末装置およびネットワーク装置の実施形態は、上記の方法実施形態と同じ概念に基づいており、端末装置およびネットワーク装置によってもたらされる技術的効果は上記の方法実施形態のものと同じである。具体的内容については、上記の方法実施形態における記述を参照されたい。ここで再び詳細を記述することはしない。
【０１５８】
図５は、本発明のある実施形態に基づく、上りリンク参照信号受信方法のフローチャートである。図５の方法はネットワーク装置（たとえば図２におけるeNodeB）によって実行される。本方法は別個の実施形態として使われてもよく、あるいは上記の上りリンク参照信号送信方法と一緒に使われてもよいことを注意しておくべきである。特に断わりのない限り、この実施形態の、上記の実施形態と同じ内容については、上記の実施形態における記述を参照されたい。ここで再び詳細を記述することはしない。この実施形態は以下の段階を含む。
【０１５９】
段階５００：ネットワーク装置が、端末装置のためのL個の成分搬送波を構成する。前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である。
【０１６０】
段階５０１：ネットワーク装置は、上りリンク参照信号送信時間内にN1個の第二成分搬送波上で前記端末装置から上りリンク参照信号を受信する。N1は正の整数であり、N1≦Nである。ネットワーク装置は、前記送信時間内にM1個の第一成分搬送波上で前記端末装置の上りリンク信号がないことを判別する。M1は正の整数であり、N1≦M1≦Mである。
【０１６１】
任意的に、段階５０１の前に、ネットワーク装置は前記送信時間を前記端末装置から受信し、前記送信時間は、前記端末装置によって決定された、前記上りリンク参照信号を送るために使われる時間である。
【０１６２】
ある任意的な実施形態では、前記ネットワーク装置によって、送信時間内にN1個の第二成分搬送波上で上りリンク参照信号を受信することは：前記ネットワーク装置によって、前記第一のサブフレームにおけるP個のOFDMシンボルにおいてN1個の第二成分搬送波上で上りリンク参照信号を受信することを含み；前記ネットワーク装置によって、前記送信時間内にM1個の第一成分搬送波上で前記端末装置の上りリンク信号がないことを判別することは：前記ネットワーク装置によって、Q個の連続するOFDMシンボルにおいてM1個の第一成分搬送波上で前記端末装置の上りリンク信号がないことを判別することを含み、前記Q個のOFDMシンボルは前記P個のOFDMシンボルを含み、Q＞Pである。
【０１６３】
ある任意的な実施形態では、前記ネットワーク装置によって、送信時間内にN1個の第二成分搬送波上で上りリンク参照信号を受信する前記段階の前に、本方法はさらに：前記ネットワーク装置によって、前記N1個の第二成分搬送波の少なくとも一つでプリアンブルを受信する段階と；前記ネットワーク装置によって、前記プリアンブルが受信された前記少なくとも一つの第二成分搬送波上でランダム・アクセス応答RARメッセージを送信する段階であって、前記RARメッセージは上りリンク・タイミング先行量TAを示すために使われる情報を含む、段階とを含む。上記のようにして、ネットワーク装置は、前記N1個の第二成分搬送波の前記少なくとも一つで端末装置からプリアンブルを受信し、次いで、前記少なくとも一つの第二成分搬送波で前記RARメッセージを送信し、端末装置は該RARメッセージから上りリンクTAを取得し、取得された上りリンクTAに基づいて、前記N1個の第二成分搬送波の前記少なくとも一つで、ネットワーク装置に上りリンク参照情報を適正に送る。
【０１６４】
任意的に、ネットワーク装置は、前記プリアンブルが受信された前記少なくとも一つの第二成分搬送波上で第二の指示情報を送信する。前記第二の指示情報はTAを示すために使われ、前記第二の指示情報は上りリンク制御情報を含まない。この場合、前記N1個の第二成分搬送波の前記少なくとも一つでプリアンブルを受信した後、ネットワーク装置は該第二の指示情報を生成する。ここで、前記第二の指示情報はTAを示すために使われ、前記第二の指示情報は上りリンク制御情報を含まない。ネットワーク装置は、該第二の指示情報を、前記N1個の第二成分搬送波の前記少なくとも一つで端末装置に送る。
【０１６５】
任意的に、ネットワーク装置は、前記端末装置に第二の構成情報を送信する。前記第二の構成情報は、前記N1個の第二成分搬送波の前記少なくとも一つのランダム・アクセス資源を示すために使われる。ネットワーク装置は、第二のPDCCHを使って前記端末装置にランダム・アクセス制御情報を送信する。前記ランダム・アクセス制御情報は、前記プリアンブルを送信するよう前記端末装置をトリガーするために使われる。
【０１６６】
本発明のある実施形態はさらに、上記の実施形態を実装するよう端末装置を提供する。端末装置は上記の実施形態における方法を実行できることを注意しておくべきである。よって、端末装置の具体的詳細については、上記の実施形態における記述を参照されたい。簡潔のため、同じ内容を下記で再び述べることはしない。
【０１６７】
図６に示されるように、端末装置はプロセッサおよびトランシーバを含んでいてもよい。むろん、端末装置はさらにメモリなどを含んでいてもよい。
【０１６８】
前記プロセッサは：L個の成分搬送波を有効化する段階であって、前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である、段階と；上りリンク参照信号送信時間を決定する段階とを実行するよう構成される。
【０１６９】
前記トランシーバは、前記送信時間内にN1個の第二成分搬送波上で上りリンク参照信号を送信するよう構成されており、N1は正の整数であり、N1≦Nである。
【０１７０】
前記プロセッサは、前記送信時間内にM1個の第一成分搬送波上で上りリンク信号を送ることを禁止されるよう構成され、M1は正の整数であり、N1≦M1≦Mである。
【０１７１】
本発明のある実施形態はさらに、上記の実施形態を実装するよう別の端末装置を提供する。端末装置は上記の実施形態における方法を実行できることを注意しておくべきである。よって、端末装置の具体的詳細については、上記の実施形態における記述を参照されたい。簡潔のため、同じ内容を下記で再び述べることはしない。
【０１７２】
図７に示されるように、端末装置は処理モジュールおよびトランシーバ・モジュールを含んでいてもよい。むろん、端末装置はさらに記憶モジュールなどを含んでいてもよい。
【０１７３】
前記処理モジュールは：L個の成分搬送波を有効化する段階であって、前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である、段階と；上りリンク参照信号送信時間を決定する段階とを実行するよう構成される。
【０１７４】
前記トランシーバ・モジュールは、前記送信時間内にN1個の第二成分搬送波上で上りリンク参照信号を送信するよう構成されており、N1は正の整数であり、N1≦Nである。
【０１７５】
前記処理モジュールは、前記送信時間内にM1個の第一成分搬送波上で上りリンク信号を送ることを禁止されるよう構成され、M1は正の整数であり、N1≦M1≦Mである。
【０１７６】
ある任意的な実施形態では、前記トランシーバまたは前記トランシーバ・モジュールはさらに、ネットワーク装置から第一の指示情報を受信するよう構成される。前記第一の指示情報は、前記N1個の第二成分搬送波を示すために使われる、および／または前記第一の指示情報は、前記M1個の第一成分搬送波を指示するために使われる。
【０１７７】
端末装置がL個の成分搬送波を有効化し、決定された送信時間内にN1個の第二成分搬送波上で上りリンク参照信号を送信し、決定された送信時間内にM1個の第一成分搬送波上で上りリンク信号を送ることを禁止される具体的な実装については、方法実施形態における記述が参照されることを注意しておくべきである。端末装置のこの実施形態は、上記の方法実施形態と同じ概念に基づいており、端末装置によってもたらされる技術的効果は本発明の方法実施形態のものと同じである。具体的内容については、本発明の方法実施形態における記述を参照されたい。ここで再び詳細を記述することはしない。
【０１７８】
本発明のある実施形態はさらに、上記の実施形態を実装するようネットワーク装置を提供する。ネットワーク装置は上記の実施形態における方法を実行できることを注意しておくべきである。よって、ネットワーク装置の具体的詳細については、上記の実施形態における記述を参照されたい。簡潔のため、同じ内容を下記で再び述べることはしない。
【０１７９】
図８に示されるように、ネットワーク装置はプロセッサおよびトランシーバを含んでいてもよい。むろん、ネットワーク装置はさらにメモリなどを含んでいてもよい。
【０１８０】
前記プロセッサは、端末装置のためのL個の成分搬送波を構成するよう適応される。前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である。
【０１８１】
前記トランシーバは、上りリンク参照信号送信時間内にN1個の第二成分搬送波上で前記端末装置から上りリンク参照信号を受信するよう構成され、N1≦Nである。
【０１８２】
前記プロセッサは、前記送信時間内にM1個の第一成分搬送波上で前記端末装置の上りリンク信号がないことを判別するよう構成され、M1は正の整数であり、N1≦M1≦Mである。
【０１８３】
本発明のある実施形態はさらに、上記の実施形態を実装するよう別のネットワーク装置を提供する。ネットワーク装置は上記の実施形態における方法を実行できることを注意しておくべきである。よって、ネットワーク装置の具体的詳細については、上記の実施形態における記述を参照されたい。簡潔のため、同じ内容を下記で再び述べることはしない。
【０１８４】
図９に示されるように、ネットワーク装置は処理モジュールおよびトランシーバ・モジュールを含んでいてもよい。むろん、ネットワーク装置はさらに記憶モジュールなどを含んでいてもよい。
【０１８５】
前記処理モジュールは、端末装置のためのL個の成分搬送波を構成するよう適応される。前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である。
【０１８６】
前記トランシーバ・モジュールは、上りリンク参照信号送信時間内にN1個の第二成分搬送波上で前記端末装置から上りリンク参照信号を受信するよう構成され、N1≦Nである。
【０１８７】
前記処理モジュールは、前記送信時間内にM1個の第一成分搬送波上で前記端末の上りリンク信号がないことを判別するよう構成され、M1は正の整数であり、N1≦M1≦Mである。
【０１８８】
ある任意的な実施形態では、前記トランシーバまたは前記トランシーバ・モジュールはさらに、第一の指示情報を前記端末装置に送るよう構成される。前記第一の指示情報は、前記N1個の第二成分搬送波を示すために使われる、および／または前記第一の指示情報は、前記M1個の第一成分搬送波を指示するために使われる。
【０１８９】
ネットワーク装置が、端末装置のためのL個の成分搬送波を構成し、上りリンク参照信号送信時間内にN1個の第二成分搬送波上で前記端末装置から上りリンク参照信号を受信し、前記送信時間内にM1個の第一成分搬送波上で前記端末装置から上りリンク信号を受信することを禁止される具体的な実装については、方法実施形態における記述が参照ることを注意しておくべきである。ネットワーク装置のこの実施形態は、上記の方法実施形態と同じ概念に基づいており、ネットワーク装置によってもたらされる技術的効果は本発明の方法実施形態のものと同じである。具体的内容については、本発明の方法実施形態における記述を参照されたい。ここで再び詳細を記述することはしない。
【０１９０】
さらに、マシン型通信技術においては、低コスト端末装置またはカバレッジ向上モードにある端末装置は、上りリンク方向において非同期HARQを使う。端末装置が上りリンク・データを送った後、ネットワーク装置は対応するデータのフィードバック情報を送らない。ネットワーク装置が上りリンク・データを受け取り損ねる場合、ネットワーク装置は、明示的な上りリンク承認を使うことによって、端末装置に、上りリンク・データを再送するよう命令する。非同期HARQ機構は、ライセンスされた支援されたアクセス（License  assist  access）システムにおいても導入されている。
【０１９１】
同期HARQに比べて、ある送信時間区間において使用される非同期HARQプロセスが該送信時間区間に関連付けられるのではなく、該送信時間区間において使用される非同期HARQプロセスは、上りリンク承認において搬送される、HARQプロセスの識別子を使って決定される。よって、端末装置によって実行される新たな上りリンク送信または上りリンク再送信をスケジュールするために使われる上りリンク承認は、端末装置によって使用される必要のあるHARQプロセスの識別子を搬送する必要がある。
【０１９２】
ランダム・アクセス・プロセスでは、端末装置は、ランダム・アクセス応答に含まれる上りリンク承認に基づいて上りリンク・データを送る。ネットワーク装置が該上りリンク・データを受信し損なう場合、ネットワーク側装置は、明示的な上りリンク承認を送ることによって、端末装置に、該上りリンク・データを再送信するよう命令するよう構成されてもよい。
【０１９３】
この場合、ランダム・アクセス・プロセスが競合ベースのランダム・アクセス・プロセスであれば、ネットワーク装置は、一時セル無線ネットワーク一時識別子（Temporary  Cell  Radio  network  temporary  identity）を使うことによって、上りリンク・データを再送信するよう端末装置に命令するために使われる明示的な上りリンク承認をマスクする。ランダム・アクセス・プロセスが非競合ベースのランダム・アクセス・プロセスであれば、ネットワーク装置は、端末装置のセル無線ネットワーク一時識別子（Cell  Radio  network  temporary  identity）を使うことによって、上りリンク・データを再送信するよう端末装置に命令するために使われる明示的な上りリンク承認をマスクする。
【０１９４】
端末装置は、明示的な上りリンク承認を受信した後、上りリンク・データを再送信する。
【０１９５】
しかしながら、ランダム・アクセス応答に含まれる上りリンク承認はHARQプロセスの識別子を担持しないので、UEは、HARQプロセスの識別子に基づいて、上りリンク・データを送るためのHARQプロセスを決定することができない。加えて、ネットワーク装置は、上りリンク・データを送るためにUEによってどのHARQプロセスが使われるかを知らない。さらに、上りリンク・データを再送信するよう端末装置に命令するために使われる明示的な上りリンク承認を送るとき、ネットワーク装置は、上りリンク・データを再送信するよう端末装置に命令するために使われる明示的な上りリンク承認に含まれる、HARQプロセスの識別子を決定することができない。上りリンク・データを再送信するよう端末装置に命令するために使われる明示的な上りリンク承認に含まれる、HARQプロセスの識別子が、端末装置がランダム・アクセス応答における上りリンク承認に基づいて上りリンク・データを送るHARQプロセスと整合しない場合には、端末装置が上りリンク・データを再送信し損ない、ランダム・アクセス・パフォーマンスに影響することがありうる。
【０１９６】
本発明の実施形態は、上りリンク・データ送信方法、上りリンク・データ受信方法および装置を提供し、上りリンク・データ送信および再送信を完了し、それによりランダム・アクセス・パフォーマンスを保証する。
【０１９７】
ある実施形態では、上りリンク・データ送信方法であって：
端末装置によって、ランダム・アクセス・プリアンブルを送信する段階と；
前記端末装置によって、ランダム・アクセス応答を受信する段階であって、前記ランダム・アクセス応答は第一の上りリンク承認を含む、段階と；
前記端末装置によって、前記第一の上りリンク承認に基づいて上りリンク・データを送信する段階であって、前記端末装置は前記上りリンク・データを、事前に構成されたハイブリッド自動反復要求HARQプロセスを使って送信する、段階とを含む、
方法が提供される。
【０１９８】
任意的に、前記端末装置によって上りリンク・データを送信する前記段階の後、本方法はさらに：
前記端末装置によって、第二の上りリンク承認を受信する段階であって、前記第二の上りリンク承認は前記事前に構成されたHARQプロセスの識別子を含む、段階と；
前記端末装置によって、前記第二の上りリンク承認に基づく前記事前に構成されたHARQプロセスを使って前記上りリンク・データを再送信する段階とを含む。
【０１９９】
任意的に、前記HARQプロセスが、前記上りリンク・データおよび他の上りリンク・データの両方を送るために使われる場合、前記端末装置は前記上りリンク・データを前記HARQプロセスを使って送り、さらに、任意的に、前記端末装置は前記他の上りリンク・データを前記HARQプロセスに対応するキャッシュからクリアする。
【０２００】
任意的に、前記端末装置によって上りリンク・データを送信する前記段階の後、本方法はさらに：
前記端末装置によって、第二の上りリンク承認を受信する段階であって、前記第二の上りリンク承認は前記HARQプロセスの識別子を含まない、段階と；
前記端末装置によって、前記第二の上りリンク承認に基づく前記事前に構成されたHARQプロセスを使って前記上りリンク・データを再送信する段階とを含む。
【０２０１】
任意的に、前記端末装置によって上りリンク・データを送信する前記段階の後、本方法はさらに：
前記端末装置によって、第二の上りリンク承認を受信する段階であって、前記第二の上りリンク承認は任意のHARQプロセスの識別子を含む、段階と；
前記端末装置によって、前記第二の上りリンク承認に基づいて、前記第二の上りリンク承認に含まれる、前記HARQプロセスの前記識別子を無視し、前記事前に構成されたHARQプロセスを使って前記上りリンク・データを再送信する段階とを含む。
【０２０２】
任意的に、前記事前に構成されたハイブリッド自動反復要求HARQプロセスの前記識別子は0または1であってもよく、あるいは前記端末装置によって選択されてもよい。
【０２０３】
ある実施形態では、上りリンク・データ受信方法であって：
ネットワーク装置によって、ランダム・アクセス・プリアンブルを受信する段階と；
前記ネットワーク装置によって、ランダム・アクセス応答を送信する段階であって、前記ランダム・アクセス応答は第一の上りリンク承認を含む、段階と；
前記ネットワーク装置によって、前記第一の上りリンク承認に基づいて前記端末装置によって送られた上りリンク・データを受信する段階であって、前記端末装置は前記上りリンク・データを、事前に構成されたハイブリッド自動反復要求HARQプロセスを使って送信する、段階とを含む、
方法が提供される。
【０２０４】
任意的に、前記ネットワーク装置が前記上りリンク・データを受信した後、前記ネットワーク装置が前記上りリンク・データを受信しない場合には、本方法はさらに：
前記ネットワーク装置によって、第二の上りリンク承認を送信する段階であって、前記第二の上りリンク承認は前記事前に構成されたHARQプロセスの識別子を含む、段階と；
前記ネットワーク装置によって、前記第二の上りリンク承認に基づく前記事前に構成されたHARQプロセスを使って前記端末送信によって再送信された前記上りリンク・データを受信する段階とを含む。
【０２０５】
任意的に、前記ネットワーク装置が前記上りリンク・データを受信した後、前記ネットワーク装置が前記上りリンク・データを受信しない場合には、本方法はさらに：
前記ネットワーク装置によって、第二の上りリンク承認を送信する段階であって、前記第二の上りリンク承認は前記HARQプロセスの識別子を含まない、段階と；
前記ネットワーク装置によって、前記第二の上りリンク承認に基づく前記事前に構成されたHARQプロセスを使って前記端末装置によって再送信された前記上りリンク・データを受信する段階とを含む。
【０２０６】
任意的に、前記ネットワーク装置が前記上りリンク・データを受信した後、前記ネットワーク装置が前記上りリンク・データを受信しない場合には、本方法はさらに：
前記ネットワーク装置によって、第二の上りリンク承認を送信する段階であって、前記第二の上りリンク承認は任意のHARQプロセスの識別子を含む、段階と；
前記ネットワーク装置によって、前記第二の上りリンク承認に基づく前記事前に構成されたHARQプロセスを使って前記端末装置によって再送信された前記上りリンク・データを受信する段階であって、前記端末装置は、前記第二の上りリンク承認に含まれる、前記HARQプロセスの前記識別子を無視する、段階とを含む。
【０２０７】
任意的に、前記事前に構成されたハイブリッド自動反復要求HARQプロセスの前記識別子は0または1であってもよく、あるいは前記端末装置によって選択されてもよい。
【０２０８】
ある実施形態では、トランシーバを含む端末装置が提供される。
【０２０９】
前記トランシーバは、ランダム・アクセス・プリアンブルを送信するよう構成される。
【０２１０】
前記トランシーバは、ランダム・アクセス応答を受信するよう構成され、前記ランダム・アクセス応答は第一の上りリンク承認を含む。
【０２１１】
前記トランシーバは、前記第一の上りリンク承認に基づいて上りリンク・データを送信するよう構成され、前記トランシーバは前記上りリンク・データを、事前に構成されたハイブリッド自動反復要求HARQプロセスを使って送信する。
【０２１２】
任意的に、前記トランシーバはさらに：前記HARQプロセスが、前記上りリンク・データおよび他の上りリンク・データの両方を送るために使われる場合、前記上りリンク・データを前記HARQプロセスを使って送り、さらに、任意的に、前記他の上りリンク・データを前記HARQプロセスに対応するキャッシュからクリアするよう構成される。
【０２１３】
任意的に、前記端末装置が前記上りリンク・データを送信した後、前記トランシーバはさらに：
前記事前に構成されたHARQプロセスの識別子を含む第二の上りリンク承認を受信し；
前記第二の上りリンク承認に基づく前記事前に構成されたHARQプロセスを使って前記上りリンク・データを再送信するよう構成される。
【０２１４】
任意的に、前記端末装置が前記上りリンク・データを送信した後、前記トランシーバはさらに：
前記HARQプロセスの識別子を含まない第二の上りリンク承認を受信し；
前記第二の上りリンク承認に基づく前記事前に構成されたHARQプロセスを使って前記上りリンク・データを再送信するよう構成される。
【０２１５】
任意的に、前記端末装置が前記上りリンク・データを送信した後、前記トランシーバはさらに：
任意のHARQプロセスの識別子を含む第二の上りリンク承認を受信し；
前記第二の上りリンク承認に基づいて、前記第二の上りリンク承認に含まれる、前記HARQプロセスの前記識別子を無視し、前記事前に構成されたHARQプロセスを使って前記上りリンク・データを再送信するよう構成される。
【０２１６】
任意的に、前記事前に構成されたハイブリッド自動反復要求HARQプロセスの前記識別子は0または1であってもよく、あるいは前記端末装置によって選択されてもよい。
【０２１７】
ある実施形態では、トランシーバを含むネットワーク装置が提供される。
【０２１８】
前記トランシーバは、ランダム・アクセス・プリアンブルを受信するよう構成される。
【０２１９】
前記トランシーバは、ランダム・アクセス応答を送信するよう構成され、前記ランダム・アクセス応答は第一の上りリンク承認を含む。
【０２２０】
前記トランシーバは、前記第一の上りリンク承認に基づいて前記端末装置によって送られた上りリンク・データを受信するよう構成され、前記端末装置は前記上りリンク・データを、事前に構成されたハイブリッド自動反復要求HARQプロセスを使って送信する。
【０２２１】
任意的に、前記ネットワーク装置が前記上りリンク・データを受信した後、前記ネットワーク装置が前記上りリンク・データを受信しない場合には、前記トランシーバはさらに：
前記事前に構成されたHARQプロセスの識別子を含む第二の上りリンク承認を送信し；
前記第二の上りリンク承認に基づく前記事前に構成されたHARQプロセスを使って前記端末送信によって再送信された前記上りリンク・データを受信するよう構成される。
【０２２２】
任意的に、前記ネットワーク装置が前記上りリンク・データを受信した後、前記ネットワーク装置が前記上りリンク・データを受信しない場合には、前記トランシーバはさらに：
前記HARQプロセスの識別子を含まない第二の上りリンク承認を送信し；
前記第二の上りリンク承認に基づく前記事前に構成されたHARQプロセスを使って前記端末装置によって再送信された前記上りリンク・データを受信するよう構成される。
【０２２３】
任意的に、前記ネットワーク装置が前記上りリンク・データを受信した後、前記ネットワーク装置が前記上りリンク・データを受信しない場合には、前記トランシーバはさらに：
任意のHARQプロセスの識別子を含む第二の上りリンク承認を送信し；
前記第二の上りリンク承認に基づく前記事前に構成されたHARQプロセスを使って前記端末装置によって再送信された前記上りリンク・データを受信するよう構成され、前記端末装置は、前記第二の上りリンク承認に含まれる、前記HARQプロセスの前記識別子を無視する。
【０２２４】
任意的に、前記事前に構成されたハイブリッド自動反復要求HARQプロセスの前記識別子は0または1であってもよく、あるいは前記端末装置によって選択されてもよい。
【０２２５】
本発明のこの実施形態では、端末装置は、上りリンク・データを送信するためにどのHARQプロセスが使われるかを簡単に判別する。さらに、ネットワーク側装置も上りリンク・データを再送信するよう端末装置に命令するためにどのHARQプロセスが使われるかを簡単に判別する。それにより、上りリンク・データの信頼性を保証し、HARQプロセスの識別子がランダム・アクセス応答において上りリンク承認に加えられるためにランダム・アクセス応答メッセージのサイズが増し、端末装置がランダム・アクセス応答メッセージを適正に受信できないという問題が回避される。
【０２２６】
本発明のこの実施形態が、非同期HARQを使ういかなるシステムにも適用可能であり、マシン型通信に限定されないことを注意しておくべきである。
【０２２７】
本発明のすべての実施形態におけるプロセッサは、中央処理ユニット（central  processing  unit、CPU）であってもよく、あるいは別の汎用プロセッサ、デジタル信号プロセッサ（digital  signal  processor、DSP）、特定用途向け集積回路（application-specific  integrated  circuit、ASIC）、フィールドプログラマブルゲートアレイ（field-programmable  gate  array、FPGA）または別のプログラム可能な論理デバイス、離散ゲートもしくはトランジスタ論理デバイス、離散ハードウェア・コンポーネントなどであってもよいことが理解されるべきである。さらに、本発明の上記の諸実施形態におけるネットワーク装置および端末装置はさらに、メモリのようなコンポーネントを含んでいてもよい。本願でいうメモリは、読み出し専用メモリおよびランダム・アクセス・メモリを含んでいてもよく、プロセッサのための命令およびデータを含んでいてもよい。メモリの一部はさらに、不揮発性ランダム・アクセス・メモリを含んでいてもよい。たとえば、メモリはさらに、装置の型の情報を記憶してもよい。プロセッサはメモリ内の命令コードを呼び出し、本発明の諸実施形態におけるネットワーク装置およびユーザー装置の他のモジュールを、上記の動作を実行するよう制御する。
【０２２８】
明細書全体において言及される「ある実施形態」、「一つの実施形態」または「本発明のこの実施形態」は該実施形態に関係する特定の特徴、構造または特性が本発明の少なくとも一つの実施形態に含まれることを意味することを理解しておくべきである。よって、明細書の随所に現われる「ある実施形態では」、「一つの実施形態では」または「本発明のこの実施形態では」は、同じ実施形態を指すのではない。さらに、これら特定の特徴、構造または特性は、いかなる適切な仕方を使って一つまたは複数の実施形態において組み合わされてもよい。
【０２２９】
上記のプロセスの逐次番号は、本発明のさまざまな実施形態における実行順を意味するものではないことを理解しておくべきである。プロセスの実行順は、それらのプロセスの機能および内部論理に基づいて決定されるべきであり、本発明の実施形態の実装プロセスに対するいかなる限定としても解釈されるべきではない。
【０２３０】
さらに、用語「システム」および「ネットワーク」は、本明細書において交換可能に使われることがある。本明細書における「および／または」は、関連するオブジェクトを記述するための関連関係を記述し、三つの関係が存在しうることを表わすことを理解しておくべきである。たとえば、Aおよび／またはBは、以下の三つの場合を表わしうる：Aのみが存在、AおよびBの両方が存在、およびBのみが存在。さらに、本明細書における記号「／」は一般に、関連するオブジェクトの間の「または」の関係を示す。
【０２３１】
本願の実施形態において、「BがAに対応する」は、BがAに関連しており、BがAに基づいて決定されうることを示す。しかしながら、Bに基づいてAを決定することが、BがAのみに基づいて決定されることを意味するのではないことをさらに理解しておくべきである。すなわち、Bは、Aおよび／または他の情報に基づいて決定されてもよい。
【０２３２】
当業者は、本明細書に開示された実施形態において記載される例と組み合わせて、ユニットおよびアルゴリズム段階が電子的なハードウェア、コンピュータ・ソフトウェアまたは両者の組み合わせによって実装されてもよいことを認識しうる。ハードウェアとソフトウェアの間の交換可能性を明瞭に記述するために、上記は一般にそれぞれの例の組成および段階を機能に基づいて記載してきた。それらの機能がハードウェアによって実行されるかソフトウェアによって実行されるかは、技術的解決策の具体的な応用および設計制約条件に依存する。当業者は、それぞれの特定の応用のために記載される機能を実装するための種々の方法を使いうるが、該実装が本発明の範囲を超えると考えられるべきではない。
【０２３３】
本願の実施形態では、表示されるまたは論じられる相互の結合または直接結合または通信接続は、いくつかのインターフェースを使って実装されてもよい。装置またはユニットの間の間接的な結合または通信接続は、電子的、機械的または他の形で実装されてもよい。
【０２３４】
別個のパーツとしての上記のユニットは、物理的に別個であってもなくてもよく、ユニットとして表示されるパーツは、物理的なユニットであってもなくてもよく、一つの位置に位置していてもよく、あるいは複数のネットワーク・ユニットに分散されてもよい。ユニットの一部または全部は、実施形態の解決策の目的を達成するための実際の要求に基づいて選択されてもよい。
【０２３５】
統合されたユニットがソフトウェア機能ユニットの形で実装され、独立したプロダクトとして使われるとき、統合されたユニットは、コンピュータ可読記憶媒体において記憶されてもよい。そのような理解に基づいて、本発明の技術的解決策は本質的には、あるいは従来技術に貢献する部分は、あるいは技術的解決策の一部は、ソフトウェア・プロダクトの形で実装されてもよい。ソフトウェア・プロダクトは、記憶媒体に記憶され、コンピュータ装置（これは、パーソナル・コンピュータ、サーバーまたはネットワーク装置でありうる）に本発明の実施形態において記載される方法の段階の全部または一部を実行するよう命令するためのいくつかの命令を含む。上記の記憶媒体は：プログラム・コードを記憶できる任意の媒体、たとえばUSBフラッシュドライブ、リムーバブルハードディスク、読み出し専用メモリ（read-only  memory、ROM）、ランダム・アクセス・メモリ（random  access  memory、RAM）、磁気ディスクまたは光ディスクを含む。
【０２３６】
上記の記述は単に本発明の個別的実装であり、本発明の保護範囲を限定することは意図されていない。本発明に開示される技術的範囲内で当業者によって容易に割り出される任意の変形または置換は、本発明の保護範囲内にはいる。よって、本発明の保護範囲は、請求項の保護範囲に従う。
【図１】
2019517206.tif 000003
【図２】
2019517206.tif 000004
【図３】
2019517206.tif 000005
【図４】
2019517206.tif 000006
【図５】
2019517206.tif 000007
【図６】
2019517206.tif 000008
【図７】
2019517206.tif 000009
【図８】
2019517206.tif 000010
【図９】
2019517206.tif 000011
【手続補正書】
【提出日】平成30年12月12日(2018.12.12)
【手続補正１】
【補正対象書類名】特許請求の範囲
【補正対象項目名】全文
【補正方法】変更
【補正の内容】
【特許請求の範囲】
【請求項１】
上りリンク参照信号送信方法であって：
端末装置によって、L個の成分搬送波を有効化する段階であって、前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である、段階と；
前記端末装置によって、上りリンク参照信号送信時間を決定する段階と；
前記端末装置によって、前記送信時間内にN1個の第二成分搬送波上で上りリンク参照信号を送信する段階であって、N1は正の整数であり、N1≦Nであり；前記送信時間内にM1個の第一成分搬送波上で前記端末装置が上りリンク信号を送ることを禁止し、M1は正の整数であり、N1≦M1≦Mである、段階とを含む、
方法。
【請求項２】
前記送信時間は、第一のサブフレーム内であり、前記上りリンク参照信号を送信するために使われる少なくとも一つの直交周波数分割多重（OFDM）シンボルを含む、請求項１記載の方法。
【請求項３】
前記端末装置によって、ネットワーク装置から第一の指示情報を受信する段階をさらに含み、前記第一の指示情報は、前記N1個の第二成分搬送波を指示するために使われる、
請求項１または２記載の方法。
【請求項４】
前記第一の指示情報はビットマップを含み、前記ビットマップは少なくともNビットを含み、前記Nビットは前記N個の第二成分搬送波に対応し、前記Nビットは前記N1個の第二成分搬送波を示すために使われる；または
前記N個の第二成分搬送波は複数の第二成分搬送波グループに分類され、前記第二成分搬送波グループの少なくとも一つは前記N1個の第二成分搬送波を含み、前記第一の指示情報は前記複数の第二成分搬送波グループの一つを示すための少なくとも一つのビットを含む、
請求項３記載の方法。
【請求項５】
前記第一の指示情報は、第一の物理下りリンク制御チャネル（PDCCH）において搬送される、請求項３または４記載の方法。
【請求項６】
前記第一のサブフレームおよび／または前記少なくとも一つのOFDMシンボルは、より上位層の信号伝達を使って構成される、
請求項２ないし５のうちいずれか一項記載の方法。
【請求項７】
前記端末装置によって、前記送信時間内にN1個の第二成分搬送波上で上りリンク参照信号を送信する前記段階の前に、さらに：
前記端末装置によって、前記N1個の第二成分搬送波の少なくとも一つでプリアンブルを送信する段階と；
前記端末装置によって、前記プリアンブルに対応するランダム・アクセス応答（RAR）メッセージを受信する段階であって、前記RARメッセージは上りリンク・タイミング先行量（TA）を示すために使われる情報を含む、段階とを含む、
請求項１ないし６のうちいずれか一項記載の方法。
【請求項８】
前記端末装置によって、前記N1個の第二成分搬送波の少なくとも一つでプリアンブルを送信する前記段階の前に、さらに：
前記端末装置によって、前記ネットワーク装置によって送られた構成情報を受信する段階であって、前記構成情報は、前記N1個の第二成分搬送波の前記少なくとも一つのランダム・アクセス資源を示すために使われる、段階と；
前記端末装置によって、第二のPDCCHを使って前記ネットワーク装置によって送られたランダム・アクセス制御情報を受信する段階であって、前記ランダム・アクセス制御情報は、前記プリアンブルを送信するよう前記端末装置をトリガーするために使われる、段階とを含む、
請求項７記載の方法。
【請求項９】
上りリンク参照信号受信方法であって：
ネットワーク装置によって、端末装置のためのL個の成分搬送波を構成する段階であって、前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である、段階と；
前記ネットワーク装置によって、上りリンク参照信号送信時間内にN1個の第二成分搬送波上で前記端末装置から上りリンク参照信号を受信し；前記ネットワーク装置によって、前記送信時間内にM1個の第一成分搬送波上で前記端末装置の上りリンク信号がないことを判別する段階であって、N1は正の整数であり、N1≦Nであり；M1は正の整数であり、N1≦M1≦Mである、段階とを含む、
方法。
【請求項１０】
前記送信時間は、第一のサブフレーム内であり、前記上りリンク参照信号を受信するために使われる少なくとも一つの直交周波数分割多重（OFDM）シンボルを含む、請求項９記載の方法。
【請求項１１】
前記ネットワーク装置によって、第一の指示情報を前記端末装置に送る段階をさらに含み、前記第一の指示情報は、前記N1個の第二成分搬送波を指示するために使われる、請求項９または１０記載の方法。
【請求項１２】
前記第一の指示情報はビットマップを含み、前記ビットマップは少なくともNビットを含み、前記Nビットは前記N個の第二成分搬送波に対応し、前記Nビットは前記N1個の第二成分搬送波を示すために使われる；または
前記N個の第二成分搬送波は複数の第二成分搬送波グループに分類され、前記第二成分搬送波グループの少なくとも一つは前記N1個の第二成分搬送波を含み、前記第一の指示情報は前記複数の第二成分搬送波グループの一つを示すための少なくとも一つのビットを含む、
請求項１１記載の方法。
【請求項１３】
前記第一の指示情報は、第一のPDCCHにおいて搬送される、請求項１１または１２記載の方法。
【請求項１４】
前記ネットワーク装置によって、送信時間内にN1個の第二成分搬送波上で上りリンク参照信号を受信する前記段階の前に、さらに：
前記ネットワーク装置によって、前記N1個の第二成分搬送波の少なくとも一つでプリアンブルを受信する段階と；
前記ネットワーク装置によって、前記プリアンブルに対応するランダム・アクセス応答（RAR）メッセージを送信する段階であって、前記RARメッセージは上りリンク・タイミング先行量（TA）を示すために使われる情報を含む、段階とを含む、
請求項９ないし１３のうちいずれか一項記載の方法。
【請求項１５】
前記ネットワーク装置によって、前記N1個の第二成分搬送波の少なくとも一つでプリアンブルを受信する前記段階の前に、さらに：
前記ネットワーク装置によって、前記端末装置に第二の構成情報を送信する段階であって、前記第二の構成情報は、前記N1個の第二成分搬送波の前記少なくとも一つのランダム・アクセス資源を示すために使われる、段階と；
前記ネットワーク装置によって、第二のPDCCHを使って前記端末装置にランダム・アクセス制御情報を送信する段階であって、前記ランダム・アクセス制御情報は、前記プリアンブルを送信するよう前記端末装置をトリガーするために使われる、段階とを含む、
請求項１４記載の方法。
【請求項１６】
メモリに結合されており、該メモリに含まれる命令を読むよう構成されているプロセッサを有する装置であって、前記命令を実行するときに前記プロセッサは：
L個の成分搬送波を有効化する段階であって、前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である、段階と；上りリンク参照信号送信時間を決定する段階と；
前記送信時間内にN1個の第二成分搬送波上で上りリンク参照信号を送信する段階であって、N1は正の整数であり、N1≦Nである、段階と；
前記送信時間内にM1個の第一成分搬送波上で上りリンク信号を送ることを禁止する段階であって、M1は正の整数であり、N1≦M1≦Mである、段階とを実行するよう構成されている、
装置。
【請求項１７】
前記送信時間は、第一のサブフレーム内であり、前記上りリンク参照信号を送信するために使われる少なくとも一つの直交周波数分割多重（OFDM）シンボルを含む、請求項１６記載の装置。
【請求項１８】
前記プロセッサはさらに：ネットワーク装置から第一の指示情報を受信するための命令を実行し、前記第一の指示情報は、前記N1個の第二成分搬送波を示すために使われる、請求項１６または１７記載の装置。
【請求項１９】
前記第一の指示情報はビットマップを含み、前記ビットマップは少なくともNビットを含み、前記Nビットは前記N個の第二成分搬送波に対応し、前記Nビットは前記N1個の第二成分搬送波を示すために使われる；または
前記N個の第二成分搬送波は複数の第二成分搬送波グループに分類され、前記第二成分搬送波グループの少なくとも一つは前記N1個の第二成分搬送波を含み、前記第一の指示情報は前記複数の第二成分搬送波グループの一つを示すための少なくとも一つのビットを含む、
請求項１８記載の装置。
【請求項２０】
前記第一の指示情報は、第一のPDCCHにおいて搬送される、請求項１８または１９記載の装置。
【請求項２１】
前記第一のサブフレームおよび／または前記少なくとも一つのOFDMシンボルは、より上位層の信号伝達を使って構成される、
請求項１６ないし２０のうちいずれか一項記載の装置。
【請求項２２】
前記プロセッサはさらに：
前記送信時間内に前記N1個の第二成分搬送波上で前記上りリンク参照信号を送信する前に、前記N1個の第二成分搬送波の少なくとも一つでプリアンブルを送信し；
前記プリアンブルに対応するランダム・アクセス応答（RAR）メッセージを受信するための命令を実行し、前記RARメッセージは上りリンク・タイミング先行量（TA）を示すために使われる情報を含む、
請求項１６ないし２１のうちいずれか一項記載の装置。
【請求項２３】
前記プロセッサはさらに：
前記N1個の第二成分搬送波の前記少なくとも一つで前記プリアンブルを送信する前に、前記ネットワーク装置によって送られた構成情報を受信する段階であって、前記構成情報は、前記N1個の第二成分搬送波の前記少なくとも一つのランダム・アクセス資源を示すために使われる、段階と；
第二のPDCCHを使って前記ネットワーク装置によって送られたランダム・アクセス制御情報を受信する段階であって、前記ランダム・アクセス制御情報は、前記プリアンブルの前記送信をトリガーするために使われる、段階とを実行するための命令を実行する、
請求項２２記載の装置。
【請求項２４】
メモリに結合されており、該メモリに含まれる命令を読むよう構成されているプロセッサを有する装置であって、前記命令を実行するときに前記プロセッサは：
端末装置のためのL個の成分搬送波を構成する段階であって、前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である、段階と；
上りリンク参照信号送信時間内にN1個の第二成分搬送波上で前記端末装置から上りリンク参照信号を受信する段階であって、N1は正の整数であり、N1≦Nである、段階と；
前記送信時間内にM1個の第一成分搬送波上で前記端末装置の上りリンク信号がないことを判別する段階であって、M1は正の整数であり、N1≦M1≦Mである、段階とを実行するよう構成されている、
装置。
【請求項２５】
前記送信時間は、第一のサブフレーム内であり、前記上りリンク参照信号を受信するために使われる少なくとも一つの直交周波数分割多重（OFDM）シンボルを含む、請求項２４記載の装置。
【請求項２６】
前記プロセッサがさらに：
第一の指示情報を前記端末装置に送るための命令を実行し、前記第一の指示情報は、前記N1個の第二成分搬送波を指示するために使われる、
請求項２４または２５記載の装置。
【請求項２７】
前記第一の指示情報はビットマップを含み、前記ビットマップは少なくともNビットを含み、前記Nビットは前記N個の第二成分搬送波に対応し、前記Nビットは前記N1個の第二成分搬送波を示すために使われる；または
前記N個の第二成分搬送波は複数の第二成分搬送波グループに分類され、前記第二成分搬送波グループの少なくとも一つは前記N1個の第二成分搬送波を含み、前記第一の指示情報は前記複数の第二成分搬送波グループの一つを示すための少なくとも一つのビットを含む、
請求項２６記載の装置。
【請求項２８】
前記第一の指示情報は、第一のPDCCHにおいて搬送される、請求項２６または２７記載の装置。
【請求項２９】
前記プロセッサはさらに：
前記送信時間内に前記N1個の第二成分搬送波上で前記上りリンク参照信号を受信する前に、前記N1個の第二成分搬送波の少なくとも一つでプリアンブルを受信し；
前記プリアンブルに対応するランダム・アクセス応答（RAR）メッセージを送信するための命令を実行し、前記RARメッセージは上りリンク・タイミング先行量（TA）を示すために使われる情報を含む、
請求項２４ないし２８のうちいずれか一項記載の装置。
【請求項３０】
前記プロセッサはさらに：
前記N1個の第二成分搬送波の前記少なくとも一つで前記プリアンブルを受信する前に、前記端末装置に第二の構成情報を送信する段階であって、前記第二の構成情報は、前記N1個の第二成分搬送波の前記少なくとも一つのランダム・アクセス資源を示すために使われる、段階と；
第二のPDCCHを使って前記端末装置にランダム・アクセス制御情報を送信する段階であって、前記ランダム・アクセス制御情報は、前記プリアンブルを送信するよう前記端末装置をトリガーするために使われる、段階とを実行するための命令を実行する
請求項２９記載の装置。
【請求項３１】
請求項１６ないし２３のうちいずれか一項記載の装置と、請求項２４ないし３０のうちいずれか一項記載の装置とを有する通信システム。
【請求項３２】
命令を有するコンピュータ可読記憶媒体であって、前記命令は、コンピュータによって実行されたときに、該コンピュータに請求項１ないし８のうちいずれか一項記載の方法の段階を実行させるものである、コンピュータ可読記憶媒体。
【請求項３３】
命令を有するコンピュータ可読記憶媒体であって、前記命令は、コンピュータによって実行されたときに、該コンピュータに請求項９ないし１５のうちいずれか一項記載の方法の段階を実行させるものである、コンピュータ可読記憶媒体。
【手続補正２】
【補正対象書類名】明細書
【補正対象項目名】全文
【補正方法】変更
【補正の内容】
【発明の詳細な説明】
【技術分野】
【０００１】
本発明は、通信システムの分野に、特に上りリンク参照信号送信方法、上りリンク参照信号受信方法および装置に関する。
【背景技術】
【０００２】
無線通信システムにおいて、搬送波集合化（carrier  aggregation、CA）技術はユーザー装置（user  equipment、EP）が複数の搬送波上でデータを同時に送信および受信することを許容する。たとえば、ロングタームエボリューション（Long  Term  Evolution、LTE）システムでは、進化型ノードB（evolved  NodeB、eNB）はUEのために複数の成分搬送波を構成し、UEは集合化された成分搬送波上で上りリンク・データ送信および下りリンク・データ送信をスケジュールしうる。しかしながら、UEの限られた処理機能のため、集合化された成分搬送波の一部のみが、その上で上りリンク・データ送信のスケジューリングが許容される搬送波であり、他の集合化された成分搬送波は、その上で上りリンク・データ送信のスケジューリングが禁止される搬送波である（前記他の成分搬送波についてはUEは上りリンク搬送波を構成しない）。具体的には、その上でUEがデータを同時に受信できる下りリンク搬送波の最大量は、その上でUEがデータを同時に送信できる上りリンク搬送波の最大量より大きいことがある。
【０００３】
図１は、UEが時分割複信（time  division  duplex、TDD）LTEシステムにおいて五つの成分搬送波をもって構成される集約化事例の概略図である。その上で上りリンク・データ送信のスケジューリングが許容される成分搬送波0および成分搬送波1は上りリンク・サブフレーム、下りリンク・サブフレームおよび特殊サブフレームを含み、成分搬送波2、成分搬送波3および成分搬送波4は、その上で上りリンク・データ送信のスケジューリングが禁止される成分搬送波である。TDD  LTEシステムは、時分割多重の複信モードを使う。同じ周波数帯域で動作する上りリンク・チャネルおよび下りリンク・チャネルのチャネル特性は同様であり、成分搬送波のチャネル特性は、その上で上りリンク・データ送信のスケジューリングが許容される成分搬送波上で測量参照信号（sounding  reference  signal、SPS）を送ることによって得られてもよい。しかしながら、UEはその上で上りリンク・データ送信のスケジューリングが許容される二つの成分搬送波をもって構成されているだけなので、UEは該二つの成分搬送波上でしかSRSを送ることができず、それら二つの成分搬送波のチャネル特性を得ることはできるが、その上で上りリンク・データ送信のスケジューリングが禁止される他の三つの成分搬送波のチャネル特性を得ることはできない。従来技術では、その上で上りリンク・データ送信のスケジューリングが禁止される他の三つの成分搬送波は、その上で上りリンク・データ送信のスケジューリングが許容される成分搬送波として再構成される必要がある。その上で上りリンク・データ送信のスケジューリングが許容される、当該UEのために構成される成分搬送波の量は当該UEの処理能力を超えることはできず、その上で上りリンク・データ送信のスケジューリングが許容されるもとの成分搬送波はさらに、その上で上りリンク・データ送信のスケジューリングが禁止される成分搬送波として構成される必要がある（たとえば、UEおよび／または基地局が、その上で上りリンク・データ送信のスケジューリングが許容される構成された成分搬送波のリストから、その上で上りリンク・データ送信のスケジューリングが許容されるもとの成分搬送波を削除する必要がある）。それにより、その上で上りリンク・データ送信のスケジューリングが禁止される他の三つの成分搬送波のチャネル特性が得られる。たとえば、前記五つの成分搬送波をもって構成されたUEは、前記五つの成分搬送波のうち最大で二つにおいて上りリンク・データの同時送信をサポートできるので、UEは、その上で上りリンク・データ送信のスケジューリングが許容される成分搬送波を最大で二つ構成されることができる。UEは、その上で上りリンク・データ送信のスケジューリングが禁止される、そのUEの他の三つの成分搬送波のチャネル特性を得るためには、そのUEのための成分搬送波を再構成する上記のプロセスを少なくとも二回実行する必要がある。結果として、一連の複雑な信号伝達対話が生成され、UEのパフォーマンスがひどく影響される。
【発明の概要】
【０００４】
本発明の実施形態は、端末装置の成分搬送波のチャネル特性を効率的に報告するよう、上りリンク参照信号送信方法、上りリンク参照信号受信方法および装置を提供する。
【０００５】
第一の側面によれば、上りリンク参照信号送信方法であって：
端末装置によって、L個の成分搬送波を有効化する段階であって、前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である、段階と；
前記端末装置によって、上りリンク参照信号送信時間を決定する段階と；
前記端末装置によって、前記送信時間内にN1個の第二成分搬送波上で上りリンク参照信号を送信する段階であって、N1は正の整数であり、N1≦Nであり；前記送信時間内にM1個の第一成分搬送波上で前記端末装置が上りリンク信号を送ることを禁止し、M1は正の整数であり、N1≦M1≦Mである、段階とを含む、
方法が提供される。
【０００６】
任意的に、前記送信時間は、第一のサブフレーム内であり、前記上りリンク参照信号を送信するために使われる少なくとも一つの直交周波数分割多重（OFDM）シンボルを含む。
【０００７】
任意的に、本方法はさらに：
前記端末装置によって、ネットワーク装置から第一の指示情報を受信する段階を含み、前記第一の指示情報は、前記N1個の第二成分搬送波および／または前記M1個の第一成分搬送波を指示するために使われる。
【０００８】
任意的に、前記第一の指示情報は、前記N1個の第二成分搬送波の搬送波識別子を含む；または
前記第一の指示情報はビットマップを含み、前記ビットマップは少なくともNビットを含み、前記Nビットは前記N個の第二成分搬送波に対応し、前記Nビットは前記N1個の第二成分搬送波を示すために使われる；または
前記N個の第二成分搬送波は複数の第二成分搬送波グループに分類され、前記第二成分搬送波グループの少なくとも一つは前記N1個の第二成分搬送波を含み、前記第一の指示情報は前記複数の第二成分搬送波グループの一つを示すための少なくとも一つのビットを含む。
【０００９】
任意的に、前記第一の指示情報は、MAC制御要素（MAC  CE）、第一の物理下りリンク制御チャネル（PDCCH）または無線資源制御（RRC）メッセージにおいて搬送される。
【００１０】
任意的に、前記第一のサブフレームおよび／または前記少なくとも一つのOFDMシンボルは事前設定されている；または
前記第一のサブフレームおよび／または前記少なくとも一つのOFDMシンボルは、より上位層の信号伝達によって構成される。
【００１１】
任意的に、前記端末装置によって、上りリンク参照信号送信時間を決定する前記段階は：前記端末装置によって、上りリンク参照信号送信時間を、前記第一の指示情報に基づいて決定することを含み、ここで
前記第一のサブフレームは前記第一の指示情報が受信されるサブフレームの次のサブフレームである；または
前記第一のサブフレームは(n＋k)番目のサブフレームであり、前記第一の指示情報が受信されるサブフレームがサブフレームnであり、kは事前設定されている；または
前記第一のサブフレームは(n＋k)番目のサブフレームであり、n番目のサブフレームは前記第一の指示情報が受信されるサブフレームnであり、前記第一の指示情報はさらに送信時間情報を含み、前記送信時間情報がkを示すために使われる；または
前記N個の第二成分搬送波は複数の第二成分搬送波グループに分類され、前記第二成分搬送波グループの少なくとも一つは前記N1個の第二成分搬送波を含み、異なる第一のサブフレームには異なる第二成分搬送波グループが対応する。
【００１２】
任意的に、前記端末装置によって、前記送信時間内にN1個の第二成分搬送波上で上りリンク参照信号を送信することは：
前記端末装置によって、前記第一のサブフレームにおけるP個のOFDMシンボルにおいてN1個の第二成分搬送波上で上りリンク参照信号を送信することを含み、
前記送信時間内にM1個の第一成分搬送波上で前記端末装置は上りリンク信号を送ることを禁止されることは：
Q個の連続するOFDMシンボルにおいてM1個の第一成分搬送波上で前記端末装置が上りリンク信号を送ることを禁止されることを含み、
前記Q個のOFDMシンボルは前記P個のOFDMシンボルを含み、Q＞Pである。
【００１３】
異なる端末装置は異なる処理機能をもち、限られた処理機能のため、端末装置は、時間0での切り換えを実装することはできない。具体的には、端末装置は前記N1個の成分搬送波上で上りリンク参照信号を同じ瞬間に送ることはできず、前記M1個の成分搬送波で同じ瞬間に、上りリンク信号を送ることを禁止されることはできない。よって、前記M1個の成分搬送波上で上りリンク信号の送信が禁止されるOFDMシンボルの量Qは、前記N1個の成分搬送波上で上りリンク参照信号が送られるOFDMシンボルの量Pより多く、前記M1個の成分搬送波上で上りリンク信号の送信が禁止される前記Q個のOFDMシンボルは、前記N1個の成分搬送波上で上りリンク参照信号が送られる前記P個のOFDMシンボルを含む。それにより、上りリンク参照信号が送られる前記P個のOFDMシンボルのために保護時間がリザーブされることができ、それにより、上りリンク参照信号が前記N1個の成分搬送波上で同じ瞬間に送られており、上りリンク信号の送信が同じ瞬間に前記M1個の成分搬送波上では禁止されているために引き起こされる、送信コンフリクトまたは送信失敗が避けられる。
【００１４】
任意的に、前記端末装置によって、前記送信時間内にN1個の第二成分搬送波上で上りリンク参照信号を送信する前記段階の前に、本方法はさらに：
前記端末装置によって、前記N1個の第二成分搬送波の少なくとも一つでプリアンブルを送信する段階と；
前記端末装置によって、前記プリアンブルに対応するランダム・アクセス応答（RAR）メッセージを受信する段階であって、前記RARメッセージは上りリンク・タイミング先行量（TA）を示すために使われる情報を含む、段階；または
前記端末装置によって、前記プリアンブルに対応する第二の指示情報を受信する段階であって、前記第二の指示情報はTAを示すために使われ、前記第二の指示情報は上りリンク制御情報を含まない、段階とを含む。
【００１５】
任意的に、前記端末装置によって、前記N1個の第二成分搬送波の少なくとも一つでプリアンブルを送信する前記段階の前に、本方法はさらに：
前記端末装置によって、前記ネットワーク装置によって送られた構成情報を受信する段階であって、前記構成情報は、前記N1個の第二成分搬送波の前記少なくとも一つのランダム・アクセス資源を示すために使われる、段階と；
前記端末装置によって、第二のPDCCHを使って前記ネットワーク装置によって送られたランダム・アクセス制御情報を受信する段階であって、前記ランダム・アクセス制御情報は、前記プリアンブルを送信するよう前記端末装置をトリガーするために使われる、段階とを含む。
【００１６】
第二の側面によれば、上りリンク参照信号受信方法であって：
ネットワーク装置によって、端末装置のためのL個の成分搬送波を構成する段階であって、前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である、段階と；
前記ネットワーク装置によって、上りリンク参照信号送信時間内にN1個の第二成分搬送波上で前記端末装置から上りリンク参照信号を受信し；前記ネットワーク装置によって、前記送信時間内にM1個の第一成分搬送波上で前記端末装置の上りリンク信号がないことを判別する段階であって、N1は正の整数であり、N1≦Nであり；M1は正の整数であり、N1≦M1≦Mである、段階とを含む、
方法が提供される。
【００１７】
任意的に、前記ネットワーク装置は前記送信時間を前記端末装置から受信し、前記送信時間は、前記端末装置によって決定された、前記上りリンク参照信号を送るために使われる時間である。
【００１８】
任意的に、前記送信時間は、第一のサブフレーム内であり、前記上りリンク参照信号を受信するために使われる少なくとも一つの直交周波数分割多重（OFDM）シンボルを含む。
【００１９】
任意的に、前記ネットワーク装置は第一の指示情報を前記端末装置に送り、前記第一の指示情報は、前記N1個の第二成分搬送波および／または前記M1個の第一成分搬送波を指示するために使われる。
【００２０】
任意的に、前記第一の指示情報は、前記N1個の第二成分搬送波の搬送波識別子を含む；または
前記第一の指示情報はビットマップを含み、前記ビットマップは少なくともNビットを含み、前記Nビットは前記N個の第二成分搬送波に対応し、前記Nビットは前記N1個の第二成分搬送波を示すために使われる；または
前記N個の第二成分搬送波は複数の第二成分搬送波グループに分類され、前記第二成分搬送波グループの少なくとも一つは前記N1個の第二成分搬送波を含み、前記第一の指示情報は前記複数の第二成分搬送波グループの一つを示すための少なくとも一つのビットを含む。
【００２１】
任意的に、前記第一の指示情報は、MAC制御要素（MAC  CE）、第一のPDCCHまたは無線資源制御（RRC）メッセージにおいて搬送される。
【００２２】
任意的に、前記ネットワーク装置は、第一の構成情報を前記端末装置に、より上位層の信号伝達を使って送信し、前記第一の構成情報は、前記第一のサブフレームおよび／または前記少なくとも一つのOFDMシンボルを構成するために使われる。
【００２３】
任意的に、前記第一の指示情報は、前記端末装置について、前記上りリンク参照信号を送信するための前記送信時間を示すために使われ；
前記第一のサブフレームは前記端末装置が前記第一の指示情報を受信するサブフレームの次のサブフレームである；または
前記第一のサブフレームは(n＋k)番目のサブフレームであり、前記端末装置が前記第一の指示情報を受信するサブフレームがサブフレームnであり、kは事前設定されている；または
前記第一のサブフレームは(n＋k)番目のサブフレームであり、n番目のサブフレームは前記端末装置が前記第一の指示情報を受信するサブフレームnであり、前記第一の指示情報はさらに送信時間情報を含み、前記送信時間情報がkを示すために使われる；または
前記N個の第二成分搬送波は複数の第二成分搬送波グループに分類され、前記第二成分搬送波グループの少なくとも一つは前記N1個の第二成分搬送波を含み、異なる第一のサブフレームには異なる第二成分搬送波グループが対応する。
【００２４】
任意的に、前記ネットワーク装置によって、送信時間内にN1個の第二成分搬送波上で上りリンク参照信号を受信することは：
前記ネットワーク装置によって、前記第一のサブフレームにおけるP個のOFDMシンボルにおいてN1個の第二成分搬送波上で上りリンク参照信号を受信することを含み、
前記ネットワーク装置によって、前記送信時間内にM1個の第一成分搬送波上で前記端末装置の上りリンク信号がないことを判別することは：
Q個の連続するOFDMシンボルにおいてM1個の第一成分搬送波上で前記ネットワーク装置が上りリンク信号を受信することを禁止することを含み、
前記Q個のOFDMシンボルは前記P個のOFDMシンボルを含み、Q＞Pである。
【００２５】
任意的に、前記ネットワーク装置によって、送信時間内にN1個の第二成分搬送波上で上りリンク参照信号を受信する前記段階の前に、本方法はさらに：
前記ネットワーク装置によって、前記N1個の第二成分搬送波の少なくとも一つでプリアンブルを受信する段階と；
前記ネットワーク装置によって、前記プリアンブルに対応するランダム・アクセス応答（RAR）メッセージを送信する段階であって、前記RARメッセージは上りリンク・タイミング先行量（TA）を示すために使われる情報を含む、段階；または
前記ネットワーク装置によって、前記プリアンブルに対応する第二の指示情報を送信する段階であって、前記第二の指示情報はTAを示すために使われ、前記第二の指示情報は上りリンク制御情報を含まない、段階とを含む。
【００２６】
任意的に、前記ネットワーク装置によって、前記N1個の第二成分搬送波の少なくとも一つでプリアンブルを受信する前記段階の前に、本方法はさらに：
前記ネットワーク装置によって、前記端末装置に第二の構成情報を送信する段階であって、前記第二の構成情報は、前記N1個の第二成分搬送波の前記少なくとも一つのランダム・アクセス資源を示すために使われる、段階と；
前記ネットワーク装置によって、第二のPDCCHを使って前記端末装置にランダム・アクセス制御情報を送信する段階であって、前記ランダム・アクセス制御情報は、前記プリアンブルを送信するよう前記端末装置をトリガーするために使われる、段階とを含む。
【００２７】
第三の側面によれば、プロセッサおよびトランシーバを含む端末装置が提供され、
前記プロセッサは、L個の成分搬送波を有効化する段階であって、前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である、段階と；上りリンク参照信号送信時間を決定する段階とを実行するよう構成されており；
前記トランシーバは、前記送信時間内にN1個の第二成分搬送波上で上りリンク参照信号を送信するよう構成されており、N1は正の整数であり、N1≦Nであり；
前記プロセッサは、前記送信時間内にM1個の第一成分搬送波上で上りリンク信号を送ることを禁止されるよう構成され、M1は正の整数であり、N1≦M1≦Mである。
【００２８】
任意的に、前記送信時間は、第一のサブフレーム内であり、前記上りリンク参照信号を送信するために使われる少なくとも一つの直交周波数分割多重（OFDM）シンボルを含む。
【００２９】
任意的に、前記トランシーバはさらに、ネットワーク装置から第一の指示情報を受信するよう構成され、前記第一の指示情報は、前記N1個の第二成分搬送波を示すために使われる。
【００３０】
任意的に、前記第一の指示情報は、前記N1個の第二成分搬送波の搬送波識別子を含む；または
前記第一の指示情報はビットマップを含み、前記ビットマップは少なくともNビットを含み、前記Nビットは前記N個の第二成分搬送波に対応し、前記Nビットは前記N1個の第二成分搬送波を示すために使われる；または
前記N個の第二成分搬送波は複数の第二成分搬送波グループに分類され、前記第二成分搬送波グループの少なくとも一つは前記N1個の第二成分搬送波を含み、前記第一の指示情報は前記複数の第二成分搬送波グループの一つを示すための少なくとも一つのビットを含む。
【００３１】
任意的に、前記第一の指示情報は、媒体アクセス制御制御要素（MAC  CE）、第一のPDCCHまたは無線資源制御（RRC）メッセージにおいて搬送される。
【００３２】
任意的に、前記第一のサブフレームおよび／または前記少なくとも一つのOFDMシンボルは事前設定されている；または
前記第一のサブフレームおよび／または前記少なくとも一つのOFDMシンボルは、より上位層の信号伝達によって構成される。
【００３３】
任意的に、前記プロセッサはさらに、上りリンク参照信号送信時間を、前記第一の指示情報に基づいて決定するよう構成され、
前記第一のサブフレームは前記第一の指示情報が受信されるサブフレームの次のサブフレームである；または
前記第一のサブフレームは(n＋k)番目のサブフレームであり、前記第一の指示情報が受信されるサブフレームがサブフレームnであり、kは事前設定されている；または
前記第一のサブフレームは(n＋k)番目のサブフレームであり、n番目のサブフレームは前記第一の指示情報が受信されるサブフレームnであり、前記第一の指示情報はさらに送信時間情報を含み、前記送信時間情報がkを示すために使われる；または
前記N個の第二成分搬送波は複数の第二成分搬送波グループに分類され、前記第二成分搬送波グループの少なくとも一つは前記N1個の第二成分搬送波を含み、異なる第一のサブフレームには異なる第二成分搬送波グループが対応する。
【００３４】
任意的に、前記トランシーバはさらに、前記第一のサブフレームにおけるP個のOFDMシンボルにおいてN1個の第二成分搬送波上で上りリンク参照信号を送信するよう構成され、
前記プロセッサはさらに、Q個の連続するOFDMシンボルにおいてM1個の第一成分搬送波上で上りリンク信号を送ることを禁止されるよう構成され、
前記Q個のOFDMシンボルは前記P個のOFDMシンボルを含み、Q＞Pである。
【００３５】
任意的に、前記トランシーバはさらに、前記送信時間内にN1個の第二成分搬送波上で上りリンク参照信号を送信する前記段階の前に、前記N1個の第二成分搬送波の少なくとも一つでプリアンブルを送信するよう構成され；
前記トランシーバはさらに、前記プリアンブルに対応するランダム・アクセス応答（RAR）メッセージを受信するよう構成され、前記RARメッセージは上りリンク・タイミング先行量（TA）を示すために使われる情報を含む；または
前記トランシーバはさらに、前記プリアンブルに対応する第二の指示情報を受信するよう構成され、前記第二の指示情報はTAを示すために使われ、前記第二の指示情報は上りリンク制御情報を含まない。
【００３６】
任意的に、前記トランシーバはさらに、前記N1個の第二成分搬送波の少なくとも一つでプリアンブルを送信する段階の前に、前記ネットワーク装置によって送られた構成情報を受信するよう構成され、前記構成情報は、前記N1個の第二成分搬送波の前記少なくとも一つのランダム・アクセス資源を示すために使われ；
前記トランシーバはさらに、第二のPDCCHを使って前記ネットワーク装置によって送られたランダム・アクセス制御情報を受信するよう構成され、前記ランダム・アクセス制御情報は、前記プリアンブルを送信するよう前記トランシーバをトリガーするために使われる。
【００３７】
第四の側面によれば、プロセッサおよびトランシーバを含むネットワーク装置が提供され、
前記プロセッサは、端末装置のためのL個の成分搬送波を構成するよう適応されており、前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2であり；
前記トランシーバは、上りリンク参照信号送信時間内にN1個の第二成分搬送波上で前記端末装置から上りリンク参照信号を受信するよう構成され、N1≦Nであり；
前記プロセッサは、前記送信時間内にM1個の第一成分搬送波上で前記端末装置の上りリンク信号がないことを判別するよう構成され、M1は正の整数であり、N1≦M1≦Mである。
【００３８】
任意的に、前記送信時間は、第一のサブフレーム内であり、前記上りリンク参照信号を受信するために使われる少なくとも一つの直交周波数分割多重（OFDM）シンボルを含む。
【００３９】
任意的に、前記トランシーバは第一の指示情報を前記端末装置に送るようさらに構成され、前記第一の指示情報は、前記N1個の第二成分搬送波を指示するために使われる。
【００４０】
任意的に、前記第一の指示情報は、前記N1個の第二成分搬送波の搬送波識別子を含む；または
前記第一の指示情報はビットマップを含み、前記ビットマップは少なくともNビットを含み、前記Nビットは前記N個の第二成分搬送波に対応し、前記Nビットは前記N1個の第二成分搬送波を示すために使われる；または
前記N個の第二成分搬送波は複数の第二成分搬送波グループに分類され、前記第二成分搬送波グループの少なくとも一つは前記N1個の第二成分搬送波を含み、前記第一の指示情報は前記複数の第二成分搬送波グループの一つを示すための少なくとも一つのビットを含む。
【００４１】
任意的に、前記第一の指示情報は、MAC  CE、第一のPDCCHまたは無線資源制御（RRC）メッセージにおいて搬送される。
【００４２】
任意的に、前記トランシーバは、第一の構成情報を前記端末装置に、より上位層の信号伝達を使って送信し、前記第一の構成情報は、前記第一のサブフレームおよび／または前記少なくとも一つのOFDMシンボルを構成するために使われる。
【００４３】
任意的に、前記第一の指示情報は、前記端末装置について、前記上りリンク参照信号を送信するための前記送信時間を示すために使われ；
前記第一のサブフレームは前記端末装置が前記第一の指示情報を受信するサブフレームの次のサブフレームである；または
前記第一のサブフレームは(n＋k)番目のサブフレームであり、前記端末装置が前記第一の指示情報を受信するサブフレームがサブフレームnであり、kは事前設定されている；または
前記第一のサブフレームは(n＋k)番目のサブフレームであり、n番目のサブフレームは前記端末装置が前記第一の指示情報を受信するサブフレームnであり、前記第一の指示情報はさらに送信時間情報を含み、前記送信時間情報がkを示すために使われる；または
前記N個の第二成分搬送波は複数の第二成分搬送波グループに分類され、前記第二成分搬送波グループの少なくとも一つは前記N1個の第二成分搬送波を含み、異なる第一のサブフレームには異なる第二成分搬送波グループが対応する。
【００４４】
任意的に、前記トランシーバはさらに、前記第一のサブフレームにおけるP個のOFDMシンボルにおいてN1個の第二成分搬送波上で上りリンク参照信号を受信するよう構成され、
前記プロセッサはさらに、Q個の連続するOFDMシンボルにおいてM1個の第一成分搬送波上で前記端末装置の上りリンク信号がないことを判別するよう構成され、
前記Q個のOFDMシンボルは前記P個のOFDMシンボルを含み、Q＞Pである。
【００４５】
任意的に、前記トランシーバはさらに、送信時間内にN1個の第二成分搬送波上で上りリンク参照信号を受信する前記段階の前に、前記N1個の第二成分搬送波の少なくとも一つでプリアンブルを受信するよう構成され；
前記トランシーバはさらに、前記プリアンブルが受信された前記少なくとも一つの第二成分搬送波上でランダム・アクセス応答（RAR）メッセージを送信するよう構成され、前記RARメッセージは上りリンク・タイミング先行量（TA）を示すために使われる情報を含む；または
前記トランシーバはさらに、前記プリアンブルが受信された前記少なくとも一つの第二成分搬送波上で第二の指示情報を送信するよう構成され、前記第二の指示情報はTAを示すために使われ、前記第二の指示情報は上りリンク制御情報を含まない。
【００４６】
任意的に、前記トランシーバはさらに、前記N1個の第二成分搬送波の少なくとも一つでプリアンブルを受信する前に、前記端末装置に第二の構成情報を送信するよう構成され、前記第二の構成情報は、前記N1個の第二成分搬送波の前記少なくとも一つのランダム・アクセス資源を示すために使われ；
前記トランシーバはさらに、第二のPDCCHを使って前記端末装置にランダム・アクセス制御情報を送信するよう構成され、前記ランダム・アクセス制御情報は、前記プリアンブルを送信するよう前記端末装置をトリガーするために使われる。
【００４７】
第五の側面によれば、上りリンク・タイミング先行量（TA）を得る方法が提供される。本方法は：
端末装置によって、有効化された第二成分搬送波のうちの少なくとも一つでネットワーク装置にプリアンブルを送信する段階であって、前記第二成分搬送波はその上で上りリンク・データ送信のスケジューリングが禁止されている搬送波である、段階と；
前記端末装置によって、前記プリアンブルに対応する第二の指示情報を受信する段階であって、前記第二の指示情報は前記TAを示すために使われる、段階とを含む。
【００４８】
上記の技術的解決策では、端末装置は、上りリンクTAを得るために、その上で上りリンク・データ送信のスケジューリングが禁止されている成分搬送波上でネットワーク装置にプリアンブルを送ることができる。
【００４９】
任意的に、前記第二の指示情報は、上りリンク制御情報を含まない。
【００５０】
したがって、端末装置は、プリアンブルに対応する第二の指示情報を受信し、その第二の指示情報がTAを示すために使われ、第二の指示情報は上りリンク制御情報を含まない。これは、その上で上りリンク・データ送信のスケジューリングが要求されないまたは許されない成分搬送波のために上りリンク制御情報を構成することを避けうる。
【００５１】
任意的に、前記第二の指示情報はRARメッセージであり、前記RARメッセージにおける上りリンク制御情報に対応する値は「0」である。
【００５２】
任意的に、前記第二の指示情報はRARメッセージであり、前記端末装置は、前記RARメッセージにおける上りリンク制御情報を無視する。
【００５３】
任意的に、端末装置によって、有効化された第二成分搬送波のうちの少なくとも一つでプリアンブルを送信する前記段階の前に、本方法はさらに：前記端末装置によって、前記ネットワーク装置から構成情報を受信する段階であって、前記構成情報は、前記少なくとも一つの第二成分搬送波のランダム・アクセス資源を示すために使われる、段階と；前記端末装置によって、物理下りリンク制御チャネル（PDCCH）を使って前記ネットワーク装置によって送られたランダム・アクセス制御情報を受信する段階であって、前記ランダム・アクセス制御情報は、前記プリアンブルを送信するよう前記端末装置をトリガーするために使われる、段階とを含む。
【００５４】
第六の側面によれば、上りリンク・タイミング先行量（TA）を送信する方法が提供される。本方法は：
ネットワーク装置によって、第二成分搬送波のうちの少なくとも一つで端末装置からプリアンブルを受信する段階であって、前記第二成分搬送波はその上で上りリンク・データ送信のスケジューリングが禁止されている搬送波である、段階と；
前記ネットワーク装置によって、前記プリアンブルに対応する第二の指示情報を生成する段階であって、前記第二の指示情報は前記TAを示すために使われる、段階と；
前記ネットワーク装置によって、前記第二の指示情報を前記端末装置に送信する段階とを含む。
【００５５】
任意的に、前記第二の指示情報は、上りリンク制御情報を含まない。
【００５６】
任意的に、前記第二の指示情報はRARメッセージであり、前記RARメッセージにおける上りリンク制御情報に対応する値は「0」である。
【００５７】
任意的に、前記第二の指示情報はRARメッセージであり、前記端末装置は、前記RARメッセージにおける上りリンク制御情報を無視する。
【００５８】
第七の側面によれば、プロセッサおよびトランシーバを含む端末装置が提供され；
前記トランシーバは、有効化された第二成分搬送波のうちの少なくとも一つでネットワーク装置にプリアンブルを送信するよう構成され、前記第二成分搬送波はその上で上りリンク・データ送信のスケジューリングが禁止されている搬送波であり；
前記トランシーバはさらに、前記プリアンブルに対応する第二の指示情報を前記ネットワーク装置から受信するよう構成され、前記第二の指示情報はTAを示すために使われる。
【００５９】
任意的に、前記第二の指示情報は、上りリンク制御情報を含まない。
【００６０】
任意的に、前記第二の指示情報はRARメッセージであり、前記RARメッセージにおける上りリンク制御情報に対応する値は「0」である。
【００６１】
任意的に、前記第二の指示情報はRARメッセージであり、前記プロセッサは、前記RARメッセージにおける上りリンク制御情報を無視するよう構成される。
【００６２】
任意的に、前記有効化された第二成分搬送波のうちの少なくとも一つでプリアンブルを送信する前に、前記トランシーバはさらに：前記ネットワーク装置から構成情報を受信する段階であって、前記構成情報は、前記少なくとも一つの第二成分搬送波のランダム・アクセス資源を示すために使われる、段階と；物理下りリンク制御チャネル（PDCCH）を使って前記ネットワーク装置によって送られたランダム・アクセス制御情報を受信する段階であって、前記ランダム・アクセス制御情報は、前記プリアンブルを送信するよう前記トランシーバをトリガーするために使われる、段階とを実行するよう構成される。
【００６３】
第八の側面によれば、プロセッサおよびトランシーバを含むネットワーク装置が提供される；
前記トランシーバは、第二成分搬送波のうちの少なくとも一つで端末装置からプリアンブルを受信するよう構成され、前記第二成分搬送波はその上で上りリンク・データ送信のスケジューリングが禁止されている搬送波であり；
前記プロセッサは、前記プリアンブルに対応する第二の指示情報を生成するよう構成され、前記第二の指示情報はTAを示すために使われ；
前記トランシーバはさらに、前記第二の指示情報を前記端末装置に送信するよう構成される。
【００６４】
任意的に、前記第二の指示情報は、上りリンク制御情報を含まない。
【００６５】
任意的に、前記第二の指示情報はRARメッセージであり、前記RARメッセージにおける上りリンク制御情報に対応する値は「0」である。
【００６６】
任意的に、前記第二の指示情報はRARメッセージであり、前記端末装置は、前記RARメッセージにおける上りリンク制御情報を無視する。
【００６７】
本発明の実施形態における技術的解決策では、端末装置によって有効化されるL個の成分搬送波は、その上で上りリンク・データ送信のスケジューリングが許容されるM個の第一成分搬送波およびその上で上りリンク・データ送信のスケジューリングが禁止されるN個の第二成分搬送波を含む。端末装置は決定された上りリンク参照信号送信時間内にN1個の第二成分搬送波上で上りリンク参照信号を送信し、該送信時間内に前記M個の第一成分搬送波におけるM1個の第一成分搬送波上では上りリンク信号を送ることを禁止される。N1≦M1なので、前記送信時間内に上りリンク信号が送られる成分搬送波の量が、端末装置の処理能力を超えないことが保証され、端末装置が、その上で上りリンク・データ送信のスケジューリングが許容される成分搬送波およびその上で上りリンク・データ送信のスケジューリングが禁止される成分搬送波を再構成する必要がなく、それにより対応する信号伝達のオーバーヘッドおよび複雑な処理手順を回避し、端末装置の成分搬送波のチャネル特性を効率的に報告する。
【００６８】
加えて、本発明の実施形態は、上りリンク・データ送信および再送信を完了し、それによりランダム・アクセス・パフォーマンスを保証するよう、上りリンク・データ送信方法、上りリンク・データ受信方法および装置を提供する。
【００６９】
第九の側面によれば、上りリンク・データ送信方法であって：
端末装置によって、ランダム・アクセス・プリアンブルを送信する段階と；
前記端末装置によって、ランダム・アクセス応答を受信する段階であって、前記ランダム・アクセス応答は第一の上りリンク承認を含む、段階と；
前記端末装置によって、前記第一の上りリンク承認に基づいて上りリンク・データを送信する段階であって、前記端末装置は前記上りリンク・データを、事前に構成されたハイブリッド自動反復要求（HARQ）プロセスを使って送信する、段階とを含む、
方法が提供される。
【００７０】
任意的に、前記HARQプロセスが、前記上りリンク・データおよび他の上りリンク・データの両方を送るために使われる場合、前記端末装置は前記上りリンク・データを前記HARQプロセスを使って送り、さらに、任意的に、前記端末装置は前記他の上りリンク・データを前記HARQプロセスに対応するキャッシュからクリアする。
【００７１】
任意的に、前記端末装置によって上りリンク・データを送信する前記段階の後、本方法はさらに：
前記端末装置によって、第二の上りリンク承認を受信する段階であって、前記第二の上りリンク承認は前記事前に構成されたHARQプロセスの識別子を含む、段階と；
前記端末装置によって、前記第二の上りリンク承認に基づく前記事前に構成されたHARQプロセスを使って前記上りリンク・データを再送信する段階とを含む。
【００７２】
任意的に、前記端末装置によって上りリンク・データを送信する前記段階の後、本方法はさらに：
前記端末装置によって、第二の上りリンク承認を受信する段階であって、前記第二の上りリンク承認は前記HARQプロセスの識別子を含まない、段階と；
前記端末装置によって、前記第二の上りリンク承認に基づく前記事前に構成されたHARQプロセスを使って前記上りリンク・データを再送信する段階とを含む。
【００７３】
任意的に、前記端末装置によって上りリンク・データを送信する前記段階の後、本方法はさらに：
前記端末装置によって、第二の上りリンク承認を受信する段階であって、前記第二の上りリンク承認は任意のHARQプロセスの識別子を含む、段階と；
前記端末装置によって、前記第二の上りリンク承認に基づいて、前記第二の上りリンク承認に含まれる、前記HARQプロセスの前記識別子を無視し、前記事前に構成されたHARQプロセスを使って前記上りリンク・データを再送信する段階とを含む。
【００７４】
任意的に、前記事前に構成されたハイブリッド自動反復要求HARQプロセスの前記識別子は0または1であってもよく、あるいは前記端末装置によって選択されてもよい。
【００７５】
第十の側面によれば、上りリンク・データ受信方法であって：
ネットワーク装置によって、ランダム・アクセス・プリアンブルを受信する段階と；
前記ネットワーク装置によって、ランダム・アクセス応答を送信する段階であって、前記ランダム・アクセス応答は第一の上りリンク承認を含む、段階と；
前記ネットワーク装置によって、前記第一の上りリンク承認に基づいて端末装置によって送られた上りリンク・データを受信する段階であって、前記端末装置は前記上りリンク・データを、事前に構成されたハイブリッド自動反復要求（HARQ）プロセスを使って送信する、段階とを含む、
方法が提供される。
【００７６】
任意的に、前記ネットワーク装置が前記上りリンク・データを受信した後、前記ネットワーク装置が前記上りリンク・データを受信しない場合には、本方法はさらに：
前記ネットワーク装置によって、第二の上りリンク承認を送信する段階であって、前記第二の上りリンク承認は前記事前に構成されたHARQプロセスの識別子を含む、段階と；
前記ネットワーク装置によって、前記第二の上りリンク承認に基づく前記事前に構成されたHARQプロセスを使って前記端末送信によって再送信された前記上りリンク・データを受信する段階とを含む。
【００７７】
任意的に、前記ネットワーク装置が前記上りリンク・データを受信した後、前記ネットワーク装置が前記上りリンク・データを受信しない場合には、本方法はさらに：
前記ネットワーク装置によって、第二の上りリンク承認を送信する段階であって、前記第二の上りリンク承認は前記HARQプロセスの識別子を含まない、段階と；
前記ネットワーク装置によって、前記第二の上りリンク承認に基づく前記事前に構成されたHARQプロセスを使って前記端末装置によって再送信された前記上りリンク・データを受信する段階とを含む。
【００７８】
任意的に、前記ネットワーク装置が前記上りリンク・データを受信した後、前記ネットワーク装置が前記上りリンク・データを受信しない場合には、本方法はさらに：
前記ネットワーク装置によって、第二の上りリンク承認を送信する段階であって、前記第二の上りリンク承認は任意のHARQプロセスの識別子を含む、段階と；
前記ネットワーク装置によって、前記第二の上りリンク承認に基づく前記事前に構成されたHARQプロセスを使って前記端末装置によって再送信された前記上りリンク・データを受信する段階であって、前記端末装置は、前記第二の上りリンク承認に含まれる、前記HARQプロセスの前記識別子を無視する、段階とを含む。
【００７９】
任意的に、前記事前に構成されたハイブリッド自動反復要求HARQプロセスの前記識別子は0または1であってもよく、あるいは前記端末装置によって選択されてもよい。
【００８０】
第十一の側面によれば、トランシーバを含む端末装置が提供され、
前記トランシーバは、ランダム・アクセス・プリアンブルを送信するよう構成され；
前記トランシーバは、ランダム・アクセス応答を受信するよう構成され、前記ランダム・アクセス応答は第一の上りリンク承認を含み；
前記トランシーバは、前記第一の上りリンク承認に基づいて上りリンク・データを送信するよう構成され、前記トランシーバは前記上りリンク・データを、事前に構成されたハイブリッド自動反復要求HARQプロセスを使って送信する。
【００８１】
任意的に、前記トランシーバはさらに：前記HARQプロセスが、前記上りリンク・データおよび他の上りリンク・データの両方を送るために使われる場合、前記上りリンク・データを前記HARQプロセスを使って送り、さらに、任意的に、前記他の上りリンク・データを前記HARQプロセスに対応するキャッシュからクリアするよう構成される。
【００８２】
任意的に、前記端末装置が前記上りリンク・データを送信した後、前記トランシーバはさらに：
前記事前に構成されたHARQプロセスの識別子を含む第二の上りリンク承認を受信し；
前記第二の上りリンク承認に基づく前記事前に構成されたHARQプロセスを使って前記上りリンク・データを再送信するよう構成される。
【００８３】
任意的に、前記端末装置が前記上りリンク・データを送信した後、前記トランシーバはさらに：
前記HARQプロセスの識別子を含まない第二の上りリンク承認を受信し；
前記第二の上りリンク承認に基づく前記事前に構成されたHARQプロセスを使って前記上りリンク・データを再送信するよう構成される。
【００８４】
任意的に、前記端末装置が前記上りリンク・データを送信した後、前記トランシーバはさらに：
任意のHARQプロセスの識別子を含む第二の上りリンク承認を受信し；
前記第二の上りリンク承認に基づいて、前記第二の上りリンク承認に含まれる、前記HARQプロセスの前記識別子を無視し、前記事前に構成されたHARQプロセスを使って前記上りリンク・データを再送信するよう構成される。
【００８５】
任意的に、前記事前に構成されたハイブリッド自動反復要求HARQプロセスの前記識別子は0または1であってもよく、あるいは前記端末装置によって選択されてもよい。
【００８６】
第十二の側面によれば、トランシーバを含むネットワーク装置が提供され、
前記トランシーバは、ランダム・アクセス・プリアンブルを受信するよう構成され；
前記トランシーバは、ランダム・アクセス応答を送信するよう構成され、前記ランダム・アクセス応答は第一の上りリンク承認を含み、
前記トランシーバは、前記第一の上りリンク承認に基づいて端末装置によって送られた上りリンク・データを受信するよう構成され、前記端末装置は前記上りリンク・データを、事前に構成されたハイブリッド自動反復要求（HARQ）プロセスを使って送信する。
【００８７】
任意的に、前記ネットワーク装置が前記上りリンク・データを受信した後、前記ネットワーク装置が前記上りリンク・データを受信しない場合には、前記トランシーバはさらに：
前記事前に構成されたHARQプロセスの識別子を含む第二の上りリンク承認を送信し；
前記第二の上りリンク承認に基づく前記事前に構成されたHARQプロセスを使って前記端末送信によって再送信された前記上りリンク・データを受信するよう構成される。
【００８８】
任意的に、前記ネットワーク装置が前記上りリンク・データを受信した後、前記ネットワーク装置が前記上りリンク・データを受信しない場合には、前記トランシーバはさらに：
前記HARQプロセスの識別子を含まない第二の上りリンク承認を送信し；
前記第二の上りリンク承認に基づく前記事前に構成されたHARQプロセスを使って前記端末装置によって再送信された前記上りリンク・データを受信するよう構成される。
【００８９】
任意的に、前記ネットワーク装置が前記上りリンク・データを受信した後、前記ネットワーク装置が前記上りリンク・データを受信しない場合には、前記トランシーバはさらに：
任意のHARQプロセスの識別子を含む第二の上りリンク承認を送信し；
前記第二の上りリンク承認に基づく前記事前に構成されたHARQプロセスを使って前記端末装置によって再送信された前記上りリンク・データを受信するよう構成され、前記端末装置は、前記第二の上りリンク承認に含まれる、前記HARQプロセスの前記識別子を無視する。
【００９０】
任意的に、前記事前に構成されたハイブリッド自動反復要求（HARQ）プロセスの前記識別子は0または1であってもよく、あるいは前記端末装置によって選択されてもよい。
【００９１】
本発明の実施形態では、端末装置は、上りリンク・データを送信するためにどのHARQプロセスが使われるかを簡単に判別する。さらに、ネットワーク装置も上りリンク・データを再送信するよう端末装置に命令するためにどのHARQプロセスが使われるかを簡単に判別する。それにより、上りリンク・データの信頼性を保証し、HARQプロセスの識別子がランダム・アクセス応答において上りリンク承認に加えられるためにランダム・アクセス応答メッセージのサイズが増し、端末装置がランダム・アクセス応答メッセージを適正に受信できないという問題が回避される。
【図面の簡単な説明】
【００９２】
【図１】従来技術における上りリンク参照信号の送信の概略図である。
【００９３】
【図２】本発明のある実施形態に基づく通信シナリオ図である。
【００９４】
【図３】本発明のある実施形態に基づく第一の概略的な例の図である。
【００９５】
【図４】本発明のある実施形態に基づく第二の概略的な例の図である。
【００９６】
【図５】本発明のある実施形態に基づく第三の概略的な例の図である。
【００９７】
【図６】本発明のある実施形態に基づく第一の端末装置の概略的な構造図である。
【００９８】
【図７】本発明のある実施形態に基づく第二の端末装置の概略的な構造図である。
【００９９】
【図８】本発明のある実施形態に基づく第一のネットワーク装置の概略的な構造図である。
【０１００】
【図９】本発明のある実施形態に基づく第二のネットワーク装置の概略的な構造図である。
【発明を実施するための形態】
【０１０１】
本発明は、ネットワーク装置および端末装置（terminal  deviceまたはterminal  equipment）を含む無線通信システムに適用されうる。端末装置は、ユーザーのための音声および／またはデータ接続性を提供する装置、無線接続機能をもつハンドヘルド装置または無線モデムに接続された別の処理装置であってもよい。無線端末は、無線アクセス・ネットワーク（radio  access  network、RAN）を使って一つまたは複数のコア・ネットワークと通信してもよい。無線端末は、携帯電話（または「セルラー」電話と称される）のようなモバイル端末またはモバイル端末をもつコンピュータであってもよい。たとえば、無線端末は、無線アクセス・ネットワークと音声および／またはデータを交換するポータブルな、ポケットサイズな、ハンドヘルドの、コンピュータ組み込みのまたは車両内のモバイル装置であってもよい。たとえば、無線端末は、パーソナル通信サービス（personal  communications  service、PCS）電話、コードレス電話、セッション開始プロトコル（Session  Initiation  Protocol、SIP）電話、無線ローカル・ループ（wireless  local  loop、WLL）ステーションまたは携帯情報端末（personal  digital  assistant、PDA）のような装置であってもよい。無線端末は、システム、加入者ユニット（subscriber  unit、SU）、加入者ステーション（subscriber  station、SS）、モバイル・ステーション（mobile  station、MS）、モバイル・コンソール、リモート・ステーション（remote  station、RS）、アクセス・ポイント（access  point、AP）、リモート端末（remote  terminal、RT）、アクセス端末（access  terminal、AT）、ユーザー端末（user  terminal、UT）、ユーザー・エージェント（user  agent、UA）、ユーザー・デバイスまたはユーザー装置（user  equipment、UE）と称されることもある。ネットワーク装置は、基地局、向上基地局、スケジューリング機能をもつリレー、基地局機能をもつ装置などであってもよい。基地局は、LTEシステムにおける進化型ノードB（evolved  NodeB、eNBまたはeNodeB）または別のシステムにおける基地局であってもよい。これは本発明の実施形態において限定されない。以下の実施形態は、端末装置がUEであり、ネットワーク装置がeNBである例を使って記述される。
【０１０２】
本発明の実施形態はTDD  LTEシステムを例として使って記述されることを注意しておくべきである。しかしながら、そのことは、本発明の実施形態がTDD  LTEシステムのみに適用可能であることを意味するものではない。実のところ、本発明の実施形態において提供される技術的解決策は、いかなるTDD通信システムにも適用されうる。
【０１０３】
下記は、当業者が本発明の実施形態における解決策をよりよく理解できるようにするために、付属の図面および実装を参照して本発明の実施形態をさらに記述する。
【０１０４】
図２は、本発明のある実施形態が実装されうる通信システムの概略的なシナリオ図である。図２における通信システムは単に、本発明のこの実施形態をより明瞭に記述するために与えられる、本発明のこの実施形態が実装されうるシナリオであり、本発明のこの実施形態の適用範囲を限定することは意図されていないことを注意しておくべきである。
【０１０５】
たとえば、図２は、LTEシステムにおける進化型ノードB（evolved  NodeB、eNBまたはeNodeB）およびユーザー装置（user  equipment、UE）を示している。UEはeNBにデータを送ってもよく、さらにeNBからデータを受信してもよい。本発明のこの実施形態が適用されうる別の通信システムはより多くの端末装置を含んでいてもよく、より多くのネットワーク装置をさらに含んでいてもよいことを注意しておくべきである。
【０１０６】
任意的に、LTEシステムにおいて、一つの無線フレームは10個のサブフレームを含み、各サブフレームの長さは1ミリ秒であり、各サブフレームは二つの時間スロットを含み、各時間スロットは0.5ミリ秒である。
【０１０７】
各時間スロットに含まれるシンボルの量は、サブフレームにおける循環プレフィックス（cyclic  prefix、CP）の長さに関係している。CPが通常（normal）CPであれば、各スロットは七つのシンボルを含み、各サブフレームは14個のシンボルを含む。たとえば、各サブフレームは、シーケンス番号がそれぞれ#0、#1、#2、#3、#4、#5、#6、#7、#8、#9、#10、#11、#12、#13であるシンボルを含む。CPが拡張（extended）CPであれば、各時間スロットは六つのシンボルを含み、各サブフレームは12個のシンボルを含む。たとえば、各サブフレームは、シーケンス番号がそれぞれ#0、#1、#2、#3、#4、#5、#6、#7、#8、#9、#10、#11であるシンボルを含む。
【０１０８】
本発明のこの実施形態では、上りリンク・シンボルおよび下りリンク・シンボルはシンボルと称される。たとえば、上りリンク・シンボルは単一搬送波周波数分割多重アクセス（single  carrier  frequency  division  multiple  access、SC-FDMA）シンボルであってもよく、あるいは直交周波数分割多重（orthogonal  frequency  division  multiplexing、OFDM）シンボルであってもよく、下りリンク・シンボルは直交周波数分割多重（orthogonal  frequency  division  multiplexing、OFDM）シンボルであってもよい。
【０１０９】
図３は、本発明のある実施形態に基づく上りリンク参照信号送信方法のフローチャートである。図３の方法は、端末装置（たとえば図２のUE）によって実行される。
【０１１０】
段階３００：端末装置が、L個の成分搬送波を有効化する。前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である。
【０１１１】
段階３０１：端末装置が、上りリンク参照信号送信時間を決定する。
【０１１２】
段階３０２：端末装置が、前記送信時間内にN1個の第二成分搬送波上で上りリンク参照信号を送信する。N1は正の整数であり、N1≦Nであり；端末装置は、前記送信時間内にM1個の第一成分搬送波上で、上りリンク信号を送ることを禁止され、M1は正の整数であり、N1≦M1≦Mである。
【０１１３】
たとえば、第一成分搬送波は、その端末装置のために構成された主要セルに対応する搬送波を含み、第二成分搬送波は、その端末装置のために構成された副次セルに対応する搬送波を含み、搬送波または成分搬送波はセルとも称される。本発明のこの実施形態はそれに限定されない。第一成分搬送波では、上りリンク・データ送信のスケジューリングが許容され、第二成分搬送波では、上りリンク・データ送信のスケジューリングが禁止されていればよい。この記述は他の実施形態にも適用可能であることを注意しておくべきである。
【０１１４】
たとえば、上りリンク参照信号は測量参照信号（sounding  reference  signal、SRS）であってもよいが、本発明のこの実施形態はそれに限定されない。あるいはまた、上りリンク参照信号は別の型の参照信号であってもよい。
【０１１５】
上記の技術的解決策では、端末装置によって有効化されるL個の成分搬送波は、その上で上りリンク・データ送信のスケジューリングが許容されるM個の第一成分搬送波およびその上で上りリンク・データ送信のスケジューリングが禁止されるN個の第二成分搬送波を含む。上りリンク・データ送信のスケジューリングが許容され、端末装置によって有効化される成分搬送波の量Mが端末装置の処理能力を超えないと考えられうる。端末装置は決定された上りリンク参照信号送信時間内にN1個の第二成分搬送波上で上りリンク参照信号を送信し、該送信時間内に前記M個の第一成分搬送波におけるM1個の第一成分搬送波上では上りリンク信号を送ることを禁止される。N1≦M1、つまり前記送信時間内に、上りリンク参照信号が送られる第二成分搬送波の量N1が上りリンク信号の送信が禁止される第一成分搬送波の量M1以下なので、送信時間内に上りリンク信号が送られる成分搬送波の量M＋N1−M1はいまだM以下であることが保証されることができ、送信時間内に上りリンク信号が送られる成分搬送波の量が、端末装置の処理能力を超えないことが保証され、端末装置が、その上で上りリンク・データ送信のスケジューリングが許容される成分搬送波およびその上で上りリンク・データ送信のスケジューリングが禁止される成分搬送波を再構成する必要がなく、それにより対応する信号伝達のオーバーヘッドおよび複雑な処理手順を回避し、端末装置の成分搬送波のチャネル特性を効率的に報告する。
【０１１６】
任意的に、端末装置は、決定された上りリンク参照信号送信時間をネットワーク装置に通知してもよい。このようにして、ネットワーク装置は、端末装置による上りリンク参照信号の送信のための時間を得ることができる。
【０１１７】
ある任意的な実施形態では、段階３０１において端末装置によって決定された上りリンク参照信号送信時間は、第一のサブフレーム内であり、前記上りリンク参照信号を送信するために使われる少なくとも一つのOFDMシンボルを含んでいてもよい。たとえば、端末装置がその間にN1個の第二成分搬送波上で上りリンク参照信号を送信する送信時間は、第一のサブフレームにおける任意のOFDMシンボルであってよく、あるいは第一のサブフレームにおける複数のOFDMシンボルまたは全部のOFDMシンボルであってもよい。端末装置が第一のサブフレームにおける全部のOFDMシンボルで上りリンク参照信号を送るときは、端末装置によって決定された上りリンク参照信号送信時間は第一のサブフレームであると考えられてもよい。任意的に、送信時間はさらに、第二のサブフレームにおける少なくとも一つのOFDMシンボルを含んでいてもよい。たとえば、端末装置がその間にN1個の第二成分搬送波上で上りリンク参照信号を送信する送信時間は、第一のサブフレームにおける最後の三つのOFDMシンボルおよび第二のサブフレームにおける最初の二つのOFDMシンボルであってもよい。前記第一のサブフレームは一つのサブフレームであってもよく、あるいは複数のサブフレーム、たとえば各無線フレームにおける最後のサブフレームであってもよい。この場合、第一のサブフレームは周期的である。同様に、前記第二のサブフレームは一つのサブフレームであってもよく、あるいは複数のサブフレーム、たとえば各無線フレームにおける最初のサブフレームであってもよい。この場合、第二のサブフレームは周期的である。
【０１１８】
本発明のこの実施形態において、前記第一のサブフレームにおける前記少なくとも一つのOFDMシンボルは、端末装置がN1個の第二成分搬送波上で上りリンク参照信号を送る時間領域であることを注意しておくべきである。端末装置が上りリンク参照信号を前記N1個の第二成分搬送波上で前記第一のサブフレームにおける前記少なくとも一つのOFDMシンボルにおいて送る場合と、端末装置が上りリンク参照信号を前記第一のサブフレームにおける前記少なくとも一つのOFDMシンボルにおいて前記N1個の第二成分搬送波上で送る場合とはどちらも、端末装置が上りリンク参照信号を「前記第一のサブフレームにおける前記少なくとも一つのOFDMシンボル」の時間領域において前記N1個の第二成分搬送波上で別個に送ることを示す。
【０１１９】
任意的に、前記第一のサブフレームおよび／または前記少なくとも一つのOFDMシンボルは事前設定される。たとえば、前記第一のサブフレームは、一つの無線フレームにおける任意のサブフレームまたは各無線フレームにおける任意のサブフレームに事前設定されてもよく、それにより、上りリンク参照信号は、事前設定された第一のサブフレームにおける前記少なくとも一つのOFDMシンボルにおいて送られる。たとえば、前記少なくとも一つのOFDMシンボルは、一つのサブフレームにおける最初の三つのOFDMシンボルに事前設定されてもよく、それにより、前記第一のサブフレームが決定された後、上りリンク参照信号は、前記第一のサブフレームにおける最初の三つのOFDMシンボルにおいて送られる。たとえば、ある実施形態では、前記第一のサブフレームおよび前記少なくとも一つのOFDMシンボルは、各無線フレームにおける最後のサブフレームおよび最後のOFDMシンボルに事前設定されてもよい。
【０１２０】
任意的に、前記第一のサブフレームおよび／または前記少なくとも一つのOFDMシンボルは、より上位層の信号伝達を使って構成される。たとえば、前記第一のサブフレームは、より上位層の信号伝達を使って、一つの無線フレームまたは複数の無線フレームにおける任意のサブフレームとして構成されてもよく、それにより、上りリンク参照信号は、構成された第一のサブフレームにおける前記少なくとも一つのOFDMシンボルにおいて送られる。たとえば、前記少なくとも一つのOFDMシンボルは、より上位層の信号伝達を使って、一つのサブフレームにおける最初の三つのOFDMシンボルとして構成されてもよく、それにより、前記第一のサブフレームが決定された後、上りリンク参照信号は、前記第一のサブフレームにおける前記最初の三つのOFDMシンボルにおいて送られる。たとえば、ある実施形態では、前記第一のサブフレームおよび前記少なくとも一つのOFDMシンボルは、より上位層の信号伝達を使って、各無線フレームにおける最後のサブフレームおよび最後のOFDMシンボルとして構成されてもよい。
【０１２１】
ある任意的な実施形態では、段階３０１において端末装置によって決定される上りリンク参照信号送信時間は、上りリンク参照信号を送るために使われる第一のサブフレームにおけるP個のOFDMシンボルを含んでいてもよく、Pは正の整数である。さらに、端末装置が前記送信時間内にM1個の第一成分搬送波上で上りリンク信号を送ることを禁止される段階３０２は：Q個の連続するOFDMシンボルにおいてM1個の第一成分搬送波上で前記端末装置が上りリンク信号を送ることを禁止されることを含み、前記Q個のOFDMシンボルは前記P個のOFDMシンボルを含み、Q＞Pであり、Qは正の整数である。たとえば、端末装置が三つの成分搬送波を有効化し、成分搬送波0および成分搬送波1が第一成分搬送波であり、成分搬送波2が第二成分搬送波である。端末装置は、第一のサブフレームにおける最後の三つのOFDMシンボルにおいて成分搬送波2で上りリンク参照信号を送信し、端末装置は、第一のサブフレームにおける最後の五つのOFDMシンボルにおいて成分搬送波1では、上りリンク信号を送ることを禁止される。つまり、P＝3、Q＝5である。むろん、端末装置はさらに、第一のサブフレームにおける最後の五つのOFDMシンボルおよび第一のサブフレームの次のサブフレームにおける最初の二つのOFDMシンボルにおいて成分搬送波1で、上りリンク信号を送ることを禁止されてもよい。つまり、P＝3、Q＝7である。異なる端末装置は異なる処理能力をもち、限られた処理能力のため、端末装置は、時間0での切り換えを実装することはできない。具体的には、端末装置は前記N1個の成分搬送波上で上りリンク参照信号を同じ瞬間に送ることはできず、前記M1個の成分搬送波で同じ瞬間に、上りリンク信号を送ることを禁止されることはできない。たとえば、端末装置は第一の瞬間に前記N1個の成分搬送波で上りリンク参照信号を送るが、その瞬間に、前記M1個の成分搬送波で同じ瞬間に、上りリンク信号を送ることを禁止されはしない。この場合、同時に上りリンク信号が送られる成分搬送波の量が端末装置の処理能力を超えて、送信コンフリクト、送信失敗などを引き起こすことがある。よって、前記M1個の成分搬送波上で上りリンク信号の送信が禁止されるOFDMシンボルの量Qは、前記N1個の成分搬送波上で上りリンク参照信号が送られるOFDMシンボルの量Pより多く、前記M1個の成分搬送波上で上りリンク信号の送信が禁止される前記Q個のOFDMシンボルは、前記N1個の成分搬送波上で上りリンク参照信号が送られる前記P個のOFDMシンボルを含む。それにより、上りリンク参照信号が送られる前記P個のOFDMシンボルのために保護時間がリザーブされることができ、それにより、上りリンク参照信号が前記N1個の成分搬送波上で同じ瞬間に送られ、上りリンク信号の送信が同じ瞬間に前記M1個の成分搬送波上では禁止されているために引き起こされる、送信コンフリクトまたは送信失敗が避けられる。
【０１２２】
任意的に、前記Q個のOFDMシンボルは動的に設定される。たとえば、前記P個のOFDMシンボルを決定した後、端末装置は、前記P個のOFDMシンボルの前にm個のOFDMシンボルを加え、および／または前記P個のOFDMシンボルの後にn個のOFDMシンボルを加え、それにより前記Q個のOFDMシンボルを形成してもよい。mおよびnはいずれも正の整数である。換言すれば、前記Q個のOFDMシンボルはm＋P個の連続するOFDMシンボルまたはP＋n個の連続するOFDMシンボルまたはm＋P＋n個のOFDMシンボルである。
【０１２３】
ある任意的な実施形態では、端末装置は、ネットワーク装置から第一の指示情報を受信する。前記第一の指示情報は、前記N1個の第二成分搬送波を指示するために使われ、および／または前記第一の指示情報は、前記M1個の第一成分搬送波を指示するために使われる。具体的には、端末装置が前記送信時間内に上りリンク参照信号を送る前記N1個の第二成分搬送波が、ネットワーク装置によって送られる前記第一の指示情報によって示され、および／または端末装置が前記送信時間内に上りリンク信号を送ることを禁止される前記M1個の第一成分搬送波が、ネットワーク装置によって送られる前記第一の指示情報によって示される。
【０１２４】
任意的に、前記第一の指示情報は、前記N1個の第二成分搬送波の搬送波識別子を含む。たとえば、端末装置によって有効化された五つの成分搬送波の識別子はそれぞれ0、1、2、3、4である。成分搬送波0および成分搬送波1が第一成分搬送波であり、成分搬送波2、成分搬送波3および成分搬送波4が第二成分搬送波である。ネットワーク装置によって送られた第一の指示情報は、成分搬送波の識別子2、3、4のうち少なくとも一つを含んでいてもよい。任意的に、第一の指示情報は、前記M1個の第一の成分搬送波の搬送波識別子を含む。たとえば、成分搬送波0および成分搬送波1が第一成分搬送波である。第一の指示情報は、これらの成分搬送波の識別子0および1のうち少なくとも一つを含んでいてもよい。むろん、成分搬送波の識別子はこれらに限定されず、端末装置の成分搬送波はいかなる識別子によって表現されてもよい。
【０１２５】
任意的に、前記第一の指示情報はビットマップ（bitmap）を含み、前記ビットマップは少なくともNビットを含み、前記Nビットは前記N個の第二成分搬送波に対応し、前記Nビットは前記N1個の第二成分搬送波を示すために使われる。たとえば、端末装置は五つの成分搬送波を有効化し、成分搬送波0および成分搬送波1が第一成分搬送波であり、成分搬送波2、成分搬送波3および成分搬送波4が第二成分搬送波である。よって、N1個の第二成分搬送波を示すためには三つのビットが使用されてもよい。該三つのビットはそれぞれ成分搬送波2、成分搬送波3および成分搬送波4に対応する。前記送信時間内にその上で上りリンク参照信号が送られる必要のある成分搬送波に対応するビットの値が「1」であるとすると、「011」はN1＝2を表わす。つまり、前記N1個の第二成分搬送波は成分搬送波3および成分搬送波4である。任意的に、前記ビットマップはさらに、少なくともLビットを含み、該Lビットは端末装置によって有効化されたL個の成分搬送波に対応する。この場合、該Lビットは、前記M1個の第一成分搬送波および前記N1個の第二成分搬送波を示すために使われる。たとえば、成分搬送波0および成分搬送波1が第一成分搬送波であり、成分搬送波2、成分搬送波3および成分搬送波4が第二成分搬送波である。前記送信時間内にその上で上りリンク信号の送信が禁止される第一成分搬送波に対応するビットの値が「0」であり、前記送信時間内にその上で上りリンク参照信号が送られる必要のある第二成分搬送波に対応するビットの値が「1」であるとすると、「10100」はM1＝1、つまり前記M1個の第一成分搬送波が成分搬送波1であること、およびN1＝1、つまり前記N1個の第二成分搬送波が成分搬送波2であることを表わす。
【０１２６】
任意的に、前記N個の第二成分搬送波は複数の第二成分搬送波グループに分類され、前記第二成分搬送波グループの少なくとも一つは前記N1個の第二成分搬送波を含み、前記第一の指示情報は前記複数の第二成分搬送波グループの一つを示すための少なくとも一つのビットを含む。たとえば、端末装置は八つの成分搬送波を有効化し、成分搬送波0、成分搬送波1および成分搬送波2が第一成分搬送波であり、成分搬送波3ないし成分搬送波7が第二成分搬送波である。第二成分搬送波グループ0は成分搬送波3ないし成分搬送波5を含み、第二成分搬送波グループ1は成分搬送波6および成分搬送波7を含む。N1＝3、つまり前記N1個の第二成分搬送波が成分搬送波3ないし成分搬送波5を含むとき、前記第一の指示情報は、前記第二の成分搬送波グループ0を示す一つのビットを含んでいてもよく、該ビットがビット値「0」を使うことによって、前記第二の成分搬送波グループ0を示す。
【０１２７】
ある任意的な実施形態では、前記第一の指示情報は、媒体アクセス制御制御要素（Media  Access  Control  control  element、MAC  CE）、物理下りリンク制御チャネル（physical  downlink  control  channel、PDCCH）または無線資源制御（radio  resource  control、RRC）メッセージにおいて搬送される。たとえば、第一の指示情報はMAC  CEにおいて搬送される。第一の指示情報を搬送するMAC  CEは少なくとも一つのビットを含み、前記少なくとも一つのビットが、前記N1個の第二成分搬送波の少なくとも一つを示すために使われる。前記N1個の第二成分搬送波を示すために一バイトのMAC  CEが使われてもよく、該一バイトのMAC  CEは八ビットを含み、それがそれぞれビット0ないしビット7と記される。ビット7はリザーブされるビットとして使われ、七つのビット、つまりビット0ないし6のうちの一つまたは複数がそれぞれ前記N1個の第二成分搬送波の一つまたは複数に対応し、それにより前記N1個の第二成分搬送波はMAC  CEにおけるビットの値に基づいて示される。たとえば、ビット0ないし6はそれぞれ端末装置によって有効化された成分搬送波0ないし成分搬送波6に対応する。ビット0ないし6のビット値がそれぞれ「0001011」であるとき、それはN1＝3、つまりN1個の成分搬送波がそれぞれ成分搬送波3、成分搬送波5および成分搬送波6であることを示す。それにより、端末装置は、送信時間内に、成分搬送波3、成分搬送波5および成分搬送波6で上りリンク参照信号を送る。あるいはまた、ビット3が端末装置によって有効化された成分搬送波6に対応する。ビット3の値が「1」であるとき、それは端末装置が送信時間内に成分搬送波6で上りリンク参照信号を送ることを示す。ある任意的な実施形態では、MAC  CEにおけるビットと端末装置によって有効化される成分搬送波との間の対応は、RRCメッセージを使って構成されてもよい。ある任意的な実施形態では、MAC  CEは複数のバイトを含む。
【０１２８】
ある任意的な実施形態では、前記端末装置によって、上りリンク参照信号送信時間を決定する前記段階は：前記端末装置によって、上りリンク参照信号送信時間を、前記第一の指示情報に従って決定することを含む。具体的には、前記第一の指示情報は、前記N1個の第二成分搬送波を示すために使われるだけではなく、上りリンク参照信号送信時間を決定するためにも使われてもよい。ある任意的な実施形態では、前記第一のサブフレームは前記第一の指示情報が受信されるサブフレームの次のサブフレームである。この場合、端末装置は、前記第一の指示情報が受信されるサブフレームの次のサブフレームが、上りリンク参照信号を送るために使われる第一のサブフレームであると決定し、決定された前記第一のサブフレームにおける一つまたは複数のOFDMシンボルにおいて、前記N1個の第二成分搬送波上で、上りリンク参照信号を送る。
【０１２９】
ある任意的な実施形態では、前記第一のサブフレームは(n＋k)番目のサブフレームであり、前記第一の指示情報が受信されるサブフレームがサブフレームnであり、kは事前設定されており、kは0または正の整数であり、nは前記第一の指示情報が受信されるサブフレームの識別子である。この場合、端末装置はサブフレームnにおいて第一の指示情報を受信し、次いで、端末装置は(n＋k)番目のサブフレームにおける一つまたは複数のOFDMシンボルにおいて、前記N1個の第二成分搬送波で、上りリンク参照信号を送る。たとえば、k＝0であれば、端末装置はサブフレームnにおいて第一の指示情報を受信し、次いで、該サブフレームnにおける最後のOFDMシンボルにおいて、前記N1個の第二成分搬送波で、上りリンク参照信号を送る。たとえば、k＝5であれば、端末装置はサブフレームnにおいて第一の指示情報を受信し、次いで、サブフレームnの後五つめのサブフレーム、つまり(n＋5)番目のサブフレームにおける一つまたは複数のOFDMシンボルにおいて、前記N1個の第二成分搬送波で、上りリンク参照信号を送る。
【０１３０】
ある任意的な実施形態では、前記第一のサブフレームは(n＋k)番目のサブフレームであり、n番目のサブフレームは前記第一の指示情報が受信されるサブフレームnであり、前記第一の指示情報はさらに送信時間情報を含み、kを示すために使われ、kは0または正の整数であり、nは前記第一の指示情報が受信されるサブフレームの識別子である。この場合、端末装置はサブフレームnにおいて第一の指示情報を受信し、次いで、端末装置は、第一の指示情報によって示される値kに基づいて、(n＋k)番目のサブフレームにおける一つまたは複数のOFDMシンボルにおいて、前記N1個の第二成分搬送波で、上りリンク参照信号を送る。
【０１３１】
ある任意的な実施形態では、前記N個の第二成分搬送波は複数の第二成分搬送波グループに分類され、前記第二成分搬送波グループの少なくとも一つは前記N1個の第二成分搬送波を含み、異なる第一のサブフレームには異なる第二成分搬送波グループが対応する。この場合、端末装置によって受信される第一の指示情報は、前記複数の第二成分搬送波グループの一つを示す。したがって、第一の指示情報によって示される第二成分搬送波グループに対応する第一のサブフレームが、種々の第二成分搬送波グループと種々の第一のサブフレームとの間の対応に基づいて決定されうる。それにより、端末装置は、対応する第一のサブフレームにおいて、前記N1個の第二成分搬送波で、上りリンク参照信号を送る。
【０１３２】
ある任意的な実施形態では、端末装置が、前記送信時間内にN1個の第二成分搬送波上で上りリンク参照信号を送信する段階３０２の前に、本方法はさらに：前記端末装置によって、前記N1個の第二成分搬送波の少なくとも一つでプリアンブルを送信する段階と；前記端末装置によって、前記プリアンブルに対応するランダム・アクセス応答（random  access  response、RAR）メッセージを受信する段階であって、前記RARメッセージは上りリンク・タイミング先行量（timing  advance、TA）を示すために使われる情報を含む、段階を含む。上記のようにして、端末装置は、前記N1個の第二成分搬送波の前記少なくとも一つでネットワーク装置にプリアンブルを送り、次いで、RARメッセージを受信し、該RARメッセージから上りリンクTAを取得する。それにより、取得された上りリンクTAに基づいて、前記N1個の第二成分搬送波の前記少なくとも一つで、ネットワーク装置に上りリンク参照信号を適正に送る。
【０１３３】
本発明のこの実施形態において、前記N1個の第二成分搬送波の少なくとも一つでプリアンブルを送信した後、端末装置は、前記M個の第一成分搬送波の少なくとも一つで、プリアンブルに対応するTA情報を受信してもよく、あるいは前記N個の第二成分搬送波の少なくとも一つで、プリアンブルに対応するTA情報を受信してもよいことを注意しておくべきである。これは本発明において限定されない。
【０１３４】
上記の実装において、送信されたプリアンブルに基づいて端末装置によって受信されるRARメッセージは、上りリンク制御情報を含む。たとえば、上りリンク制御情報は上りリンク承認（uplink  grant、ULグラント）である。しかしながら、端末装置は上りリンクTAを取得する必要があるだけであり、上りリンク制御情報に基づいて上りリンク・データ送信をスケジュールする必要はない。よって、任意的に、端末装置は、RARメッセージにおける上りリンク制御情報を無視してもよい。つまり、RARメッセージにおける上りリンク制御情報を識別しない。それにより、端末装置の処理手順を軽減する。任意的に、前記N1個の第二成分搬送波の前記少なくとも一つでネットワーク装置に送信されたプリアンブルをネットワーク装置が受信した後、ネットワーク装置は、生成されるRARメッセージにおける上りリンク制御情報に対応する値を「0」に設定してもよい。それにより、ネットワーク装置の処理手順を軽減する。
【０１３５】
ある任意的な実施形態では、端末装置は、前記プリアンブルに対応する第二の指示情報を受信する。ここで、前記第二の指示情報はTAを示すために使われ、前記第二の指示情報は上りリンク制御情報を含まない。この場合、前記N1個の第二成分搬送波の前記少なくとも一つでプリアンブルを受信した後、ネットワーク装置は該第二の指示情報を生成する。ここで、前記第二の指示情報は上りリンクTAを示すために使われ、前記第二の指示情報は上りリンク制御情報を含まない。ネットワーク装置は、該第二の指示情報を、前記N1個の第二成分搬送波の前記少なくとも一つで端末装置に送る。既存のシステムへの変更を減らすために、前記N1個の第二成分搬送波の前記少なくとも一つでプリアンブルを受信した後、ネットワーク装置はRARメッセージを生成して、該RARメッセージを端末装置に送ってもよいが、端末装置は該RARメッセージを受信しない、あるいは前記N1個の第二成分搬送波の前記少なくとも一つでプリアンブルを受信した後、ネットワーク装置はRARメッセージを生成しない。上記のようにして、端末装置は第二の指示情報を受信し、ここで、前記第二の指示情報は上りリンクTAを示すために使われ、前記第二の指示情報は上りリンク制御情報を含まない。これは、その上で上りリンク・データ送信のスケジューリングが要求されないまたは許されない前記成分搬送波について上りリンク制御情報を構成することを回避しうる。
【０１３６】
ある任意的な実施形態では、第二の指示情報はMAC  CEにおいて搬送される。任意的に、第二の指示情報を搬送するMAC  CEは、事前設定された論理チャネル識別子（logical  channel  identity、LCID）を含む。この場合、事前設定されたLCIDは第二の指示情報に対応する。それにより、端末装置は、事前設定されたLCIDに基づいて、受領されたMAC  CEにおいて搬送される情報が第二の指示情報であるかどうかを判定できる。
【０１３７】
任意的に、端末装置が前記N1個の第二成分搬送波の少なくとも一つでプリアンブルを送信する前記段階の前に、本方法はさらに：前記端末装置によって、前記ネットワーク装置によって送られた構成情報を受信する段階であって、前記構成情報は、前記N1個の第二成分搬送波の前記少なくとも一つのランダム・アクセス資源を示すために使われる、段階と；前記端末装置によって、物理下りリンク制御チャネル（PDCCH）を使って前記ネットワーク装置によって送られたランダム・アクセス制御情報を受信する段階であって、前記ランダム・アクセス制御情報は、前記プリアンブルを送信するよう前記端末装置をトリガーするために使われる、段階とを含む。
【０１３８】
図４は、端末装置がネットワーク装置から上りリンクTAを得る方法を与える。
【０１３９】
段階４００：端末装置が、有効化された第二成分搬送波のうちの少なくとも一つでネットワーク装置にプリアンブルを送信する。前記第二成分搬送波はその上で上りリンク・データ送信のスケジューリングが禁止されている搬送波である。
【０１４０】
段階４０１：ネットワーク装置が前記少なくとも一つの第二成分搬送波で前記プリアンブルを受信する。
【０１４１】
段階４０２：ネットワーク装置が前記プリアンブルに対応する第二の指示情報を生成する。第二の指示情報はTAを示すために使われる。
【０１４２】
段階４０３：ネットワーク装置が第二の指示情報を端末装置に送る。
【０１４３】
ネットワーク装置は、前記第二の指示情報をM個の第一成分搬送波の少なくとも一つで送ってもよく、あるいは前記第二の指示情報をN個の第二成分搬送波の少なくとも一つで送ってもよい。たとえば、ネットワーク装置は、前記第二の指示情報を主要搬送波上で端末装置に送ってもよい。これは本発明において限定されない。
【０１４４】
段階４０４：端末装置が、前記第二の指示情報をネットワーク装置から受信する。
【０１４５】
上記の技術的解決策では、端末装置は、上りリンクTAを得るために、その上で上りリンク・データ送信のスケジューリングが禁止されている成分搬送波上でネットワーク装置にプリアンブルを送ることができる。
【０１４６】
任意的に、前記第二の指示情報は、上りリンク制御情報を含まない。したがって、端末装置は、第二の指示情報を受信し、その第二の指示情報が上りリンクTAを示すために使われ、第二の指示情報は上りリンク制御情報を含まない。これは、その上で上りリンク・データ送信のスケジューリングが要求されないまたは許されない成分搬送波のために上りリンク制御情報を構成することを避けうる。任意的に、第二の指示情報はMAC  CEにおいて搬送され、MAC  CEのLCIDは第二の指示情報に対応する。任意的に、LCIDは事前設定される。任意的に、第二の指示情報はRARメッセージであり、該RARメッセージにおける上りリンク制御情報に対応する値は「0」である。
【０１４７】
任意的に、前記第二の指示情報はRARメッセージであり、前記端末装置は、前記RARメッセージにおける上りリンク制御情報を無視する。
【０１４８】
任意的に、端末装置が、有効化された第二成分搬送波のうちの少なくとも一つでプリアンブルを送信する前に、端末装置は、前記ネットワーク装置から構成情報を受信する。ここで、前記構成情報は、前記少なくとも一つの第二成分搬送波のランダム・アクセス資源を示すために使われる。端末装置は、物理下りリンク制御チャネルPDCCHを使って前記ネットワーク装置によって送られたランダム・アクセス制御情報を受信する。ここで、前記ランダム・アクセス制御情報は、前記プリアンブルを送信するよう前記端末装置をトリガーするために使われる。
【０１４９】
図４で与えられている、端末装置がネットワーク装置から上りリンクTAを取得する方法は、端末装置およびネットワーク装置（たとえば図２のUEおよびeNodeB）によって実行されうる。
【０１５０】
たとえば、図４の方法を実行しうる端末装置が提供され、該端末装置はプロセッサおよびトランシーバを含む。
【０１５１】
前記トランシーバは、有効化された第二成分搬送波のうちの少なくとも一つでネットワーク装置にプリアンブルを送信するよう構成され、前記第二成分搬送波はその上で上りリンク・データ送信のスケジューリングが禁止されている搬送波である。
【０１５２】
前記トランシーバはさらに、前記プリアンブルに対応する第二の指示情報を前記ネットワーク装置から受信するよう構成され、前記第二の指示情報はTAを示すために使われる。
【０１５３】
たとえば、図４の方法を実行しうるネットワーク装置が提供され、該ネットワーク装置はプロセッサおよびトランシーバを含む。
【０１５４】
前記トランシーバは、少なくとも一つの第二成分搬送波で端末装置からプリアンブルを受信するよう構成され、前記第二成分搬送波はその上で上りリンク・データ送信のスケジューリングが禁止されている搬送波である。
【０１５５】
前記プロセッサは、前記プリアンブルに対応する第二の指示情報を生成するよう構成され、前記第二の指示情報はTAを示すために使われる。
【０１５６】
前記トランシーバはさらに、前記第二の指示情報を前記端末装置に送信するよう構成される。
【０１５７】
端末装置がネットワーク装置から上りリンクTAを取得する実装およびネットワーク装置が端末装置にTAを示す具体的実装については、方法実施形態における記述が参照されることを注意しておくべきである。端末装置およびネットワーク装置の実施形態は、上記の方法実施形態と同じ概念に基づいており、端末装置およびネットワーク装置によってもたらされる技術的効果は上記の方法実施形態のものと同じである。具体的内容については、上記の方法実施形態における記述を参照されたい。ここで再び詳細を記述することはしない。
【０１５８】
図５は、本発明のある実施形態に基づく、上りリンク参照信号受信方法のフローチャートである。図５の方法はネットワーク装置（たとえば図２におけるeNodeB）によって実行される。本方法は別個の実施形態として使われてもよく、あるいは上記の上りリンク参照信号送信方法と一緒に使われてもよいことを注意しておくべきである。特に断わりのない限り、この実施形態の、上記の実施形態と同じ内容については、上記の実施形態における記述を参照されたい。ここで再び詳細を記述することはしない。この実施形態は以下の段階を含む。
【０１５９】
段階５００：ネットワーク装置が、端末装置のためのL個の成分搬送波を構成する。前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である。
【０１６０】
段階５０１：ネットワーク装置は、上りリンク参照信号送信時間内にN1個の第二成分搬送波上で前記端末装置から上りリンク参照信号を受信する。N1は正の整数であり、N1≦Nである。ネットワーク装置は、前記送信時間内にM1個の第一成分搬送波上で前記端末装置の上りリンク信号がないことを判別する。M1は正の整数であり、N1≦M1≦Mである。
【０１６１】
任意的に、段階５０１の前に、ネットワーク装置は前記送信時間を前記端末装置から受信し、前記送信時間は、前記端末装置によって決定された、前記上りリンク参照信号を送るために使われる時間である。
【０１６２】
ある任意的な実施形態では、前記ネットワーク装置によって、送信時間内にN1個の第二成分搬送波上で上りリンク参照信号を受信することは：前記ネットワーク装置によって、第一のサブフレームにおけるP個のOFDMシンボルにおいてN1個の第二成分搬送波上で上りリンク参照信号を受信することを含み；前記ネットワーク装置によって、前記送信時間内にM1個の第一成分搬送波上で前記端末装置の上りリンク信号がないことを判別することは：前記ネットワーク装置によって、Q個の連続するOFDMシンボルにおいてM1個の第一成分搬送波上で前記端末装置の上りリンク信号がないことを判別することを含み、前記Q個のOFDMシンボルは前記P個のOFDMシンボルを含み、Q＞Pである。
【０１６３】
ある任意的な実施形態では、前記ネットワーク装置によって、送信時間内にN1個の第二成分搬送波上で上りリンク参照信号を受信する前記段階の前に、本方法はさらに：前記ネットワーク装置によって、前記N1個の第二成分搬送波の少なくとも一つでプリアンブルを受信する段階と；前記ネットワーク装置によって、前記プリアンブルが受信された前記少なくとも一つの第二成分搬送波上でランダム・アクセス応答（RAR）メッセージを送信する段階であって、前記RARメッセージは上りリンク・タイミング先行量（TA）を示すために使われる情報を含む、段階とを含む。上記のようにして、ネットワーク装置は、前記N1個の第二成分搬送波の前記少なくとも一つで端末装置からプリアンブルを受信し、次いで、前記少なくとも一つの第二成分搬送波で前記RARメッセージを送信し、端末装置は該RARメッセージから上りリンクTAを取得し、取得された上りリンクTAに基づいて、前記N1個の第二成分搬送波の前記少なくとも一つで、ネットワーク装置に上りリンク参照信号を適正に送る。
【０１６４】
任意的に、ネットワーク装置は、前記プリアンブルが受信された前記少なくとも一つの第二成分搬送波上で第二の指示情報を送信する。前記第二の指示情報はTAを示すために使われ、前記第二の指示情報は上りリンク制御情報を含まない。この場合、前記N1個の第二成分搬送波の前記少なくとも一つでプリアンブルを受信した後、ネットワーク装置は該第二の指示情報を生成する。ここで、前記第二の指示情報はTAを示すために使われ、前記第二の指示情報は上りリンク制御情報を含まない。ネットワーク装置は、該第二の指示情報を、前記N1個の第二成分搬送波の前記少なくとも一つで端末装置に送る。
【０１６５】
任意的に、ネットワーク装置は、前記端末装置に第二の構成情報を送信する。前記第二の構成情報は、前記N1個の第二成分搬送波の前記少なくとも一つのランダム・アクセス資源を示すために使われる。ネットワーク装置は、第二のPDCCHを使って前記端末装置にランダム・アクセス制御情報を送信する。前記ランダム・アクセス制御情報は、前記プリアンブルを送信するよう前記端末装置をトリガーするために使われる。
【０１６６】
本発明のある実施形態はさらに、上記の実施形態を実装するよう端末装置を提供する。端末装置は上記の実施形態における方法を実行できることを注意しておくべきである。よって、端末装置の具体的詳細については、上記の実施形態における記述を参照されたい。簡潔のため、同じ内容を下記で再び述べることはしない。
【０１６７】
図６に示されるように、端末装置はプロセッサおよびトランシーバを含んでいてもよい。むろん、端末装置はさらにメモリなどを含んでいてもよい。
【０１６８】
前記プロセッサは：L個の成分搬送波を有効化する段階であって、前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である、段階と；上りリンク参照信号送信時間を決定する段階とを実行するよう構成される。
【０１６９】
前記トランシーバは、前記送信時間内にN1個の第二成分搬送波上で上りリンク参照信号を送信するよう構成されており、N1は正の整数であり、N1≦Nである。
【０１７０】
前記プロセッサは、前記送信時間内にM1個の第一成分搬送波上で上りリンク信号を送ることを禁止されるよう構成され、M1は正の整数であり、N1≦M1≦Mである。
【０１７１】
本発明のある実施形態はさらに、上記の実施形態を実装するよう別の端末装置を提供する。端末装置は上記の実施形態における方法を実行できることを注意しておくべきである。よって、端末装置の具体的詳細については、上記の実施形態における記述を参照されたい。簡潔のため、同じ内容を下記で再び述べることはしない。
【０１７２】
図７に示されるように、端末装置は処理モジュールおよびトランシーバ・モジュールを含んでいてもよい。むろん、端末装置はさらに記憶モジュールなどを含んでいてもよい。
【０１７３】
前記処理モジュールは：L個の成分搬送波を有効化する段階であって、前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である、段階と；上りリンク参照信号送信時間を決定する段階とを実行するよう構成される。
【０１７４】
前記トランシーバ・モジュールは、前記送信時間内にN1個の第二成分搬送波上で上りリンク参照信号を送信するよう構成されており、N1は正の整数であり、N1≦Nである。
【０１７５】
前記処理モジュールは、前記送信時間内にM1個の第一成分搬送波上で上りリンク信号を送ることを禁止されるよう構成され、M1は正の整数であり、N1≦M1≦Mである。
【０１７６】
ある任意的な実施形態では、前記トランシーバまたは前記トランシーバ・モジュールはさらに、ネットワーク装置から第一の指示情報を受信するよう構成される。前記第一の指示情報は、前記N1個の第二成分搬送波を示すために使われる、および／または前記第一の指示情報は、前記M1個の第一成分搬送波を指示するために使われる。
【０１７７】
端末装置がL個の成分搬送波を有効化し、決定された送信時間内にN1個の第二成分搬送波上で上りリンク参照信号を送信し、決定された送信時間内にM1個の第一成分搬送波上で上りリンク信号を送ることを禁止される具体的な実装については、方法実施形態における記述が参照されることを注意しておくべきである。端末装置のこの実施形態は、上記の方法実施形態と同じ概念に基づいており、端末装置によってもたらされる技術的効果は本発明の方法実施形態のものと同じである。具体的内容については、本発明の方法実施形態における記述を参照されたい。ここで再び詳細を記述することはしない。
【０１７８】
本発明のある実施形態はさらに、上記の実施形態を実装するようネットワーク装置を提供する。ネットワーク装置は上記の実施形態における方法を実行できることを注意しておくべきである。よって、ネットワーク装置の具体的詳細については、上記の実施形態における記述を参照されたい。簡潔のため、同じ内容を下記で再び述べることはしない。
【０１７９】
図８に示されるように、ネットワーク装置はプロセッサおよびトランシーバを含んでいてもよい。むろん、ネットワーク装置はさらにメモリなどを含んでいてもよい。
【０１８０】
前記プロセッサは、端末装置のためのL個の成分搬送波を構成するよう適応される。前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である。
【０１８１】
前記トランシーバは、上りリンク参照信号送信時間内にN1個の第二成分搬送波上で前記端末装置から上りリンク参照信号を受信するよう構成され、N1≦Nである。
【０１８２】
前記プロセッサは、前記送信時間内にM1個の第一成分搬送波上で前記端末装置の上りリンク信号がないことを判別するよう構成され、M1は正の整数であり、N1≦M1≦Mである。
【０１８３】
本発明のある実施形態はさらに、上記の実施形態を実装するよう別のネットワーク装置を提供する。ネットワーク装置は上記の実施形態における方法を実行できることを注意しておくべきである。よって、ネットワーク装置の具体的詳細については、上記の実施形態における記述を参照されたい。簡潔のため、同じ内容を下記で再び述べることはしない。
【０１８４】
図９に示されるように、ネットワーク装置は処理モジュールおよびトランシーバ・モジュールを含んでいてもよい。むろん、ネットワーク装置はさらに記憶モジュールなどを含んでいてもよい。
【０１８５】
前記処理モジュールは、端末装置のためのL個の成分搬送波を構成するよう適応される。前記L個の成分搬送波はM個の第一成分搬送波およびN個の第二成分搬送波を含み、前記第一成分搬送波はその上で上りリンク・データ送信のスケジューリングが許容される搬送波であり、前記第二成分搬送波はその上で上りリンク・データ送信のスケジューリングが禁止される搬送波であり、L、MおよびNは正の整数であり、L≧2である。
【０１８６】
前記トランシーバ・モジュールは、上りリンク参照信号送信時間内にN1個の第二成分搬送波上で前記端末装置から上りリンク参照信号を受信するよう構成され、N1≦Nである。
【０１８７】
前記処理モジュールは、前記送信時間内にM1個の第一成分搬送波上で前記端末装置の上りリンク信号がないことを判別するよう構成され、M1は正の整数であり、N1≦M1≦Mである。
【０１８８】
ある任意的な実施形態では、前記トランシーバまたは前記トランシーバ・モジュールはさらに、第一の指示情報を前記端末装置に送るよう構成される。前記第一の指示情報は、前記N1個の第二成分搬送波を示すために使われる、および／または前記第一の指示情報は、前記M1個の第一成分搬送波を指示するために使われる。
【０１８９】
ネットワーク装置が、端末装置のためのL個の成分搬送波を構成し、上りリンク参照信号送信時間内にN1個の第二成分搬送波上で前記端末装置から上りリンク参照信号を受信し、前記送信時間内にM1個の第一成分搬送波上で前記端末装置から上りリンク信号を受信することを禁止される具体的な実装については、方法実施形態における記述が参照ることを注意しておくべきである。ネットワーク装置のこの実施形態は、上記の方法実施形態と同じ概念に基づいており、ネットワーク装置によってもたらされる技術的効果は本発明の方法実施形態のものと同じである。具体的内容については、本発明の方法実施形態における記述を参照されたい。ここで再び詳細を記述することはしない。
【０１９０】
さらに、マシン型通信技術においては、低コスト端末装置またはカバレッジ向上モードにある端末装置は、上りリンク方向において非同期HARQを使う。端末装置が上りリンク・データを送った後、ネットワーク装置は対応するデータのフィードバック情報を送らない。ネットワーク装置が上りリンク・データを受け取り損ねる場合、ネットワーク装置は、明示的な上りリンク承認を使うことによって、端末装置に、上りリンク・データを再送するよう命令する。非同期HARQ機構は、ライセンスされた支援されたアクセス（licensed-assisted  access）システムにおいても導入されている。
【０１９１】
同期HARQに比べて、ある送信時間区間において使用される非同期HARQプロセスが該送信時間区間に関連付けられるのではなく、該送信時間区間において使用される非同期HARQプロセスは、上りリンク承認において搬送される、HARQプロセスの識別子を使って決定される。よって、端末装置によって実行される新たな上りリンク送信または上りリンク再送信をスケジュールするために使われる上りリンク承認は、端末装置によって使用される必要のあるHARQプロセスの識別子を搬送する必要がある。
【０１９２】
ランダム・アクセス・プロセスでは、端末装置は、ランダム・アクセス応答に含まれる上りリンク承認に基づいて上りリンク・データを送る。ネットワーク装置が該上りリンク・データを受信し損なう場合、ネットワーク装置は、明示的な上りリンク承認を送ることによって、端末装置に、該上りリンク・データを再送信するよう命令するよう構成されてもよい。
【０１９３】
この場合、ランダム・アクセス・プロセスが競合ベースのランダム・アクセス・プロセスであれば、ネットワーク装置は、一時セル無線ネットワーク一時識別子（temporary  cell  radio  network  temporary  identity）を使うことによって、上りリンク・データを再送信するよう端末装置に命令するために使われる明示的な上りリンク承認をマスクする。ランダム・アクセス・プロセスが非競合ベースのランダム・アクセス・プロセスであれば、ネットワーク装置は、端末装置のセル無線ネットワーク一時識別子（cell  radio  network  temporary  identity）を使うことによって、上りリンク・データを再送信するよう端末装置に命令するために使われる明示的な上りリンク承認をマスクする。
【０１９４】
端末装置は、明示的な上りリンク承認を受信した後、上りリンク・データを再送信する。
【０１９５】
しかしながら、ランダム・アクセス応答に含まれる上りリンク承認はHARQプロセスの識別子を担持しないので、端末装置は、HARQプロセスの識別子に基づいて、上りリンク・データを送るためのHARQプロセスを決定することができない。加えて、ネットワーク装置は、上りリンク・データを送るために端末装置によってどのHARQプロセスが使われるかを知らない。さらに、上りリンク・データを再送信するよう端末装置に命令するために使われる明示的な上りリンク承認を送るとき、ネットワーク装置は、上りリンク・データを再送信するよう端末装置に命令するために使われる明示的な上りリンク承認に含まれる、HARQプロセスの識別子を決定することができない。上りリンク・データを再送信するよう端末装置に命令するために使われる明示的な上りリンク承認に含まれる、HARQプロセスの識別子が、端末装置がランダム・アクセス応答における上りリンク承認に基づいて上りリンク・データを送るHARQプロセスと整合しない場合には、端末装置が上りリンク・データを再送信し損ない、ランダム・アクセス・パフォーマンスに影響することがありうる。
【０１９６】
本発明の実施形態は、上りリンク・データ送信方法、上りリンク・データ受信方法および装置を提供し、上りリンク・データ送信および再送信を完了し、それによりランダム・アクセス・パフォーマンスを保証する。
【０１９７】
ある実施形態では、上りリンク・データ送信方法であって：
端末装置によって、ランダム・アクセス・プリアンブルを送信する段階と；
前記端末装置によって、ランダム・アクセス応答を受信する段階であって、前記ランダム・アクセス応答は第一の上りリンク承認を含む、段階と；
前記端末装置によって、前記第一の上りリンク承認に基づいて上りリンク・データを送信する段階であって、前記端末装置は前記上りリンク・データを、事前に構成されたハイブリッド自動反復要求HARQプロセスを使って送信する、段階とを含む、
方法が提供される。
【０１９８】
任意的に、前記端末装置によって上りリンク・データを送信する前記段階の後、本方法はさらに：
前記端末装置によって、第二の上りリンク承認を受信する段階であって、前記第二の上りリンク承認は前記事前に構成されたHARQプロセスの識別子を含む、段階と；
前記端末装置によって、前記第二の上りリンク承認に基づく前記事前に構成されたHARQプロセスを使って前記上りリンク・データを再送信する段階とを含む。
【０１９９】
任意的に、前記HARQプロセスが、前記上りリンク・データおよび他の上りリンク・データの両方を送るために使われる場合、前記端末装置は前記上りリンク・データを前記HARQプロセスを使って送り、さらに、任意的に、前記端末装置は前記他の上りリンク・データを前記HARQプロセスに対応するキャッシュからクリアする。
【０２００】
任意的に、前記端末装置によって上りリンク・データを送信する前記段階の後、本方法はさらに：
前記端末装置によって、第二の上りリンク承認を受信する段階であって、前記第二の上りリンク承認は前記HARQプロセスの識別子を含まない、段階と；
前記端末装置によって、前記第二の上りリンク承認に基づく前記事前に構成されたHARQプロセスを使って前記上りリンク・データを再送信する段階とを含む。
【０２０１】
任意的に、前記端末装置によって上りリンク・データを送信する前記段階の後、本方法はさらに：
前記端末装置によって、第二の上りリンク承認を受信する段階であって、前記第二の上りリンク承認は任意のHARQプロセスの識別子を含む、段階と；
前記端末装置によって、前記第二の上りリンク承認に基づいて、前記第二の上りリンク承認に含まれる、前記HARQプロセスの前記識別子を無視し、前記事前に構成されたHARQプロセスを使って前記上りリンク・データを再送信する段階とを含む。
【０２０２】
任意的に、前記事前に構成されたハイブリッド自動反復要求HARQプロセスの前記識別子は0または1であってもよく、あるいは前記端末装置によって選択されてもよい。
【０２０３】
ある実施形態では、上りリンク・データ受信方法であって：
ネットワーク装置によって、ランダム・アクセス・プリアンブルを受信する段階と；
前記ネットワーク装置によって、ランダム・アクセス応答を送信する段階であって、前記ランダム・アクセス応答は第一の上りリンク承認を含む、段階と；
前記ネットワーク装置によって、前記第一の上りリンク承認に基づいて端末装置によって送られた上りリンク・データを受信する段階であって、前記端末装置は前記上りリンク・データを、事前に構成されたハイブリッド自動反復要求HARQプロセスを使って送信する、段階とを含む、
方法が提供される。
【０２０４】
任意的に、前記ネットワーク装置が前記上りリンク・データを受信した後、前記ネットワーク装置が前記上りリンク・データを受信しない場合には、本方法はさらに：
前記ネットワーク装置によって、第二の上りリンク承認を送信する段階であって、前記第二の上りリンク承認は前記事前に構成されたHARQプロセスの識別子を含む、段階と；
前記ネットワーク装置によって、前記第二の上りリンク承認に基づく前記事前に構成されたHARQプロセスを使って前記端末送信によって再送信された前記上りリンク・データを受信する段階とを含む。
【０２０５】
任意的に、前記ネットワーク装置が前記上りリンク・データを受信した後、前記ネットワーク装置が前記上りリンク・データを受信しない場合には、本方法はさらに：
前記ネットワーク装置によって、第二の上りリンク承認を送信する段階であって、前記第二の上りリンク承認は前記HARQプロセスの識別子を含まない、段階と；
前記ネットワーク装置によって、前記第二の上りリンク承認に基づく前記事前に構成されたHARQプロセスを使って前記端末装置によって再送信された前記上りリンク・データを受信する段階とを含む。
【０２０６】
任意的に、前記ネットワーク装置が前記上りリンク・データを受信した後、前記ネットワーク装置が前記上りリンク・データを受信しない場合には、本方法はさらに：
前記ネットワーク装置によって、第二の上りリンク承認を送信する段階であって、前記第二の上りリンク承認は任意のHARQプロセスの識別子を含む、段階と；
前記ネットワーク装置によって、前記第二の上りリンク承認に基づく前記事前に構成されたHARQプロセスを使って前記端末装置によって再送信された前記上りリンク・データを受信する段階であって、前記端末装置は、前記第二の上りリンク承認に含まれる、前記HARQプロセスの前記識別子を無視する、段階とを含む。
【０２０７】
任意的に、前記事前に構成されたハイブリッド自動反復要求HARQプロセスの前記識別子は0または1であってもよく、あるいは前記端末装置によって選択されてもよい。
【０２０８】
ある実施形態では、トランシーバを含む端末装置が提供される。
【０２０９】
前記トランシーバは、ランダム・アクセス・プリアンブルを送信するよう構成される。
【０２１０】
前記トランシーバは、ランダム・アクセス応答を受信するよう構成され、前記ランダム・アクセス応答は第一の上りリンク承認を含む。
【０２１１】
前記トランシーバは、前記第一の上りリンク承認に基づいて上りリンク・データを送信するよう構成され、前記トランシーバは前記上りリンク・データを、事前に構成されたハイブリッド自動反復要求HARQプロセスを使って送信する。
【０２１２】
任意的に、前記トランシーバはさらに：前記HARQプロセスが、前記上りリンク・データおよび他の上りリンク・データの両方を送るために使われる場合、前記上りリンク・データを前記HARQプロセスを使って送り、さらに、任意的に、前記他の上りリンク・データを前記HARQプロセスに対応するキャッシュからクリアするよう構成される。
【０２１３】
任意的に、前記端末装置が前記上りリンク・データを送信した後、前記トランシーバはさらに：
前記事前に構成されたHARQプロセスの識別子を含む第二の上りリンク承認を受信し；
前記第二の上りリンク承認に基づく前記事前に構成されたHARQプロセスを使って前記上りリンク・データを再送信するよう構成される。
【０２１４】
任意的に、前記端末装置が前記上りリンク・データを送信した後、前記トランシーバはさらに：
前記HARQプロセスの識別子を含まない第二の上りリンク承認を受信し；
前記第二の上りリンク承認に基づく前記事前に構成されたHARQプロセスを使って前記上りリンク・データを再送信するよう構成される。
【０２１５】
任意的に、前記端末装置が前記上りリンク・データを送信した後、前記トランシーバはさらに：
任意のHARQプロセスの識別子を含む第二の上りリンク承認を受信し；
前記第二の上りリンク承認に基づいて、前記第二の上りリンク承認に含まれる、前記HARQプロセスの前記識別子を無視し、前記事前に構成されたHARQプロセスを使って前記上りリンク・データを再送信するよう構成される。
【０２１６】
任意的に、前記事前に構成されたハイブリッド自動反復要求HARQプロセスの前記識別子は0または1であってもよく、あるいは前記端末装置によって選択されてもよい。
【０２１７】
ある実施形態では、トランシーバを含むネットワーク装置が提供される。
【０２１８】
前記トランシーバは、ランダム・アクセス・プリアンブルを受信するよう構成される。
【０２１９】
前記トランシーバは、ランダム・アクセス応答を送信するよう構成され、前記ランダム・アクセス応答は第一の上りリンク承認を含む。
【０２２０】
前記トランシーバは、前記第一の上りリンク承認に基づいて端末装置によって送られた上りリンク・データを受信するよう構成され、前記端末装置は前記上りリンク・データを、事前に構成されたハイブリッド自動反復要求HARQプロセスを使って送信する。
【０２２１】
任意的に、前記ネットワーク装置が前記上りリンク・データを受信した後、前記ネットワーク装置が前記上りリンク・データを受信しない場合には、前記トランシーバはさらに：
前記事前に構成されたHARQプロセスの識別子を含む第二の上りリンク承認を送信し；
前記第二の上りリンク承認に基づく前記事前に構成されたHARQプロセスを使って前記端末送信によって再送信された前記上りリンク・データを受信するよう構成される。
【０２２２】
任意的に、前記ネットワーク装置が前記上りリンク・データを受信した後、前記ネットワーク装置が前記上りリンク・データを受信しない場合には、前記トランシーバはさらに：
前記HARQプロセスの識別子を含まない第二の上りリンク承認を送信し；
前記第二の上りリンク承認に基づく前記事前に構成されたHARQプロセスを使って前記端末装置によって再送信された前記上りリンク・データを受信するよう構成される。
【０２２３】
任意的に、前記ネットワーク装置が前記上りリンク・データを受信した後、前記ネットワーク装置が前記上りリンク・データを受信しない場合には、前記トランシーバはさらに：
任意のHARQプロセスの識別子を含む第二の上りリンク承認を送信し；
前記第二の上りリンク承認に基づく前記事前に構成されたHARQプロセスを使って前記端末装置によって再送信された前記上りリンク・データを受信するよう構成され、前記端末装置は、前記第二の上りリンク承認に含まれる、前記HARQプロセスの前記識別子を無視する。
【０２２４】
任意的に、前記事前に構成されたハイブリッド自動反復要求HARQプロセスの前記識別子は0または1であってもよく、あるいは前記端末装置によって選択されてもよい。
【０２２５】
本発明のこの実施形態では、端末装置は、上りリンク・データを送信するためにどのHARQプロセスが使われるかを簡単に判別する。さらに、ネットワーク装置も上りリンク・データを再送信するよう端末装置に命令するためにどのHARQプロセスが使われるかを簡単に判別する。それにより、上りリンク・データの信頼性を保証し、HARQプロセスの識別子がランダム・アクセス応答において上りリンク承認に加えられるためにランダム・アクセス応答メッセージのサイズが増し、端末装置がランダム・アクセス応答メッセージを適正に受信できないという問題が回避される。
【０２２６】
本発明のこの実施形態が、非同期HARQを使ういかなるシステムにも適用可能であり、マシン型通信に限定されないことを注意しておくべきである。
【０２２７】
本発明のすべての実施形態におけるプロセッサは、中央処理ユニット（central  processing  unit、CPU）であってもよく、あるいは別の汎用プロセッサ、デジタル信号プロセッサ（digital  signal  processor、DSP）、特定用途向け集積回路（application-specific  integrated  circuit、ASIC）、フィールドプログラマブルゲートアレイ（field-programmable  gate  array、FPGA）または別のプログラム可能な論理デバイス、離散ゲートもしくはトランジスタ論理デバイス、離散ハードウェア・コンポーネントなどであってもよいことが理解されるべきである。さらに、本発明の上記の諸実施形態におけるネットワーク装置および端末装置はさらに、メモリのようなコンポーネントを含んでいてもよい。本願でいうメモリは、読み出し専用メモリおよびランダム・アクセス・メモリを含んでいてもよく、プロセッサのための命令およびデータを含んでいてもよい。メモリの一部はさらに、不揮発性ランダム・アクセス・メモリを含んでいてもよい。たとえば、メモリはさらに、装置の型の情報を記憶してもよい。プロセッサはメモリ内の命令コードを呼び出し、本発明の諸実施形態におけるネットワーク装置およびユーザー装置の他のモジュールを、上記の動作を実行するよう制御する。
【０２２８】
明細書全体において言及される「ある実施形態」、「一つの実施形態」または「本発明のこの実施形態」は該実施形態に関係する特定の特徴、構造または特性が本発明の少なくとも一つの実施形態に含まれることを意味することを理解しておくべきである。よって、明細書の随所に現われる「ある実施形態では」、「一つの実施形態では」または「本発明のこの実施形態では」は、同じ実施形態を指すのではない。さらに、これら特定の特徴、構造または特性は、いかなる適切な仕方を使って一つまたは複数の実施形態において組み合わされてもよい。
【０２２９】
上記のプロセスの逐次番号は、本発明のさまざまな実施形態における実行順を意味するものではないことを理解しておくべきである。プロセスの実行順は、それらのプロセスの機能および内部論理に基づいて決定されるべきであり、本発明の実施形態の実装プロセスに対するいかなる限定としても解釈されるべきではない。
【０２３０】
さらに、用語「システム」および「ネットワーク」は、本明細書において交換可能に使われることがある。本明細書における「および／または」は、関連するオブジェクトを記述するための関連関係を記述し、三つの関係が存在しうることを表わすことを理解しておくべきである。たとえば、Aおよび／またはBは、以下の三つの場合を表わしうる：Aのみが存在、AおよびBの両方が存在、およびBのみが存在。さらに、本明細書における記号「／」は一般に、関連するオブジェクトの間の「または」の関係を示す。
【０２３１】
本願の実施形態において、「BがAに対応する」は、BがAに関連しており、BがAに基づいて決定されうることを示す。しかしながら、Bに基づいてAを決定することが、BがAのみに基づいて決定されることを意味するのではないことをさらに理解しておくべきである。すなわち、Bは、Aおよび／または他の情報に基づいて決定されてもよい。
【０２３２】
当業者は、本明細書に開示された実施形態において記載される例と組み合わせて、ユニットおよびアルゴリズム段階が電子的なハードウェア、コンピュータ・ソフトウェアまたは両者の組み合わせによって実装されてもよいことを認識しうる。ハードウェアとソフトウェアの間の交換可能性を明瞭に記述するために、上記は一般にそれぞれの例の組成および段階を機能に基づいて記載してきた。それらの機能がハードウェアによって実行されるかソフトウェアによって実行されるかは、技術的解決策の具体的な応用および設計制約条件に依存する。当業者は、それぞれの特定の応用のために記載される機能を実装するための種々の方法を使いうるが、該実装が本発明の範囲を超えると考えられるべきではない。
【０２３３】
本願の実施形態では、表示されるまたは論じられる相互の結合または直接結合または通信接続は、いくつかのインターフェースを使って実装されてもよい。装置またはユニットの間の間接的な結合または通信接続は、電子的、機械的または他の形で実装されてもよい。
【０２３４】
別個のパーツとしての上記のユニットは、物理的に別個であってもなくてもよく、ユニットとして表示されるパーツは、物理的なユニットであってもなくてもよく、一つの位置に位置していてもよく、あるいは複数のネットワーク・ユニットに分散されてもよい。ユニットの一部または全部は、実施形態の解決策の目的を達成するための実際の要求に基づいて選択されてもよい。
【０２３５】
統合されたユニットがソフトウェア機能ユニットの形で実装され、独立したプロダクトとして使われるとき、統合されたユニットは、コンピュータ可読記憶媒体において記憶されてもよい。そのような理解に基づいて、本発明の技術的解決策は本質的には、あるいは従来技術に貢献する部分は、あるいは技術的解決策の一部は、ソフトウェア・プロダクトの形で実装されてもよい。ソフトウェア・プロダクトは、記憶媒体に記憶され、コンピュータ装置（これは、パーソナル・コンピュータ、サーバーまたはネットワーク装置でありうる）に本発明の実施形態において記載される方法の段階の全部または一部を実行するよう命令するためのいくつかの命令を含む。上記の記憶媒体は：プログラム・コードを記憶できる任意の媒体、たとえばUSBフラッシュドライブ、リムーバブルハードディスク、読み出し専用メモリ（read-only  memory、ROM）、ランダム・アクセス・メモリ（random  access  memory、RAM）、磁気ディスクまたは光ディスクを含む。
【０２３６】
上記の記述は単に本発明の個別的実装であり、本発明の保護範囲を限定することは意図されていない。本発明に開示される技術的範囲内で当業者によって容易に割り出される任意の変形または置換は、本発明の保護範囲内にはいる。よって、本発明の保護範囲は、請求項の保護範囲に従う。
【国際調査報告】
2019517206.tif 000012
2019517206.tif 000013
2019517206.tif 000014
2019517206.tif 000015
2019517206.tif 000016
2019517206.tif 000017
2019517206.tif 000018